(57)【要約】  トラス内に断熱材を吊設するための断熱システムが開示され、これは、第１のトラス上に設置されるように構成された第１のレールと、第１のトラスから離間された第２のトラス上に設置されるように構成された第２のレールとを含む。第１のレールと第２のレールとの間に第１の空洞が確立される。さらに、第１の空洞は、第１の断熱バットを受容して係合するように構成されている。【選択図】図５３
2019533102.tif 000002
【特許請求の範囲】
【請求項１】
トラス内に断熱材を吊設するための断熱システムであって、
第１のトラス上に設置されるように構成された第１のレールと、
前記第１のトラスから離間された第２のトラス上に設置されるように構成された第２のレールと、を備え、前記第１のレールと前記第２のレールとの間に第１の空洞が確立され、前記第１の空洞が、第１の断熱バットを受容して係合するように構成されている、断熱システム。
【請求項２】
断熱材を設置する方法であって、
第１のトラス上に第１のレールを設置することと、
前記第１のトラスから距離を置いて離間された第２のトラス上に第２のレールを設置して、前記第１のレールと前記第２のレールとの間に第１の空洞を確立することと、
前記第１の空洞内に第１の断熱バットを設置することと、を含む、方法。
【請求項３】
切妻を断熱するための断熱システムであって、
第１の垂直スタッド上に設置されるように構成された第１のレールと、
前記第１の垂直スタッドから離間された第２の垂直スタッド上に設置されるように構成された第２のレールと、を備え、前記第１のレールと前記第２のレールとの間に第１の空洞が確立され、前記第１の空洞が、第１の断熱バットを受容して係合するように構成されている、断熱システム。
【請求項４】
前記第２のレールの反対側の前記第２のトラス上に設置されるように構成された第３のレールをさらに備える、請求項１に記載のシステム。
【請求項５】
前記第２のトラスから離間された第３のトラス上に設置されるように構成された第４のレールをさらに備え、前記第３のレールと前記第４のレールとの間に第２の空洞が確立され、前記第２の空洞が、第２の断熱バットを受容して係合するように構成されている、請求項４に記載のシステム。
【請求項６】
各レールが、細長く、かつ長さと幅とを含み、前記長さと前記幅の比ＲＬＷが、０．１以下である、請求項１、２、および３のいずれか一項に記載のシステムまたは方法。
【請求項７】
ＲＬＷが、０．０９以下、例えば、０．０８以下、０．０７以下、０．０６以下、または０．０５以下である、請求項６に記載のシステムまたは方法。
【請求項８】
ＲＬＷが、０．００５以上、例えば、０．０１以上、０．０２以上、０．０３以上、または０．０４以上である、請求項７に記載のシステムまたは方法。
【請求項９】
各レールが、略Ｕ字形の断面形状を含む、請求項１、２、および３のいずれか一項に記載のシステムまたは方法。
【請求項１０】
各レールが、ベースプレートと、そこから延在する第１のタインおよび第２のタインと、を含む、請求項９に記載のシステムまたは方法。
【請求項１１】
前記第１および第２の断熱バットが、床の上の高さＨに配設され、Ｈが、３フィート以上である、請求項１または２に記載のシステムまたは方法。
【請求項１２】
Ｈが、３．５フィート以上、例えば、４．０フィート以上、４．５フィート以上、５．０フィート以上、５．５フィート以上、または６．０フィート以上である、請求項１１に記載のシステムまたは方法。
【請求項１３】
Ｈが、１０．０フィート以下、例えば、９．５以下、９．０フィート以下、８．５フィート以下、８．０フィート以下、７．５フィート以下、７．０フィート以下、または６．５フィート以下である、請求項１２に記載のシステムまたは方法。
【請求項１４】
前記レールの各々が、開放端部と閉鎖端部とを有する略Ｕ字形の断面を含み、前記閉鎖端部が前記トラスに隣接した状態で各レールが設置される、請求項３に記載の方法。
【請求項１５】
前記レールが、実質的に水平に設置される、請求項３に記載の方法。
【発明の詳細な説明】
【技術分野】
【０００１】
本発明は、概して、断熱材に関し、特に、建築物の屋根裏の頂部に隣接して建築物を断熱するためのシステム、方法、および装置に関する。
【背景技術】
【０００２】
米国南部では、暖房、換気、および空調（ＨＶＡＣ）ダクトは、家の中に空間がないため、伝統的に家の屋根裏に設置されている。これらの家は、洪水の脅威（南東）または地震の脅威（南西）のせいで地下室をほとんど有していない。ほとんどのＨＶＡＣダクトは、部分的な漏れがあり、それらが屋根裏の断熱材の上に配設されている場合、かなりのエネルギーが損失される。ＨＶＡＣダクトが空調空間内に位置するのが一般的なやり方である。
【０００３】
２０１７年１月にカリフォルニア州は、屋根裏の床の既存の断熱材に加えて、屋根デッキの下または上のいずれかにより多くの断熱材を追加する新しい選択肢を導入した。代替的に、同じレベルの断熱材（気候帯に応じてＲ３０〜Ｒ３８）を屋根デッキの下に配設して、全てのＨＶＡＣダクトが断熱空間内に位置することを確実にすることができる。
【０００４】
屋根裏の屋根垂木の間に断熱材が付いている家は、屋根裏のＨＶＡＣにとって最良の構成を提供する。しかしながら、ほとんどの屋根垂木は、２×４インチまたは２×６インチであり、それらは、ガラス繊維またはセルロースなどの伝統的な断熱材で建築基準により必要とされるＲ値（例えば、Ｒ３０〜Ｒ４９）に到達するには小さすぎる。垂木の間と下の両方を断熱するための解決策が必要である。屋根裏が換気されていない場合、かかる設計はまた、水分管理に関するより高いリスクを有する。
【０００５】
いくつかの基本的な解決策は、屋根垂木への木材建材（例えば、２×６インチまたは２×８インチの梁）の追加、または所望の高さの木材Ｉ型ジョイストの取り付けなど、断熱請負業者によって何十年も使用されている。しかしながら、これらの解決策は屋根の重量を増加させ、それはトラス構造設計の変更を必要とする。さらに、これらの解決策は、設置するのに時間がかかり、残された熱橋（木材）を伝え、断熱材の連続層を提供しない。
【０００６】
吹き込みブランケットシステム（ＢＩＢＳ）用の布帛を使用する別の解決策がＷＯ２０１５／１１７１５４に開示されている。しかしながら、このシステムは、垂木と屋上デッキの外側被覆材との間の各接合部をかしめて屋根全体を気密にしなければならないので、設置するのにかなり時間がかかる。複雑なトラス設計、屋根の隅棟、谷、交差トラスなどでは、これを達成するのは困難であり得る。また、棟換気口をハウスラップで気密にすることが必要とされることに加えて、水分の問題を回避するために棟換気口および隅棟の頂部に「拡散ポート」（例えば、蒸気開放屋根膜を有する気密開口部）の追加を必要とする。
【０００７】
さらに、断熱材を吹く前にＢＩＢＳ膜を正しく重畳させてステープル留めしなければならず、これは、重畳部が何にも取り付けられていないため、断熱材の重量によりたるみを生み出す。かかる構成は、明確かつ一貫した厚さおよびＲ値を有することをほとんど不可能にする。これは、吹き込み断熱材の重量による膜のたるみによるものであり、膜と断熱材との間に間隙が残る。この問題は、空洞が正しく充填されることを確実にするために断熱材の密度を増加させることによって対処することができる。
【０００８】
加えて、垂木が完璧に位置合わせされていない場合、定規を用いて布帛の重畳を手動で調整しなければならず、これはさらにより多くの時間がかかる。このシステムも、屋根裏の部屋のための仕上がった天井を形成するための石膏ボードのような負荷をそれに取り付けることができないので、制限される。さらに、この解決策は、気候ゾーン３の寒い冬の間に内部蒸気遅延剤なしでの長期の耐久性に関する残された論点を伴う、米国気候帯１〜３に限定される。
【０００９】
Ｓａｉｎｔ−Ｇｏｂａｉｎ  Ｉｓｏｖｅｒ  ＦｒａｎｃｅのＳｕｓｐｅｎｔｅ  Ｉｎｔｅｇｒａ２システムなど、これらの問題のいくつかに対処するための解決策が存在する。その全体が参照により本明細書に組み入れられる、米国公開第２０１１／００１６８１６号を参照のこと。その解決策は、気密性および水分管理を高めるために垂木の下に断熱材の第２の層を取り付ける。これは、石膏ボードを保持する金属製レールを用いてケーブルなどのための空間を維持しながら、石膏ボードの背後にスマート蒸気遅延剤膜をクリッピングすることによって達成される。それにもかかわらず、この金属の解決策は、商業用建築物のような金属製レールではなく、木製スタッドおよび垂木のみを使用する米国の住宅市場には適合しない。
【００１０】
加えて、最近の建築基準およびプログラム要件は、基準の火災安全要求をも満たすコンパートメント化のより容易でより効果的な方法の必要性を駆り立てている。例えば、２０１２年の国際省エネルギー基準（ＩＥＣＣ）は、気候帯３〜８における一世帯および多世帯の建設に３  ＡＣＨ５０試験圧力の気密性を要求しており、米国中でより広く採用されている。商業用建築物については、米国暖房空調学会（ＡＳＨＲＡＥ）標準１８９と同様に、エネルギーと環境デザインのリーダーシップ（ＬＥＥＤ）にも同様のコンパートメント化要件がある。従来の解決策は新しい建築物全体の気密性要件を達成することを非常に困難にするので、断熱システムの改善は引き続き関心がもたれている。
【発明の概要】
【００１１】
屋根裏の頂部近くで断熱するためのシステム、方法、および装置の実施形態が開示される。屋根裏は、屋上デッキを支持する垂木を含み得る。一例では、屋根裏内で断熱材を支持するための吊設具は、軸、および軸方向の細長い外形、を有する梁を含み得る。細長い外形は、屋根デッキにではなく、垂木にのみ連結されるように構成された近位端部を有し得る。近位端部は平面状であり、かつ設置時に屋根デッキに対して実質的に平行であるように構成され得る。梁の遠位端部は、実質的に平面状であり、かつ近位端部と平行であり得る。実質的に平面状であるウェブは、近位端部と遠位端部との間に、それらに対して実質的に直角に延在し得る。近位端部と遠位端部との間でウェブに沿って断熱空間が画定される。加えて、遠位端部は、断熱空間内に位置する断熱バットに連結されるように構成され得る。
【００１２】
別の実施形態では、建築物の屋根裏を断熱するためのシステムが開示される。建築物は、屋根デッキを備える屋根と、屋根裏の内側で屋根デッキを支持する垂木とを含み得る。本システムは、屋根裏内で断熱材を支持するための梁を含み得る。梁の各々は、軸、および軸方向の細長い外形を含み得る。細長い外形は、屋根デッキにではなく、垂木にのみ装着される近位端部を含み得る。近位端部は、平面状であり、かつ屋根デッキに対して実質的に平行であり得る。梁は、実質的に平面状であり、かつ近位端部と平行な遠位端部を含み得る。実質的に平面状であるウェブは、近位端部と遠位端部との間に、それらに対して実質的に直角に延在し得る。近位端部と遠位端部との間でウェブに沿って断熱空間が画定される。本システムは、断熱空間内の梁のうちの隣接するものに、およびそれらの間に装着される断熱バットをさらに含み得る。断熱バットの各々は、断熱材料と、梁の遠位端部に面する外層とを含み得る。外層は、ＡＣＨ５０＜３の気密性を達成することを可能にし得る。第１のテープを梁の遠位端部および断熱バットの外層に適用してそれらの間に気密障壁を形成することができる。気密障壁はまた、ＡＣＨ５０＜３を達成することを可能にし得る。
【００１３】
屋根デッキを備える屋根と、屋根裏の内側で屋根デッキを支持する垂木とを有する建築物の屋根裏を断熱する方法の一実施形態も開示される。本方法は、軸方向の細長い外形を備える梁を提供することと、梁の近位端部のみを垂木に緊結することと、梁のうちの隣接するものの遠位端部に断熱バットを位置決めすることとを含み、断熱バットの各々は、断熱材料と、梁の遠位端部に面する外層とを含み得る。外層は、ＡＣＨ５０＜３の気密性を含み得る。加えて、本方法は、テープを梁の遠位端部および断熱バットの外層に適用してそれらの間に気密障壁を形成することを含み得る。気密障壁は、ＡＣＨ５０＜３の気密性を含み得る。
【００１４】
さらに別の実施形態では、吊設具は、軸、および軸方向の外形、を有する梁を含み得る。外形は、軸方向に細長く、かつ実質的に平面状である遠位端部を含み得る。ストラップは、遠位端部から延在し得る。ストラップは、実質的に平面状であり、かつ遠位端部に対して直角であり得る。各ストラップは、平面状の、それぞれの垂木に連結されるように構成された近位端部を含み得る。近位端部と遠位端部との間のストラップに沿って断熱空間が画定される。遠位端部は、断熱空間内に位置する断熱バットに連結されるように構成され得る。
【００１５】
屋根裏の頂部に隣接して断熱するための代替のシステム、方法、および装置の実施形態も開示される。例えば、システムは、屋根デッキを備える屋根と、屋根裏の内側で屋根デッキを支持する垂木とを有する建築物の屋根裏を断熱する。本システムは、垂木に位置合わせされて装着されたブラケットと、ブラケットを介して垂木から懸吊されるようにブラケットに取り付けられた梁とを含み得る。加えて、断熱バットが梁の間に延在し得、テープを使用して断熱バットを梁に固設することができる。
【００１６】
別の実施形態では、屋根裏内で断熱材を支持するための吊設具が開示される。吊設具は、軸、および軸方向の細長い外形、を有する梁を含み得る。細長い外形は、垂木に連結されるように構成された近位端部と、近位端部から離間された遠位端部と、近位端部と遠位端部との間に延在するウェブとを含み得る。近位端部と遠位端部との間でウェブに沿って断熱空間が画定され得る。遠位端部は、断熱空間内に位置する断熱バットに連結されるように構成され得る。加えて、梁は、ウェブが近位端部および遠位端部に対して直角ではならないように梁が重畳される重畳位置を含み得る。梁はまた、ウェブが近位端部および遠位端部に対して実質的に直角である設置位置を有し得る。
【００１７】
屋根裏内で断熱材を支持するための吊設具の代替の実施形態は、軸、および軸方向の細長い外形、を有する梁を含み得る。細長い外形は、垂木に連結されるように構成された近位端部と、近位端部から離間された遠位端部と、近位端部と遠位端部との間に延在するウェブとを含み得る。近位端部と遠位端部との間でウェブに沿って断熱空間が画定され得る。遠位端部は、断熱空間内に位置する断熱バットに連結されるように構成され得る。加えて、ウェブは、細長い外形の全体を跨ぐ中実部分と、近位端部のうちのそれぞれのものに係合するセグメント化部分とを含み得、セグメント化部分内の空隙は、近位端部から中実部分まで延在する。
【００１８】
別の態様では、吊設具を使用して屋根デッキを有する屋根裏で断熱材を支持することができる。吊設具は、梁に連結される第１の端部と、障壁に連結される第２の端部とを含み得る。吊設具はまた、第１の端部と第２の端部との間に断熱空間を画定する軸方向中央部分を含み得る。吊設具はまた、第１の面と、梁の底部と接触するように適合された第１の面の底部に位置する半径方向リップとを有する梁取り付け構成要素を含み得る。
【００１９】
別の実施形態では、断熱システムが開示される。断熱システムは、梁、障壁、および少なくとも１つの吊設具を含み得る。吊設具は、梁に連結される第１の端部と、障壁に連結される第２の端部とを含み得る。吊設具はまた、第１の端部と第２の端部との間に断熱空間を画定する軸方向中央部分を含み得る。断熱システムは、吊設具によって画定された断熱空間を少なくとも部分的に充填する断熱材をさらに含み得る。
【００２０】
デッキとデッキに緊結された梁とを備える屋根裏を有する家のために断熱材を設置するための方法が開示される。本方法は、障壁を提供することと、少なくとも１つの吊設具を提供することとを含み得る。吊設具は、梁に連結される第１の端部と、障壁に連結される第２の端部とを含み得る。吊設具はまた、第１の端部と第２の端部との間に断熱空間を画定する軸方向中央部分を含み得る。吊設具はまた、第１の面と、梁の底部と接触するように適合された第１の面の底部に位置する半径方向リップとを有する梁取り付け構成要素を含み得る。本方法は、障壁取り付け構成要素を障壁に取り付けることと、半径方向リップが梁の底部と接触して第１の端部と第２の端部との間に画定された断熱空間を提供するように梁取り付け構成要素を梁に取り付けることとを含み得、半径方向リップは、断熱空間のサイズを決定する。本方法はさらに、断熱空間内に断熱材を提供することを含み得る。
【００２１】
これらの実施形態の前述のならびに他の目的および利点は、添付の特許請求の範囲および添付の図面と併せて以下の詳細な説明を鑑みれば、当業者には明らかとなろう。
【図面の簡単な説明】
【００２２】
実施形態の特徴および利点が成し遂げられる様式がより詳細に理解され得るように、より具体的な説明を、添付の図面に図示されるその実施形態を参照することによって行うことができる。しかしながら、図面はいくつかの実施形態を図示するに過ぎず、したがって、他の同等に有効な実施形態が存在し得るため、範囲を限定するとみなされるべきではない。
【００２３】
【図１】断熱材を支持するための梁の一実施形態の頂部正面等角図（ｔｏｐ，ｆｒｏｎｔ  ｉｓｏｍｅｔｒｉｃ  ｖｉｅｗ）である。
【図２】図１の梁の端面図である。
【図３】図１の梁の正面図である。
【図４】図１の梁の上面図である。
【図５】断熱材を支持するための梁の別の実施形態の頂部正面等角図である。
【図６】図５の梁の端面図である。
【図７】図５の梁の正面図である。
【図８】図５の梁の上面図である。
【図９】最終アセンブリ前の示される図５の梁の概略端面図である。
【図１０】屋根裏を断熱するためのシステムの一実施形態を有する屋根裏の底面等角図であり、システムは部分的に設置されて示されている。
【図１１】屋根裏を断熱するためのシステムの別の実施形態を有する屋根裏の底面等角図である。
【図１２】屋根裏を断熱するためのシステムのさらに別の実施形態を有する屋根裏の拡大底面等角図である。
【図１３】屋根裏を断熱するためのシステムのまた別の実施形態を有する屋根裏の拡大底面等角図である。
【図１４】屋根裏を断熱するためのシステムの代替の実施形態を有する屋根裏の底面等角図である。
【図１５】屋根裏を断熱するためのシステムの別の代替の実施形態を有する屋根裏の底面等角図である。
【図１６】屋根裏を断熱するためのシステムのさらに別の代替の実施形態を有する屋根裏の底面等角図である。
【図１７】剥離紙セグメントを示すテープの一実施形態の概略図である。
【図１８】屋根裏断熱材用の吊設具の別の実施形態の一方の端部を部分的に断面で示す頂部正面等角図である。
【図１９】設置位置および重畳位置でそれぞれ示された吊設具の別の実施形態の頂部正面等角図である。
【図２０】設置位置および重畳位置でそれぞれ示された吊設具の別の実施形態の頂部正面等角図である。
【図２１】設置位置および重畳位置でそれぞれ示された吊設具の別の実施形態の頂部正面等角図である。
【図２２】設置位置および重畳位置でそれぞれ示された吊設具の別の実施形態の頂部正面等角図である。
【図２３】図２１および２２の吊設具の構成要素の正面図である。
【図２４】図２１および２２の吊設具の設置時の下部等角図である。
【図２５】吊設具のさらに他の代替の実施形態の頂部正面等角図である。
【図２６】吊設具のさらに他の代替の実施形態の頂部正面等角図である。
【図２７】図１８の吊設具用ブラケットの代替の実施形態の底面等角図である。
【図２８】それぞれ吊設具の別の実施形態の等角図および端面図である。
【図２９】それぞれ吊設具の別の実施形態の等角図および端面図である。
【図３０】図２７〜２９のブラケットと吊設具とのアセンブリの一実施形態の等角図である。
【図３１】屋根裏を断熱するためのシステムの一実施形態を有する屋根裏の底面等角図であり、システムは部分的に設置されて示されている。
【図３２】屋根裏を断熱するためのシステムの別の実施形態を有する屋根裏の底面等角図である。
【図３３】屋根裏を断熱するためのシステムのさらに別の実施形態を有する屋根裏の拡大底面等角図である。
【図３４】屋根裏を断熱するためのシステムのまた別の実施形態を有する屋根裏の拡大底面等角図である。
【図３５】剥離紙セグメントを示すテープの一実施形態の概略図である。
【図３６】断熱システムの一実施形態の側面図である。
【図３７】断熱システム用吊設具の一実施形態の斜視図である。
【図３８】吊設具の一実施形態の側面図である。
【図３９】吊設具の一実施形態の側面図である。
【図４０】吊設具の一実施形態の側面図である。
【図４１】吊設具の一実施形態の上面図である。
【図４２】吊設具の一実施形態の底面図である。
【図４３】断熱システムの実施形態の側面図である。
【図４４】断熱システムの実施形態の側面図である。
【図４５】断熱システムの別の実施形態の部分断面側面図である。
【図４６】断熱システムの実施形態の側面図である。
【図４７】断熱システムの実施形態の側面図である。
【図４８】断熱システムの一実施形態の部分断面側面図である。
【図４９】断熱システムのさらに別の実施形態の部分断面側面図である。
【図５０】断熱材支持レールの端面図である。
【図５１】断熱材支持レールの頂部平面図である。
【図５２】断熱材支持レールの底部平面図である。
【図５３】断熱システムの斜視図である。
【図５４】断熱システムの頂部平面図である。
【図５５】断熱システムの断面図である。
【図５６】断熱システムの頂部平面図である。
【図５７】断熱システムの側部平面図である。
【図５８】断熱システムの頂部平面図である。
【図５９】断熱システムの側部平面図である。
【図６０】断熱システムの頂部平面図である。
【図６１】断熱材支持レールの端面図である。
【図６２】断熱材支持レールの端面図である。
【図６３】断熱材支持レールの端面図である。
【図６４】断熱材支持レールの端面図である。
【図６５】断熱材支持レールの端面図である。
【図６６】断熱システムの頂部平面図である。
【００２４】
異なる図面における同じ参照符号の使用は、類似のまたは同一の項目を示す。
【発明を実施するための形態】
【００２５】
屋根裏の頂部に隣接して断熱するためのシステム、方法、および装置の実施形態が開示される。例えば、図１〜４は、屋根デッキを支持する垂木を有する屋根裏内で断熱材を支持するための吊設具を示す。吊設具は、軸２２、および軸方向の細長い外形、を有する梁２０を含み得る。図１〜４は、梁のＪ型梁のバージョンを示す。図５〜９は、梁２０のＩ型梁のバージョンを示す。加えて、梁は、Ｃ型梁またはＳ型梁であり得る。用途によっては、フランジが梁の両側で断熱材を支持し得るため、Ｉ型梁またはＪ型梁の設計が好ましい場合がある。他の用途の場合、Ｃ型梁またはＳ型梁の片側は、仕上げ面をステープル留めしてテープ留めする前に摩擦によってのみ梁の間に断熱材を固設し得る。
【００２６】
細長い外形のバージョンは、近位端部２４を含み得る。近位端部２４は、屋根デッキにではなく、垂木にのみ連結されるように構成され得る。一例では、梁２０の近位端部２４を垂木の底部表面にのみ取り付けることができる。
【００２７】
近位端部２４は平面状であり得、かつ設置時に屋根デッキに対して実質的に平行であるように構成され得る。細長い外形は、遠位端部２６をさらに含み得る。遠位端部２６は、実質的に平面状であり、かつ近位端部２４と平行であり得る。加えて、細長い外形は、ウェブ２８を含み得る。ウェブ２８は、実質的に平面状であり得る。ウェブ２８は、近位端部２４と遠位端部２６との間に、それらに対して実質的に直角に延在し得る。
【００２８】
近位端部２４と遠位端部２６との間でウェブ２８に沿って断熱空間３０が画定され得る。さらに詳細に論じられるように、遠位端部２６は、断熱空間３０内に位置する断熱バットに連結されるように構成され得る。梁２０は、ストラップ材または支持膜などの任意の追加の支持部材なしでガラス繊維バットを支持するように構成され得る。
【００２９】
梁２０の実施形態は、ポリマーを含み得る。例えば、梁２０は、次の材料のうちの１つ以上を含み得る。熱可塑性プラスチック、射出成形プラスチック、未使用ポリ塩化ビニル（ＰＶＣ）、再生ＰＶＣ、発泡ＰＶＣ、ＣＰＶＣ、アクリロニトリルブタジエンスチレン（ＡＢＳ）、ポリエーテルエーテルケトン（ＰＥＥＫ）、ポリメチルメタクリレート（ＰＭＭＡ）、ポリイミド、熱可塑性オレフィン（ＴＰＯ）、ナイロンなど、および前述の材料のガラス強化バージョン。梁２０のバージョンは、ポリマーのみからなり得る。一部の実施形態では、梁２０の少なくとも一部は、押出成形および射出成形のうちの少なくとも１つであり得る。梁２０の例は、例えば、手ばさみのような手動工具を用いて容易に切断され得る。一例では、梁２０は、金属製ではない。梁２０内の孔または穴を用いて、その重量を低減し、熱橋の問題を低減することができる。
【００３０】
他の実施形態では、梁２０の一部は、異なる材料などの２つ以上の材料から形成され得る。例えば、梁２０の第１の部分はガラス強化ＰＶＣを含み得、梁の第２の部分はＰＶＣを含み得る。梁２０の一部は、異なる熱膨張率を有し得る。
【００３１】
梁２０のバージョンは、特定の熱膨張率（ＣＴＥ）を含み得る。例えば、ＣＴＥは、約１００Ｅ−０６ｉｎ／（ｉｎ．Ｆ）以下、例えば、約８０Ｅ−０６ｉｎ／（ｉｎ．Ｆ）以下、約６０Ｅ−０６ｉｎ／（ｉｎ．Ｆ）以下、約５０Ｅ−０６ｉｎ／（ｉｎ．Ｆ）以下、約４０Ｅ−０６ｉｎ／（ｉｎ．Ｆ）以下、約３０Ｅ−０６ｉｎ／（ｉｎ．Ｆ）以下、約２０Ｅ−０６ｉｎ／（ｉｎ．Ｆ）以下、またはさらに約１０Ｅ−０６ｉｎ／（ｉｎ．Ｆ）以下であり得る。他の例では、ＣＴＥは、これらの値のいずれかの間の範囲内にあり得る。
【００３２】
一部の実施形態では、梁２０は、屋根裏トラス設計による曲げモーメントに供され得る。例えば、最大許容変形量を次の説明によって表現することができる。梁が水平に位置決めされ、その近位端部で垂木に取り付けられた状態で、梁の各直線脚部に対して、梁の近位端部から１０インチの遠位端部に０．５ｌｂの負荷を加えると、約２インチ以下の最大垂直偏向を与えるであろう。これは、約５度の角度または偏向に対応する。他の実施形態では、最大垂直偏向は、約１インチ以下、またはさらには約０．１インチ以下（すなわち、知覚される変形なし）であり得る。
【００３３】
梁２０は、約１フィート〜約２０フィートの間の任意の長さを有し得る。いくつかのバージョンでは、梁２０の長さは、一人だけでの取り扱いをよりよく可能にするために約６フィート〜約８フィートであり得る。梁は、屋根裏トラスおよび外側屋根被覆材を設置するフレーマによって設置され得る。断熱請負業者は、断熱材およびテープを設置し得る。かかる設置は、より長いバージョンの梁２０（例えば、８フィート以上）にとって好ましい場合がある。より短いバージョンの梁（例えば、８フィート未満）の場合、断熱請負業者にとっては、梁２０および断熱材の両方を設置することが好ましい場合がある。
【００３４】
ウェブ２８の例は、その自重下で、最大偏向を有し得る。いくつかのバージョンでは、ウェブ２８の最大偏向は、近位端部２４および遠位端部２６に関して法線に対して約１０度であり得る。他の例では、最大偏向は、約８度、例えば、約６度、約５度、約４度、約３度、約２度、またはさらには約１度であり得る。他の例では、最大偏向は、これらの値のいずれかの間の範囲内にあり得る。
【００３５】
上記のように、梁２０の例は、重量、熱膨張率、収縮量、および熱橋の問題を低減するために穿孔されていてもよい。いくつかのバージョンでは、近位端部２４は、穿孔３２を含み得る。穿孔３２の実施形態は、平行な列のスリットを含み得る。スリットは、丸みを帯びた長円形および長方形のうちの少なくとも１つであり得る。一例では、ウェブ２８は、穿孔されていてもよい。別の例では、遠位端部２６は、穿孔されていない。
【００３６】
梁２０の一部の実施形態では、細長い外形の各端部は、第２の梁２０に係合するように構成されたタブ３４を備え得る。１つのバージョンでは、タブ３４は、近位端部２４にのみ位置し得る。
【００３７】
図９に示されるように、梁２０は、ポリマー材料などの単一層の材料を含み得る。材料は、軸方向に最終断面形状に重畳されるかまたは熱成形され得る。加えて、最終断面形状は、リブ付き縁部を用いて接着、超音波溶接、またはヒートステークされ得る。代替的に、梁２０は、異形押出として形成され得る。
【００３８】
図１０および１１は、建築物の屋根裏４０を断熱するためのシステムの実施形態を示す。建築物は、屋根デッキを備える屋根と、屋根裏４０の内側で屋根デッキを支持する垂木４２とを含み得る。本システムは、屋根裏４０内で断熱材４４を支持するための梁２０を含み得る。梁２０の各々は、本明細書に記載の実施形態のいずれかによる特徴を含み得る。梁２０を垂木４２に横断させることができる。梁２０の近位端部２４は、ステープル、釘、またはネジなどの緊結具を用いて垂木４２に装着され得る。本システムは、屋根デッキとシステムの上部部分との間に換気空気間隙４３をさらに含み得る。
【００３９】
一部の実施形態では、断熱材は、垂木４２の下に配設され得、換気空気間隙４３は、下端と屋根頂部の棟換気口との間に位置し得る。代替的に、換気開口部（例えば、Ｏ’Ｈａｇｉｎ換気口）を屋根被覆材に直接用いることができる。これらの解決策は、自然対流および風を使用して断熱材が（気候帯に関係なく）水分の蓄積を回避することを可能にし得る。断熱材内の対流を制限するために、吹き込み断熱材で伝統的に行われているように、換気バッフルを屋根被覆材にステープル留めして、下端と棟換気口との間に連続的な空気間隙を提供することができる。別の実施形態では、対流を制限するために、屋根デッキの近くの断熱材の片側に仕上げ面を用いることができる。断熱材の反対側は、建築物の内側のスマート蒸気遅延剤を用いることができる。次いで、空気間隙が垂木自体の厚さによって確実にされる。例えば、典型的な２×４梁は、３．５インチの空気間隙を提供するであろう。他の例では、垂木が２×６または２×８梁である場合、換気バッフル、例えば、１．５インチの厚さを有する従来のバッフルを屋根デッキにステープル留めすることができる。用途によっては、断熱材の第１の層を垂木の間に配設することができ、断熱材の第２の層を垂木の下に配設して、断熱材のレベルを増加させ、垂木の下に設置される断熱材の厚さを低下させることができる。
【００４０】
いくつかのバージョンでは、図１０に示されるように、梁２０をトラスに対して直角に設置することができ、これは、熱橋を制限する。しかしながら、梁２０をトラスと平行に設置することもできる。
【００４１】
断熱材４４は、断熱空間３０内の梁２０のうちの隣接するものに、およびそれらの間に装着される断熱バットをさらに備え得る。断熱材４４の断熱バットの各々は、断熱材料と、梁２０の遠位端部２６に面する外層４６とを含み得る。外層４６の例は、（米国建築物基準で露出表面に必要とされる）防火クラスＡ（ｆｉｒｅ  ｃｌａｓｓ  Ａ）、スマート蒸気遅延剤（ＳＶＲ）、およびクラフト紙のうちの少なくとも１つを含み得る。代替的に、断熱材４４のバットは、１つ以上の外層に面していなくてもよい。
【００４２】
本システムの実施形態は、第１のテープ４８をさらに含み得る。例えば、第１のテープ４８としては、例えば、ミネソタ州セントポールの３Ｍ  Ｃｏｍｐａｎからの３Ｍ  ８０６７テープなどの全天候用点滅テープ、またはペンシルベニア州マルバーンのＣｅｒｔａｉｎＴｅｅｄからのＣｅｒｔａＴａｐｅが挙げられ得る。本システムのバージョンは、梁２０の遠位端部２６と断熱バットの外層４６とに適用される第１のテープ４８を含み得る。
【００４３】
第１のテープ４８を使用して、本システムの構成要素間に気密障壁を形成することができる。かかる気密障壁は、ＡＣＨ５０＜３の気密性を含み得る。本システムの他の実施形態では、気密性および気密障壁は、ＡＣＨ５０＜２．５を含み得る。他のバージョンは、ＡＣＨ５０＜２．５、例えば、ＡＣＨ５０＜２．０、ＡＣＨ５０＜１．６、ＡＣＨ５０＜１．０、ＡＣＨ５０＜０．８、またはさらにはＡＣＨ５０＜０．６を含み得る。さらに他の例では、気密性および気密障壁は、これらの値のいずれかの間の範囲内にあり得る。
【００４４】
本システムのいくつかのバージョンでは、本システムの材料は、断熱材４４を形成する断熱バット以外、梁２０のうちの隣接するものの間には延在しない。例えば、本システムは、断熱材４４の真下に他の支持部材または支持構造、例えば、ストラップ材、シート障壁などを含み得ない。断熱材４４の仕上げ面を梁２０にステープル留めすることができる。仕上げ面の表面を、バット間の接合部を正しくテープ留めするために追加の断片が必要とされないような方法で真っ直ぐに引っ張ることができる。しかしながら、本システムの他のバージョンは、梁２０の軸に対して直角な当接バット接合部の間にテープ４８のバットのみのストリップ（ｂａｔｔ−ｏｎｌｙ  ｓｔｒｉｐ）（図１２）を含み得る。一例では、バットのみのテープストリップが梁２０のうちの隣接するものの間に延在する。いくつかのバージョンでは、断熱材４４のバットは、テープ留めする前に最初に梁２０にステープル留めされ得る。
【００４５】
いくつかの用途では、屋根裏４０の突出部５０（図１０、１１、および１３）は、断熱材４４のバットを通って延在し得る。例えば、突出部５０は、屋根をさらに支持するトラス部材などの他の構造部材を含み得る。突出部５０の他の例としては、換気管、配管構成要素、ダクト、導管、または屋根裏内にもしくは屋根の近くに通常見られる他の構造を挙げることができる。テープ４８を突出部５０と断熱材４４のバットとの間に適用することができる。テープ４８は、これらの構成要素間に気密障壁を形成し得る。気密障壁のバージョンは、本明細書の他の箇所に記載されているように、ＡＣＨ５０＜３以下を含む。
【００４６】
本システムの他の実施形態は、第１のテープ４８とは異なる第２のテープ５２をさらに含み得る。例えば、第２のテープ５２としては、ストレッチテープを挙げることができる。ストレッチテープは、少なくとも約１００％の伸長能力を含み得る。ストレッチテープの例としては、ペンシルベニア州マルバーンのＣｅｒｔａｉｎＴｅｅｄによるＣｅｒｔａＦｌａｓｈストレッチテープ、デラウェア州ウィルミントンのＤｕＰｏｎｔからのＩｓｏｓｔｒｅｔｃｈテープ、またはノースカロライナ州シャーロットのＨｕｂｅｒ  Ｅｎｇｉｎｅｅｒｅｄ  Ｗｏｒｄｓから入手可能なＺＩＰシステムストレッチテープを挙げることができる。第２のテープ５２を突出部５０と断熱材４４のバットとの間に適用して構成要素間に気密障壁を形成することができる。気密障壁は、本明細書の他の箇所に記載されているように、ＡＣＨ５０＜３以下を含む。
【００４７】
建築物の屋根裏４０を断熱する方法の実施形態も開示される。例えば、本方法は、軸方向の細長い外形を備える梁２０を提供することを含み得る。本方法のバージョンは、梁２０の近位端部２４のみを垂木４２に緊結することを含み得る。一部の実施形態では、本方法は、梁２０のうちの隣接するものの遠位端部２６に断熱材４４の断熱バットを位置決めすることを含む。断熱材４４のバットの各々は、断熱材料と、梁２０の遠位端部２６に面する外層４６とを含み得る。外層４６は、本明細書に記載されているように、ＡＣＨ５０＜３以上の気密性を含み得る。
【００４８】
本方法の例は、第１のテープ４８を梁２０の遠位端部２６、および断熱材４４のバットの外層４６に適用することをさらに含み得る。本明細書に記載されているように、これらの構成要素間に気密障壁を形成することができる。先に論じられるように、気密障壁は、ＡＣＨ５０＜３の気密性を含む。一実施形態では、本方法は、断熱バット以外、梁のうちの隣接するものの間に材料を延在させないことをさらに含み得る。
【００４９】
図１７は、第２のテープ５２の裏面側の一実施形態を示しており、予め開裂されたセグメント２０１〜２０５の中のその剥離ライナを示している。セグメント２０１〜２０５を系統的に除去し、（本明細書に記載されているように）断熱バットを通って延在する突出部５０（図１３）に第２のテープ５２を適用して実質的に気密なシールを形成することは、設置速度および効率を大幅に高める。
【００５０】
例えば、ステップの次の順序は、第２のテープ５２の適用の方法の一実施形態を表す。１つのバージョンでは、セグメント２０４が最初に除去される。セグメント２０４は、それが１．５インチの幅を有する突出部（例えば、垂木、トラスなど）に適用されその周りを回ることができるように、約２インチの幅である。セグメント２０４を除去した状態で、第２のテープ５２を突出部の前面に適用することができる。次に、第２のテープ５２が突出部の側部で引き伸ばされ得るように、セグメント２０３および２０５が除去される。最後のステップでは、セグメント２０１および２０２が除去され、第２のテープ５２が断熱バットの仕上げ面に引き伸ばされる。
【００５１】
代替の実施形態では、第２のテープ５２の裏面の剥離ライナは、長さ方向に単一の二等分スリットを含み得る。この例では、ライナの底部半分（セグメント２０３〜２０５の組み合わせに相当）を最初に除去することができる。次に、第２のテープ５２が引き伸ばされて、突出部に適用されることになる。次に、ライナの頂部半分（セグメント２０１と２０２との組み合わせに相当）が除去され、第２のテープ５２が引き伸ばされて、断熱バットに適用されることになる。
【００５２】
図１４〜１６は、吊設具の代替の実施形態を示す。かかる吊設具は、軸１２２、および軸方向の外形、を有する梁１２０を含み得る。外形は、軸方向に細長く、かつ実質的に平面状である遠位端部１２６を含み得る。外形は、遠位端部１２６から延在するストラップ１２８をさらに含み得る。ストラップ１２８は、実質的に平面状であり、かつ遠位端部１２６に対して直角であり得る。しかしながら、ストラップ１２８は、依然として平面状であり、かつ遠位端部１２６に対して直角のままでありながら、それらのそれぞれの軸を中心として任意の角度に向けられ得る。他の実施形態では、ストラップ１２８は、それらがそれぞれの軸の周りにねじれを含むように、非平面状であり得る。例えば、ねじれは、約１度〜約９０度の範囲であり得る。
【００５３】
各ストラップ１２８はまた、平面状であり、かつそれぞれの屋根裏の垂木１４２に連結されるように構成された近位端部１２４を含み得る。近位端部１２４と遠位端部１２６との間でストラップ１２８に沿って断熱空間１３０が画定され得る。遠位端部１２６は、断熱空間１３０内に位置する断熱材の１つ以上のバットに連結されるように構成され得る。
【００５４】
図１４に示されるように、近位端部１２４は、遠位端部１２６に対して実質的に平行であり得る。近位端部１２４は、設置時に屋根デッキに対して実質的に平行であるように構成され得る。図１４では、近位端部１２４は、垂木１４２の底部表面にのみ取り付けられるように構成され得る。
【００５５】
図１５では、近位端部１２４およびストラップ１２８の一部は、遠位端部１２６に対して実質的に直角であるように示されている。近位端部１２４の他の部分は、遠位端部１２６と平行であり得る。ストラップ１２８によって画定される平面は、垂木１４２の軸方向長さに沿って画定される垂直平面に対して直角であるように構成され得る。しかしながら、図１６に示されるように、ストラップ１２８によって画定される平面は、垂木１４２の軸方向長さに沿って画定される垂直平面と平行であるように構成され得る。
【００５６】
図１５および１６では、近位端部１２４は、垂木１４２の底部表面および側部表面に、または垂木１４２の側部表面にのみ取り付けられるように構成され得る。他のバージョンでは、近位端部１２４は、垂木１４２の露出表面を包囲し得る。近位端部１２４の代替の実施形態は、梁１２０の位置決めをより容易にするためのストッパを備え得る。例えば、いくつかのバージョンでは、梁１２０は、垂木１４２に押し付けられ得、ストッパのために正しい位置で止まり、梁１２０の位置をさらに測定する必要はない。
【００５７】
ストラップを有する梁はまた、より小さな表面接触を提供し、より高い曲げ応力を有し得る。ストラップを有する梁は、Ｔ字形押出または射出成形形状を含み得る。しかしながら、かかる設計は、ストラップと垂木との間の接合部を補強し、それら自体の重量下での曲げに対してよりよい機構を提供し得る。いくつかのバージョンでは、断熱材のバットは、穴および熱橋を回避するために切断または開裂されなければならないことがある。
【００５８】
かかる吊設具設計の実施形態は、約１／３２インチ、約１／１６インチ、または約１／８インチなどの選択された厚さを含み得る。好適な材料は、例えば、ポリ塩化ビニル（ＰＶＣ）、発泡ＰＶＣ、ＣＰＶＣ、充填剤で強化されたＰＶＣ（例えば、ＣａＣＯ３、ガラス繊維など）、およびガラス強化アクリロニトリルブタジエンスチレン（ＡＢＳ）を含み得る。
【００５９】
屋根裏の頂部に隣接して断熱するための代替のシステム、方法、および装置の実施形態が開示される。例えば、図１７および２７〜３０は、地震安全要件によって規制されている地理的領域に非常に適している。地震領域では、断熱吊設具が吊設具と屋根裏構造との間に固定された接合部を有するように断熱吊設具を支えることはできない。換言すれば、吊設具および屋根裏構造は、独立して移動しなければならない。したがって、本設計は、地震規制に準拠するだけでなく、構成要素の熱収縮および膨張にも適応する摺動表面を用いる。これらの実施形態は、より軽量であり、屋根の温度変動に対してより柔軟であり得る。これらの設計は、水分および熱で移動し得る垂木に取り付けられた連続的な梁よりも釘が飛び出すリスクを下げことができる。それらはまた、トラスが独立して移動し、屋根により多くの弾性を与えて振動を吸収することを可能にするために地震領域に必要とされる、トラス間の支えを低減する。
【００６０】
図１８は、屋根裏の垂木に梁１８２０を取り付けるシステムおよび方法の一実施形態を示す。例えば、梁１８２０は、近位端部１８２４、遠位端部（図示せず）、ウェブ１８２８、および断熱空間１８３０を含み得る。近位端部１８２４は、リブ１８０１のような特徴を含み得る。リブ１８０１の実施形態は、近位端部１８２４の一方の側から延在し得る。リブ１８０１は、近位端部１８２４に向かって折り返すリップ１８０３で終端し得る。
【００６１】
加えて、システムの実施形態は、ブラケット１８１１を含み得る。図１８の左側のブラケット１８１１は、理解を容易にするために部分的に断面で示される。各ブラケット１８１１は、垂木に取り付けるための特徴を備え得る。例えば、特徴は、垂木を（例えば、締まりばめを介して）密接に受容するための垂木クリップ１８１３を含み得る。垂木クリップ１８１３は、恒久的な取り付けの前にブラケット１８１１の重量を支持することを可能にすることができる。１つのバージョンでは、垂木クリップ１８１３は、ステープルまたはネジなどの緊結具を用いて垂木にさらに固設され得る。
【００６２】
別の例では、クリップ１８１３は、追加の緊結具を使用せずに、梁の重量および断熱材を保持するための歯などを含み得る。ブラケット１８１１は、垂木上の線（例えば、チョークまたはレーザ線）に沿って位置合わせされ得る。別の実施形態では、梁１８２０の端部の最も外側のブラケット１８１１を梁１８２０に予め取り付けることができ、次いで、ブラケット１８１１を垂木に取り付ける。第２または第３のトラスごとなど、追加のブラケット１８１１を追加することができる。ブラケット１８１１を梁１８２０に予め取り付けることは、チョーク線またはレーザを使用する必要なしに、わずかな位置ずれの小さなリスクのみで、本システムの全ての要素の迅速な位置合わせを可能にする、先に記載されるＪ型梁と同様の利点を提供し得る。
【００６３】
ブラケット１８１１の実施形態は、梁１８２０がブラケット１８１１内にクリップ留めされるように、近位端部１８２４のリブ１８０１など、近位端部１８２４の少なくとも一部を受容し得る。一部の実施形態では、梁１８２０を固設するために追加の工具または緊結具は必要とされない。これは、熱膨張または収縮に対する梁１８２０の移動を可能にし、地震用の支えを回避する。
【００６４】
ブラケット１８１１のバージョンは、リブ１８０１を受容するためのリブクリップ１８１５を含み得る。リブクリップ１８１５は、歯（単数または複数）１８１７などの係合特徴を備え得る。歯１８１７を提供して、リップ１８０３をリブクリップ１８１５内に係合しさらに固設することができる。
【００６５】
図２７は、この設計の代替のバージョンをブラケット１８５１として示す。示されるように、ブラケット１８５１も屋根裏の垂木１８４２に装着されるように構成されている。リブクリップ１８５５の上部部分１８５６は、ブラケット１８１１の上部部分よりも延在している。ブラケット１８１１と同様に、ブラケット１８５１は梁１８２０のリブ１８０１に係合する。しかしながら、上部部分１８５６は、ブラケット１８１１よりも梁１８２０のさらにより近位端部１８２４にさらに係合するように構成されている。ブラケット１８５１は、その他の点ではブラケット１８１１に関して本明細書に記載されているように構成され得る。
【００６６】
図２８および２９は、吊設具２８２０の別の実施形態を示す。吊設具２８２０はまた、リブ２８０１を備える近位端部２８２４と、遠位端部２８２６と、ウェブ２８２８とを有するＪ型梁設計である。いくつかのバージョンでは、ウェブ２８２８の長さＬｗは、ブラケット１８５１の長さＬｂ（図２７）に一致するように寸法決めされ得る。加えて、遠位端部２８２６は、小さな垂直フランジ２８２７を備え得る。図３０に示されるように、フランジ２８２７は、ウェブ２８２８と平行であり得、ブラケット１８５１の下部縁部１８６１を捕捉するように構成され得る。したがって、フランジ２８２７は、設置角度にかかわらず、ブラケット１８５１によって吊設具２８２０を安定化および拘止するのを助ける。
【００６７】
かかる吊設具設計の実施形態は、約１／３２インチ、約１／１６インチ、または約１／８インチなどの選択された厚さを含み得る。好適な材料は、例えば、ポリ塩化ビニル（ＰＶＣ）、発泡ＰＶＣ、ＣＰＶＣ、充填剤で強化されたＰＶＣ（例えば、ＣａＣＯ３、ガラス繊維など）、およびガラス強化アクリロニトリルブタジエンスチレン（ＡＢＳ）を含み得る。
【００６８】
図１９および２０は、吊設具の別の実施形態を示す。梁１９２０は、垂木に連結されるように構成された近位端部１９２４と、近位端部１９２４から離間された遠位端部１９２６と、近位端部１９２４と遠位端部１９２６との間に延在する断熱空間１９３０を有するウェブ１９２８（例えば、示されるウェブセグメント）とを含み得る。近位端部１９２４は、使用中に熱サイクル、膨張、および収縮に供されるので、示されるようにまたは他のセグメント化構成でセグメント化され得る。代替的に、近位端部１９２４は、単一の連続構造を含み、低い熱膨張率を有する材料から形成され得る。
【００６９】
梁１９２０の実施形態はまた、ウェブ１９２８が近位端部１９２４および遠位端部１９２６に対して実質的に直角である設置位置（図２）を含み得る。加えて、梁１９２０は、ウェブ１９２８がもはや近位端部１９２４および遠位端部１９２６に対して実質的に直角ではないように、梁１９２０が（例えば、枢動点を中心として）少なくとも部分的に重畳される重畳位置（図２０）を含み得る。
【００７０】
任意選択で、梁１９２０は、いったん重畳位置から設置位置に向かってまたは設置位置に移動されると、１つ以上の場所に係止されて、再び重畳されるのを防止するように構成され得る。いくつかの目的のために重畳位置を使用することができる。例えば、完全に重畳された場合、近位端部１９２４、遠位端部１９２６、およびウェブ１９２８は、互いにほぼまたは実質的に平行であり得る。完全に重畳された位置は、包装および出荷に好適であり得る。梁１９２０はまた、部分的に重畳された様々な位置を含み得、それらの各々は、係止特徴または機構によってさらなる移動から固設され得る。かかる部分的に重畳された位置は、様々な厚さの断熱材に適応するのに好適であり得る。例えば、図２０の位置では、梁１９２０は、設置位置において約１０インチの断熱材の代わりに、約６インチの断熱材を支持するのに好適であり得る。
【００７１】
図２１〜２４は、図１９および２０の代替の実施形態を示す。梁２１２０は、近位端部２１２４と、遠位端部２１２６と、ウェブ２１２８（例えば、示されるようにウェブセグメント）とを含み得る。近位端部２１２４は、示されるようにまたは他のセグメント化構成でセグメント化され得る。代替的に、近位端部２１２４は、単一の連続構造を含み、低い熱膨張率を有する材料から形成され得る。
【００７２】
梁２１２０の実施形態はまた、ウェブ２１２８が近位端部２１２４および遠位端部２１２６に対して実質的に直角である設置位置（図２１および２４）を含み得る。加えて、梁２１２０は、ウェブ２１２８がもはや近位端部２１２４および遠位端部２１２６に対して実質的に直角ではないように、梁２１２０が（例えば、枢動点を中心として）少なくとも部分的に重畳される重畳位置（図２２）を含み得る。
【００７３】
任意選択で、梁２１２０は、いったん重畳位置から設置位置に向かってまたは設置位置に移動されると、１つ以上の場所に係止されて、再び重畳されるのを防止するように構成され得る。例えば、図２３は、選択された位置で遠位端部２１２６内の穴にスナップ嵌合するように構成され得る片持ち戻り止め２１２９を有するウェブ２１２８のウェブセグメントを示す。梁２１２０が（本明細書の他の箇所に記載されるように）屋根裏のジョイスト２１４２（図２４）上に設置されると、隣接する梁２１２０のいくつかの実施形態は、示されるように、レール２１５１によって一緒に強化され得る。
【００７４】
図２５および２６は、吊設具のさらに他の実施形態を示す。各吊設具は、他の実施形態に関して本明細書の他の箇所に記載されるように、近位端部２５２４、ウェブ２５２８、および遠位端部２５２６を有する梁２５２０を含む。いくつかの例では、近位端部２５２４のうちの隣接するものの間の中心間の水平距離は、約８インチであり得る。この構成により、梁２５２０を、約１６インチまたは約２４インチの中心間トラス分離を有する従来の屋根設計に取り付けることが可能になる。
【００７５】
梁２５２０のウェブ２５２８は、遠位端部２５２６の全長を跨ぐ中実部部分２５２９と、近位端部２５２４のそれぞれに係合するセグメント化部分２５３１との両方を含み得る。各梁２５２０はまた、近位端部２５２４から中実部分２５２９まで延在する空隙２５３３を含む。図２５では、空隙２５３３は、図２６の空隙よりも浅い。
【００７６】
動作時の梁３１００の実施形態を図３１に示す。梁３１０は、本明細書に開示される梁のいずれかであり得る。各梁３１００は、ポリマーを含み得る。例えば、梁３１００は、次の材料のうちの１つ以上を含み得る。熱可塑性プラスチック、射出成形プラスチック、未使用ポリ塩化ビニル（ＰＶＣ）、再生ＰＶＣ、発泡ＰＶＣ、ＣＰＶＣ、アクリロニトリルブタジエンスチレン（ＡＢＳ）、ポリエーテルエーテルケトン（ＰＥＥＫ）、ポリメチルメタクリレート（ＰＭＭＡ）、ポリイミド、熱可塑性オレフィン（ＴＰＯ）、ナイロンなど、および前述の材料のガラス強化バージョン。梁３１００のバージョンは、ポリマーのみからなり得る。一部の実施形態では、梁３１００の少なくとも一部は、押出成形および射出成形のうちの少なくとも１つであり得る。梁３１００の例は、例えば、手ばさみのような手動工具を用いて容易に切断され得る。一例では、梁３１００は、金属製ではない。梁３１００内の孔または穴を用いて、その重量を低減し、熱橋の問題を低減することができる。
【００７７】
他の実施形態では、梁３１００の一部は、異なる材料などの２つ以上の材料から形成され得る。例えば、梁３１００の第１の部分はガラス強化ＰＶＣを含み得、梁の第２の部分はＰＶＣを含み得る。梁３１００の一部は、異なる熱膨張率を有し得る。
【００７８】
梁３１００のバージョンは、特定の熱膨張率（ＣＴＥ）を含み得る。例えば、ＣＴＥは、約１００Ｅ−０６ｉｎ／（ｉｎ．Ｆ）以下、例えば、約８０Ｅ−０６ｉｎ／（ｉｎ．Ｆ）以下、約６０Ｅ−０６ｉｎ／（ｉｎ．Ｆ）以下、約５０Ｅ−０６ｉｎ／（ｉｎ．Ｆ）以下、約４０Ｅ−０６ｉｎ／（ｉｎ．Ｆ）以下、約３０Ｅ−０６ｉｎ／（ｉｎ．Ｆ）以下、約２０Ｅ−０６ｉｎ／（ｉｎ．Ｆ）以下、またはさらに約１０Ｅ−０６ｉｎ／（ｉｎ．Ｆ）以下であり得る。他の例では、ＣＴＥは、これらの値のいずれかの間の範囲内にあり得る。
【００７９】
一部の実施形態では、梁３１００は、屋根裏トラス設計による曲げモーメントに供され得る。例えば、最大許容変形量を次の説明によって表現することができる。梁が水平に位置決めされ、その近位端部で垂木に取り付けられた状態で、梁の各直線脚部に対して、梁の近位端部から１０インチの遠位端部に０．５ｌｂの負荷を加えると、約２インチ以下の最大垂直偏向を与えるであろう。これは、約５度の角度または偏向に対応する。他の実施形態では、最大垂直偏向は、約１インチ以下、またはさらには約０．１インチ以下（すなわち、知覚される変形なし）であり得る。
【００８０】
梁３１００は、約１フィート〜約２０フィートの間の任意の長さを有し得る。いくつかのバージョンでは、梁３１００の長さは、一人だけでの取り扱いをよりよく可能にするために約６フィート〜約８フィートであり得る。梁は、屋根裏トラスおよび外側屋根被覆材を設置するフレーマによって設置され得る。断熱請負業者は、断熱材およびテープを設置し得る。かかる設置は、より長いバージョンの梁２０（例えば、８フィート以上）にとって好ましい場合がある。より短いバージョンの梁（例えば、８フィート未満）の場合、断熱請負業者にとっては、梁２０および断熱材の両方を設置することが好ましい場合がある。
【００８１】
ウェブの例は、その自重下で、最大偏向を有し得る。いくつかのバージョンでは、ウェブの最大偏向は、近位端部および遠位端部に関して法線に対して約１０度であり得る。他の例では、最大偏向は、約８度、例えば、約６度、約５度、約４度、約３度、約２度、またはさらには約１度であり得る。他の例では、最大偏向は、これらの値のいずれかの間の範囲内にあり得る。
【００８２】
梁３１００の例は、重量、熱膨張率、収縮量、および熱橋の問題を低減するために穿孔されていてもよい。いくつかのバージョンでは、近位端部は、穿孔を含み得る。穿孔の実施形態は、平行な列のスリットを含み得る。スリットは、丸みを帯びた長円形および長方形のうちの少なくとも１つであり得る。一例では、ウェブは、穿孔されていてもよい。別の例では、遠位端部は、穿孔されていない。
【００８３】
梁３１００の例は、ポリマー材料などの単一層の材料を含み得る。材料は、軸方向に最終断面形状に重畳されるかまたは熱成形され得る。加えて、最終断面形状は、リブ付き縁部を用いて接着、超音波溶接、またはヒートステークされ得る。代替的に、梁３１００は、異形押出として形成され得る。
【００８４】
図３１および３２は、建築物の屋根裏３１４０を断熱するためのシステムの実施形態を示す。建築物は、屋根デッキを備える屋根と、屋根裏３１４０の内側で屋根デッキを支持する垂木３１４２とを含み得る。本システムは、屋根裏３１４０内で断熱材３１４４を支持するための梁３１００を含み得る。梁３１００は、本明細書に記載の実施形態のいずれかによる特徴を含み得る。梁３１００を垂木３１４２に横断させることができる。梁３１００の近位端部は、ステープル、釘、またはネジなどの緊結具を用いて垂木３１４２に装着され得る。本システムは、屋根デッキとシステムの上部部分との間に換気空気間隙３１４３をさらに含み得る。
【００８５】
一部の実施形態では、断熱材は、垂木３１４２の下に配設され得、換気空気間隙３１４３は、下端と屋根頂部の棟換気口との間に位置し得る。代替的に、換気開口部（例えば、Ｏ’Ｈａｇｉｎ換気口）を屋根被覆材に直接用いることができる。これらの解決策は、自然対流および風を使用して断熱材が（気候帯に関係なく）水分の蓄積を回避することを可能にし得る。断熱材内の対流を制限するために、吹き込み断熱材で伝統的に行われているように、換気バッフルを屋根被覆材にステープル留めして、下端と棟換気口との間に連続的な空気間隙を提供することができる。別の実施形態では、対流を制限するために、屋根デッキの近くの断熱材の片側に仕上げ面を用いることができる。断熱材の反対側は、建築物の内側のスマート蒸気遅延剤を用いることができる。次いで、空気間隙が垂木自体の厚さによって確実にされる。例えば、典型的な２×４梁は、３．５インチの空気間隙を提供するであろう。他の例では、垂木が２×６または２×８梁である場合、換気バッフル、例えば、１．５インチの厚さを有する従来のバッフルを屋根デッキにステープル留めすることができる。用途によっては、断熱材の第１の層を垂木の間に配設することができ、断熱材の第２の層を垂木の下に配設して、断熱材のレベルを増加させ、垂木の下に設置される断熱材の厚さを低下させることができる。
【００８６】
いくつかのバージョンでは、図３１に示されるように、梁３１００をトラスに対して直角に設置することができ、これは、熱橋を制限する。しかしながら、梁３１００をトラスと平行に設置することもできる。
【００８７】
断熱材３１４４は、断熱空間１４３０内の梁３１００のうちの隣接するものに、およびそれらの間に装着される断熱バットをさらに備え得る。断熱材３１４４の断熱バットの各々は、断熱材料と、梁３１２０の遠位端部に面する外層３１４６とを含み得る。外層３１４６の例は、（米国建築物基準で露出表面に必要とされる）防火クラスＡ、スマート蒸気遅延剤（ＳＶＲ）、およびクラフト紙のうちの少なくとも１つを含み得る。代替的に、断熱材３１４４のバットは、１つ以上の外層に面していなくてもよい。
【００８８】
本システムの実施形態は、第１のテープ３１４８をさらに含み得る。例えば、第１のテープ３１４８としては、例えば、ミネソタ州セントポールの３Ｍ  Ｃｏｍｐａｎからの３Ｍ  ８０６７テープなどの全天候用点滅テープ、またはペンシルベニア州マルバーンのＣｅｒｔａｉｎＴｅｅｄからのＣｅｒｔａＴａｐｅが挙げられ得る。本システムのバージョンは、梁３１００の遠位端部と断熱バットの外層３１４６とに適用される第１のテープ３１４８を含み得る。
【００８９】
第１のテープ３１４８を使用して、本システムの構成要素間に気密障壁を形成することができる。かかる気密障壁は、ＡＣＨ５０＜３の気密性を含み得る。本システムの他の実施形態では、気密性および気密障壁は、ＡＣＨ５０＜２．５を含み得る。他のバージョンは、ＡＣＨ５０＜２．５、例えば、ＡＣＨ５０＜２．０、ＡＣＨ５０＜１．６、ＡＣＨ５０＜１．０、ＡＣＨ５０＜０．８、またはさらにはＡＣＨ５０＜０．６を含み得る。さらに他の例では、気密性および気密障壁は、これらの値のいずれかの間の範囲内にあり得る。
【００９０】
本システムのいくつかのバージョンでは、本システムの材料は、断熱材３１４４を形成する断熱バット以外、梁３１００のうちの隣接するものの間には延在しない。例えば、本システムは、断熱材３１４４の真下に他の支持部材または支持構造、例えば、ストラップ材、シート障壁などを含み得ない。断熱材３１４４の仕上げ面を梁３１００にステープル留めすることができる。仕上げ面の表面を、バット間の接合部を正しくテープ留めするために追加の断片が必要とされないような方法で真っ直ぐに引っ張ることができる。しかしながら、本システムの他のバージョンは、梁３１００の軸に対して直角な当接バット接合部の間にテープ３１４８のバットのみのストリップ（図３３）を含み得る。一例では、バットのみのテープストリップが梁３１００のうちの隣接するものの間に延在する。いくつかのバージョンでは、断熱材３１４４のバットは、テープ留めする前に最初に梁３１００にステープル留めされ得る。
【００９１】
いくつかの用途では、屋根裏３１４０の突出部３１５０（図３１、３２、および３４）は、断熱材３１４４のバットを通って延在し得る。例えば、突出部３１５０は、屋根をさらに支持するトラス部材などの他の構造部材を含み得る。突出部３１５０の他の例としては、換気管、配管構成要素、ダクト、導管、または屋根裏内にもしくは屋根の近くに通常見られる他の構造を挙げることができる。テープ３１４８を突出部３１５０と断熱材３１４４のバットとの間に適用することができる。テープ３１４８は、これらの構成要素間に気密障壁を形成し得る。気密障壁のバージョンは、本明細書の他の箇所に記載されているように、ＡＣＨ５０＜３を含む。
【００９２】
本システムの他の実施形態は、第１のテープ３１４８とは異なる第２のテープ３１５２をさらに含み得る。例えば、第２のテープ３１５２としては、ストレッチテープを挙げることができる。ストレッチテープは、少なくとも約１００％の伸長能力を含み得る。ストレッチテープの例としては、ペンシルベニア州マルバーンのＣｅｒｔａｉｎＴｅｅｄによるＣｅｒｔａＦｌａｓｈストレッチテープ、デラウェア州ウィルミントンのＤｕＰｏｎｔからのＩｓｏｓｔｒｅｔｃｈテープ、またはノースカロライナ州シャーロットのＨｕｂｅｒ  Ｅｎｇｉｎｅｅｒｅｄ  Ｗｏｒｄｓから入手可能なＺＩＰシステムストレッチテープを挙げることができる。第２のテープ３１５２を突出部３１５０と断熱材３１４４のバットとの間に適用して構成要素間に気密障壁を形成することができる。気密障壁は、本明細書の他の箇所に記載されているように、ＡＣＨ５０＜３以下を含む。
【００９３】
建築物の屋根裏３１４０を断熱する方法の実施形態も開示される。例えば、本方法は、軸方向の細長い外形を備える梁３１００を提供することを含み得る。本方法のバージョンは、梁３１００の近位端部２４またはブラケットのみを垂木３１４２に緊結することを含み得る。一部の実施形態では、本方法は、梁３１００のうちの隣接するものの遠位端部に断熱材３１４４のバットを位置決めすることとを含む。断熱材３１４４のバットの各々は、断熱材料と、梁３１００の遠位端部に面する外層３１４６とを含み得る。外層３１４６は、本明細書に記載されているように、ＡＣＨ５０＜３の気密性を含み得る。
【００９４】
本方法の例は、第１のテープ３１４８を梁３１００の遠位端部、および断熱材３１４４のバットの外層３１４６に適用することをさらに含み得る。本明細書に記載されているように、これらの構成要素間に気密障壁を形成することができる。先に論じられるように、気密障壁は、ＡＣＨ５０＜３の気密性を含む。一実施形態では、本方法は、断熱バット以外、梁のうちの隣接するものの間に材料を延在させないことをさらに含み得る。
【００９５】
図３５は、第２のテープ３１５２の裏面側の一実施形態を示しており、予め開裂されたセグメント３５０２〜３５１０の中のその剥離ライナを示している。セグメント３５０２〜３５１０を系統的に除去し、（本明細書に記載されているように）断熱バットを通って延在する突出部３１５０（図３４）に第２のテープ３１５２を適用して実質的に気密なシールを形成することは、設置速度および効率を大幅に高める。
【００９６】
例えば、ステップの次の順序は、第２のテープ３１５２の適用の方法の一実施形態を表す。１つのバージョンでは、セグメント３５０８が最初に除去される。セグメント３５０８は、それが１．５インチの幅を有する突出部（例えば、垂木、トラスなど）に適用されその周りを回ることができるように、約２インチの幅である。セグメント３５０８を除去した状態で、第２のテープ３１５２を突出部の前面に適用することができる。次に、第２のテープ３１５２が突出部の側部で引き伸ばされ得るように、セグメント３５０６および３５１０が除去される。最後のステップでは、セグメント３５０２および３５０４が除去され、第２のテープ３１５２が断熱バットの仕上げ面に引き伸ばされる。
【００９７】
代替の実施形態では、第２のテープ３１５２の裏面の剥離ライナは、長さ方向に単一の二等分スリットを含み得る。この例では、ライナの底部半分（セグメント３５０６〜３５１０の組み合わせに相当）を最初に除去することができる。次に、第２のテープ３１５２が引き伸ばされて、突出部に適用されることになる。次に、ライナの頂部半分（セグメント３５０２と３５０４との組み合わせに相当）が除去され、第２のテープ３１５２が引き伸ばされて、断熱バットに適用されることになる。
【００９８】
閉所空間を断熱するためのシステム、方法、および装置、または吊設具の実施形態が開示される。一変形例では、閉所空間は屋根裏であり得る。例えば、図３６は、屋根デッキ３６２５を備える屋根３６２３を有する断熱システム３６２１を示す。家の屋根裏は、屋根デッキ３６２５の真下に位置し得る。梁または垂木３６２７は、屋根裏の内側で屋根デッキ３６２５を支持し得る。外装屋根葺き製品３６２９は、梁３６２７と反対側の屋根デッキ３６２５に装着され得る。一実施形態では、デッキ３６２５は屋根裏床デッキであり得、梁３６２７は床接合部であり得る。一実施形態では、デッキ３６２５は屋根裏側壁パネルであり得、梁３６２７は側壁梁であり得る。
【００９９】
加えて、吊設具３６４１を屋根裏内で断熱材３６４３を支持するために使用することができる。いくつかのバージョンでは、断熱システム３６２１は、１つ以上の障壁３６３１を含み得る。吊設具３６４１の実施形態は、第１の端部３６４５および第２の端部３６４７を有する吊設具本体を含み得る。一部の実施形態では、断熱空間は、障壁３６３１の内側の第１および第２の端部３６４５、３６４７と梁３６２７との間の空間を含み得る。一部の実施形態では、断熱空間は、障壁３６３１と梁３６２７との間の空間を含み得る。一部の実施形態では、断熱空間は、障壁３６３１とデッキ３６２５との間の空間を含み得る。断熱空間は、断熱材３６４３を少なくとも部分的に包含し得る。
【０１００】
一実施形態では、障壁３６３１は、断熱空間からの断熱材３６４３の移動を防止する任意の障害物として画定され得る。障壁３６３１の実施形態は、スタッド、レール、押縁、ストラップ材、石膏ボード、格子（状のスタッド、厚板、もしくは別の構成要素）、ネット、仕上げ面（断熱材のもしくは他の仕上げ面を含む）、メッシュ、コーティングされたもしくはコーティングされていない布帛、不織布もしくは織布、液体混合物から作製された障壁、テープ、膜、断熱材のクラフト直面バット（ｋｒａｆｔ−ｆａｃｅｄ  ｂａｔｔ）、またはそれらの組み合わせを含み得るか、あるいは別のタイプであり得る。いくつかの例では、障壁３６３１は、木材またはプラスチックから形成され得る。障壁３６３１はまた、開口ガラスメッシュ（ｏｐｅｎ  ｇｌａｓｓ  ｍｅｓｈ）、蒸気閉鎖ポリエチレン（ｖａｐｏｒ  ｃｌｏｓｅｄ  ｐｏｌｙｅｔｈｙｌｅｎｅ）、スマート蒸気遅延剤（ＳＶＲ）、またはそれらの組み合わせのうちの少なくとも１つを含み得る。障壁３６３１は、ガラス繊維、ストーンウール、またはセルロースのうちの少なくとも１つを含む吹き込み断熱材を支持し得る。加えて、障壁３６３１は、吹き込み断熱材の圧力を支持するガラスネットで強化され得る。さらに他のバージョンでは、障壁３６３１は、吊設具３６４１の第２の端部３６４７に装着された石膏ボードを含み得る。一例では、ＳＶＲは、石膏ボードに装着され得る。他のバージョンでは、障壁３６３１は、断熱材付属品３６４４を介して断熱材３６４３に取り付けられた仕上げ面を含み得る。断熱材付属品３６４４は、障壁３６３１に固設されるように適合され得るか、または緊結具３７１１を介して面するように適合され得る。緊結具３７１１は、釘、ステープル、ボルト、ネジ、接着剤、接着テープ（片面もしくは両面）、フック、フックアンドループ布帛システム、ピン、それらの組み合わせを含み得るか、または別のタイプであり得る。
【０１０１】
いくつかの実施形態では、梁３６２７は、実質的に平面状の細長いパネルであり得る。梁３６２７は、梁−吊設具取り付け構成要素３６３３を含み得る。梁−吊設具取り付け構成要素３６３３は、溝、平面状表面、張り出し部、もしくはそれらの組み合わせを含み得るか、または別のタイプであり得る。梁−吊設具取り付け構成要素３６３３は、梁３６２７を吊設具３６４１に連結、対形成、係合、または別様に取り付けるのを助け得る。
【０１０２】
いくつかの実施形態では、障壁３６３１は、実質的に平面状の細長いパネルであり得る。障壁３６３１は、梁−吊設具取り付け構成要素３６３５を含み得る。障壁−吊設具取り付け構成要素３６３５は、溝、平面状表面、張り出し部、もしくはそれらの組み合わせを含み得るか、または別のタイプであり得る。障壁−吊設具取り付け構成要素３６３５は、障壁３６３１を吊設具３６４１に連結、対形成、係合、または別様に取り付けるのを助け得る。
【０１０３】
図３６〜３７に示されるように、吊設具３６４１の実施形態は、軸３６４９を含み得る。少なくとも一実施形態では、軸方向中央部分３６５４は、吊設具３６４１の第１の端部３６４５と第２の端部３６４７との間に軸方向の空間を画定し得る。軸方向中央部分３６５４は、シャフトであり得る。いくつかの実施形態では、吊設具は、梁取り付け構成要素３６５１を含み得る。梁取り付け構成要素３６５１は、吊設具３６４１の第１の端部３６４５で吊設具３６４１を梁３６２７に連結、係合、固設、または取り付け得る。第１の端部３６４５は、梁取り付け構成要素３６５１を含み得る。梁取り付け構成要素３６５１は、梁３６２７の軸方向底部３６２６で吊設具３６４１を梁３６２７に連結し得る。梁取り付け構成要素３６５１は、緊結具３７１１を介して梁３６２７に固設されるように適合され得る。緊結具３７１１は、吊設具３６４１に連結されるかもしくはそれと一体の梁取り付け張り出し部、釘、ボルト、ステープル、ネジ、接着剤、テープ（片面もしくは両面）、フック、フックアンドループ、ピンを含み得るか、または別のタイプであり得る。いくつかの実施形態では、吊設具は、障壁取り付け構成要素３６５３を含み得る。障壁取り付け構成要素３６５３は、吊設具３６４１の第２の端部３６４７で吊設具３６４１を障壁３６３１に連結、係合、固設、または取り付け得る。第２の端部３６４７は、障壁取り付け構成要素３６５３を含み得る。障壁取り付け構成要素３６５３は、障壁３６３１の軸方向頂部３６３２で吊設具３６４１を障壁３６３１に連結し得る。障壁取り付け構成要素３６５１は、緊結具３７１１を介して障壁３６３１に固設されるように適合され得る。緊結具３７１１は、吊設具３６４１に連結されるかもしくはそれと一体の梁取り付け張り出し部、釘、ボルト、ステープル、ネジ、接着剤、テープ（片面もしくは両面）、フック、フックアンドループ、ピンを含み得るか、または別のタイプであり得る。
【０１０４】
いくつかの実施形態では、吊設具３６４１は、熱可塑性プラスチック、塩素化ポリマー、ポリオレフィン、アクリレート、アミド、エステル、ポリイミド、それらの組み合わせなどのプラスチックを含み得るか、または別のタイプであり得る。いくつかの実施形態では、吊設具３６４１は、射出成形可能であり得るかもしくは押出され得るポリマー、ポリマーブレンド、あるいはかかるポリマーの組成物または非繊維状および／もしくは繊維状形態の鉱物、ガラス、ポリマーおよび／もしくは天然充填剤とのブレンドを含み得る。一実施形態では、吊設具は、ポリメチルメタクリレート（ＰＭＭＡ）、アクリロニトリルブタジエンスチレン（ＡＢＳ）、スチレンアクリロニトリル（ＳＡＮ）、ポリカーボネート（ＰＣ）、ポリプロピレン、ポリオレフィン、ポリエチレン、ポリエステル、ポリアミド、ポリイミド、ポリ塩化ビニル（ＰＶＣ）、架橋ＰＶＣ、塩素化ポリ塩化ビニル（ＣＰＶＣ）、熱可塑性プラスチック、塩素化ポリマー、それらの組み合わせを含み得るか、または別のタイプであり得る。いくつかのバージョンでは、吊設具３６４１自体は、ゴム、セラミック、それらの組み合わせなどの非金属材料であり得るか、または別のタイプであり得る。一部の実施形態では、吊設具３６４１は、金属製であり得る。いくつかの変形例では、吊設具３６４１は、非金属製コーティングを有する金属製であり得る。非金属製コーティングは、本明細書に記載されているプラスチックを含み得る。他のバージョンでは、吊設具３６４１の一部分だけが熱橋を形成しないように金属製であり得る。いくつかの実施形態では、吊設具３６４１は、１Ｗ／ｍＫ以下の最大熱伝導率を有し得る。いくつかの実施形態では、吊設具３６４１は、０．５Ｗ／ｍＫ以下の熱伝導率を有し得る。いくつかの実施形態では、吊設具３６４１は、剛性であり、変形可能なように設計され得ない。いくつかの実施形態では、吊設具３６４１は、成形プロセスを通して形成され得る。特定の実施形態では、吊設具３６４１は、積層、鋳造、成形、押出などの当技術分野で想定されるかまたは知られている任意の方法によって溶融加工され得る。一実施形態では、吊設具３６４１を射出成形することができる。
【０１０５】
吊設具３６４１は、第１の端部３６４５と第２の端部３６４７との間の全長ＬＨを有し得る。全長ＬＨは、少なくとも１０ｍｍ、少なくとも２０ｍｍ、少なくとも５０ｍｍ、少なくとも１００ｍｍ、少なくとも２００ｍｍ、少なくとも５００ｍｍ、または少なくとも１０００ｍｍであり得る。全長ＬＨは、１０ｍｍ以下、２０ｍｍ以下、５０ｍｍ以下、１００ｍｍ以下、２００ｍｍ以下、または５００ｍｍ以下、または１０００ｍｍ以下であり得る。
【０１０６】
いくつかの実施形態では、図３７〜３８に示されるように、吊設具３６４１は、第１の面３６６０を有する梁取り付け構成要素３６５１を含み得る。第１の面３６６０は、第１の側部３６６１、第２の側部３６６３、第１の縁部３６６５、および第２の縁部３６６７を有し得る。第１の面３６６０は、頂部３７６１および底部３７６３を含み得る。第１の面３６６０は、軸３６４９と平行であり得る。いくつかの実施形態では、第１の面３６６０は、少なくとも１つの孔３６６２を含み得る。第１の面３６６０は、複数の孔３６６２を含み得る。第１の面３６６０は、格子状の孔３６６２を含み得る。孔３６６２は、吊設具３６４１を梁３６２７に取り付けるために、緊結具３７１１を収容または受容するように適合され得る。緊結具３７１１は、吊設具３６４１に連結されるかもしくはそれと一体の梁取り付け張り出し部、例えば、釘、ボルト、ステープル、ネジ、接着剤、テープ（片面もしくは両面）、フック、フックアンドループシステム、ピン、それらの組み合わせを含み得るか、または別のタイプであり得る。いくつかの変形例では、緊結具３７１１を吊設具３６４１内に埋め込むことができる。いくつかの変形例では、形成プロセス中に緊結具３７１１を吊設具３６４１内に埋め込むことができる。一実施形態では、緊結具は、緊結具が単純なハンマで取り付けられ得るように、形成プロセス中に吊設具内に埋め込まれる。いくつかの実施形態では、第１の面３６６０は、その軸方向長さに下に延びるスパイン３６５７を含み得る。第１の面３６６０は、梁−吊設具取り付け構成要素３６３３を介して、吊設具３６４１を梁３６２７に取り付け得る。
【０１０７】
第１の面３６６０は、頂部３７６１と底部３７６３との間に長さＬＦＦを有し得る。第１の面３６６０の長さＬＦＦは、少なくとも５ｍｍ、少なくとも１０ｍｍ、少なくとも２０ｍｍ、少なくとも５０ｍｍ、少なくとも１００ｍｍ、少なくとも２００ｍｍ、または少なくとも５００ｍｍであり得る。第１の面３６６０の長さＬＦＦは、５ｍｍ以下、１０ｍｍ以下、２０ｍｍ以下、５０ｍｍ以下、１００ｍｍ以下、２００ｍｍ以下、または５００ｍｍ以下であり得る。いくつかの実施形態では、長さＬＦＦは、リップ３６６４を必要とせずに吊設具３６４１を調整するために、梁２７の長さＬＢに対応するように修正され得る。
【０１０８】
第１の面３６６０は、第１の側部３６６１の半径方向の第１の端部と第１の側部３６６１の半径方向の第２の端部との間に幅ＷＦＦを有し得る。第１の面３６６０の幅ＷＦＦは、少なくとも５ｍｍ、少なくとも１０ｍｍ、少なくとも２０ｍｍ、少なくとも５０ｍｍ、少なくとも１００ｍｍ、少なくとも２００ｍｍであり得る。幅ＷＦＦは、５ｍｍ、１０ｍｍ以下、２０ｍｍ以下、５０ｍｍ以下、１００ｍｍ以下、２００ｍｍ以下であり得る。いくつかの実施形態では、リップ３６６４を必要とせずに吊設具３６４１を調整するために、幅ＷＦＦを梁３６２７の幅ＷＢに対応するように修正することができる。
【０１０９】
第１の面３６６０は、第１の縁部３６６５と第２の縁部３６６７との間に厚さＴＦＦを有し得る。第１の面３６６０の厚さＴＦＦは、少なくとも０．５ｍｍ、少なくとも１ｍｍ、少なくとも５ｍｍ、少なくとも１０ｍｍ、少なくとも１５ｍｍ、少なくとも２０ｍｍ、少なくとも２５ｍｍであり得る。厚さＴＦＦは、０．５ｍｍ以下、１ｍｍ以下、５ｍｍ以下、１０ｍｍ以下、１５ｍｍ以下、２０ｍｍ以下、または２５ｍｍ以下であり得る。
【０１１０】
いくつかの実施形態では、図３７〜４０に示されるように、吊設具３６４１は、少なくとも１つの半径方向リップ３６６４を含み得る。半径方向リップ３６６４は、それが別個の構成要素を含まないように吊設具と一体的に形成され得る。半径方向リップ３６６４は、梁３６２７の底部３６２９と接触するように適合され得る。梁３６２７の底部３６２９は、軸方向底部部分であり得る。一実施形態では、半径方向リップ３６６４は、梁取り付け構成要素３６５１の第１の面３６６０から第１の側部３６６１または第２の側部３６６３のうちの少なくとも１つに張り出し得る。別の実施形態では、半径方向リップ３６６４は、縁部３６６５、３６６７から張り出し得る。半径方向リップ３６６４は、多角形または非円形の形状の断面を有し得る。断面形状は、半径方向リップ３６６４の長さに沿って変化し得る。半径方向リップ３６６４は、弓形部分を含み得る。半径方向リップ３６６４は、半径方向縁部３６６９をさらに含み得る。一実施形態では、半径方向リップ３６６４は、屋根デッキ３６２５に対して実質的に平行であるように構成されたフランジ３６７１を含み得る。フランジ３６７１は、それが別個の構成要素を含まないように吊設具３６４１と一体的に形成され得る。一実施形態では、半径方向リップ３６６４またはフランジ３６７１は、半径方向縁部３６６９から軸方向に間に延在する少なくとも１つの強化翼３６７３を含み得る。強化翼３６７３は、屋根デッキ３６２５に対して実質的に直角であるように構成され得る。強化翼３６７３は、強化翼が別個の構成要素を含まないように吊設具３６４１と一体的に形成され得る。半径方向リップ３６６４は、梁−吊設具取り付け構成要素３６３３を介して、吊設具３６４１を梁３６２７に取り付け得る。半径方向リップ３６６４は、複数の孔３７０２を含み得る。半径方向リップ３６６４は、格子状の孔３７０２を含み得る。孔３７０２は、吊設具３６４１を梁３６２７に取り付けるために、緊結具３７１１を収容するように適合され得る。いくつかの実施形態では、半径方向リップ３６６４は、梁３６２７に対して吊設具３６４１をよりよく調整するために破断するように適合され得る。
【０１１１】
半径方向リップ３６６４は、リップ長さＬＬで張り出し得る。リップ長さＬＬは、少なくとも１ｍｍ、少なくとも１０ｍｍ、少なくとも２０ｍｍ、少なくとも５０ｍｍ、少なくとも１００ｍｍ、少なくとも２００ｍｍであり得る。リップ長さＬＬは、１ｍｍ以下、１０ｍｍ以下、２０ｍｍ以下、５０ｍｍ以下、少なくとも１００ｍｍ、少なくとも２００ｍｍであり得る。リップ長さＬＬと第１の面の長さＬＦＦの比は、１：２、１：４、１：８、１：１０、１：１５、１：２０であり得るか、または別の値であり得る。
【０１１２】
半径方向リップ３６６４は、リップ幅ＬＷを有し得る。リップ幅ＬＷは、少なくとも５ｍｍ、少なくとも１０ｍｍ、少なくとも２０ｍｍ、少なくとも５０ｍｍ、少なくとも１００ｍｍ、少なくとも２００ｍｍであり得る。リップ幅ＬＷは、５ｍｍ以下、１０ｍｍ以下、２０ｍｍ以下、５０ｍｍ以下、１００ｍｍ以下、２００ｍｍ以下であり得る。リップ幅ＬＷと第１の面の幅ＷＦＦの比は、１：２、１：４、１：８、１：１０、１：１５、１：２０であり得るか、または別の値であり得る。
【０１１３】
半径方向リップ３６６４は、リップ厚さＴＷを有し得る。リップ厚さＴＷは、少なくとも０．５ｍｍ、少なくとも１ｍｍ、少なくとも５ｍｍ、少なくとも１０ｍｍ、少なくとも１５ｍｍ、少なくとも２０ｍｍ、少なくとも２５ｍｍであり得る。リップ厚さＴＷは、０．５ｍｍ以下、１ｍｍ以下、５ｍｍ以下、１０ｍｍ以下、１５ｍｍ以下、２０ｍｍ以下、または２５ｍｍ以下であり得る。リップ厚さＴＷと第１の面の厚さＴＦＦの比は、１：２、１：４、１：８、１：１０、１：１５、１：２０であり得るか、または別の値であり得る。
【０１１４】
半径方向リップ３６６４は、吊設具３６４１の軸３６４９と角度αを形成し得る。角度αは、吊設具４１の軸４９に対して直角な方向から少なくとも±５°、少なくとも±１０°、少なくとも±１５°、少なくとも±２０°、少なくとも±２５°、少なくとも±３０°、少なくとも±３５°、少なくとも±４０°、少なくとも±４５°、少なくとも±５０°、少なくとも±５５°、少なくとも±６０°少なくとも±６５°、少なくとも±７０°、少なくとも±７５°、少なくとも±８０°、少なくとも±８５°、少なくとも±９０°であり得る。
【０１１５】
いくつかの実施形態では、少なくとも１つの半径方向リップ３６６４は、複数の半径方向リップ３６６４、３６６４’を含み得る。少なくとも１つの半径方向リップ３６６４は第２の半径方向側部３６６３上に第２の半径方向リップ３６６４’を含み得が、第１の半径方向リップ３６６４は第１の半径方向側部３６６１から張り出し得る。このようにして、第１の半径方向リップ３６６４および第２の半径方向リップ３６６４’は、梁取り付け構成要素３６５１の第１の面３６６０の両側３６６１、３６６３にあってもよい。いくつかの実施形態では、梁取り付け構成要素３６５１は、第１の面３６６０の第１の半径方向側部３６６１上において、その面におよびその面に沿った位置に複数の半径方向リップ３６６４、３６６４’を含み得る。半径方向リップ３６６４、３６６４’は、異なる半径方向長さＬＬおよび幅ＷＬ、ならびに厚さＴＬのものであり得る。半径方向リップ３６６４、３６６４’は、異なる形状のものであっても、同じ形状のものであってもよい。いくつかの実施形態では、梁取り付け構成要素３６５１は、第１の面３６６０の第２の半径方向側部３６６３上において、その面におよびその面に沿った位置に複数の半径方向リップ３６６４、３６６４’を含み得る。半径方向リップ３６６４、３６６４’は、異なる半径方向長さＬＬおよび幅ＷＬ、ならびに厚さＴＬのものであり得る。半径方向リップ３６６４、３６６４’は、異なる形状のものであっても、同じ形状のものであってもよい。いくつかの実施形態では、梁取り付け構成要素３６５１は、第１の面３６６０の第１の縁部３６６５上において、その縁部におよびその縁部に沿った位置に複数の半径方向リップ３６６４、３６６４’を含み得る。半径方向リップ３６６４、３６６４’は、異なる半径方向長さＬＬおよび幅ＷＬ、ならびに厚さＴＬのものであり得る。半径方向リップ３６６４、３６６４’は、異なる形状のものであっても、同じ形状のものであってもよい。いくつかの実施形態では、梁取り付け構成要素３６５１は、第１の面３６６０の第２の縁部３６６７上において、その縁部におよびその縁部に沿った位置に複数の半径方向リップ３６６４、３６６４’を含み得る。半径方向リップ３６６４、３６６４’は、異なるまたは同じ半径方向長さＬＬ、幅ＷＬ、および厚さＴＬのものであり得る。半径方向リップ３６６４、３６６４’は、異なる形状のものであっても、同じ形状のものであってもよい。
【０１１６】
いくつかの実施形態では、図３６〜４２に示されるように、障壁取り付け構成要素３６５３は、支承３６８０を含み得る。支承３６８０は、吊設具３６４１を障壁３６３１に連結するように構成され得る。いくつかの実施形態では、図３９〜４２に示されるように、支承３６８０は、円形または多角形の断面を含む細長い実質的に平坦な形状を有し得る。ある特定の実施形態では、図３７に示されるように、支承３６８０は、長方形であり得る。他の実施形態では、図４１および４２に示されるように、支承３６８０は、円形または実質的に円形の形状であり得る。支承３６８０は、障壁３６３１上に形成されるか、障壁３６３１に連結されるか、もしくは障壁３６３１と一体の溝３７０１の半径方向内側にあるように構成されるか、またはその両側に係合するように構成され得る。一部の実施形態では、溝３７０１は、障壁３６３１として含まれるレール上に形成され得る。一部の実施形態では、断熱材３６４３が設置されている間、支承３６８０と溝３７０１との間の接合部は、実質的に静的な取り付けを維持するために摩擦を有する境界面を有し得る。一部の実施形態では、梁３６２７、障壁３６３１、または吊設具３６４１の熱膨張、水分膨張、または収縮の場合に、支承３６８０と溝３７０１との間の接合部によって、支承３６８０または溝３７０１および障壁３６３１が摺動することがある。支承は、第１の側部３６８１、第２の側部３６８３、第１の縁部３６８５、第２の縁部３６８７、第３の縁部３７４７、および第４の縁部３７４９を有し得る。支承３６８０は、頂部３７３７および底部３７３９を有し得る。支承３６８０は、障壁−吊設具取り付け構成要素３６３５を介して、吊設具３６４１を障壁３６３１に取り付け得る。いくつかの実施形態では、障壁取り付け構成要素３６５３は、複数の孔３８０２を含み得る。障壁取り付け構成要素３６５３は、格子状の孔３８０２を含み得る。孔３８０２は、吊設具３６４１を障壁３６３１に取り付けるために、緊結具３７１１を収容するように適合され得る。緊結具３７１１は、吊設具３６４１に連結されるかもしくはそれと一体の障壁取り付け張り出し部、釘、ボルト、ステープル、ネジ、接着剤、釘、ボルト、ステープル、ネジ、接着剤、テープ（片面もしくは両面）、フック、フックアンドループ、ピンを含み得るか、または別のタイプであり得る。いくつかの変形例では、緊結具３７１１を吊設具３６４１内に埋め込むことができる。いくつかの変形例では、注入プロセスを含み得る形成プロセス中に、緊結具３７１１を吊設具３６４１内に埋め込むことができる。
【０１１７】
支承３６８０は、ｘ方向において第１の側部３６８１の軸方向第１の縁部３６８５と第１の側部３６８１の第２の縁部３６８７との間に長さＬＳを有し得る。長さＬＳは、少なくとも１ｍｍ、少なくとも１０ｍｍ、少なくとも２０ｍｍ、少なくとも５０ｍｍ、少なくとも１００ｍｍ、少なくとも２００ｍｍであり得る。長さＬＳは、１ｍｍ以下、１０ｍｍ以下、２０ｍｍ以下、５０ｍｍ以下、少なくとも１００ｍｍ、少なくとも２００ｍｍであり得る。
【０１１８】
支承３６８０は、ｙ方向において第１の側部３６８１の軸方向第３の縁部３７４７と第１の側部３６８１の第４の縁部３７４９との間に幅ＷＳを有し得る。幅ＷＳは、少なくとも５ｍｍ、少なくとも１０ｍｍ、少なくとも２０ｍｍ、少なくとも５０ｍｍ、少なくとも１００ｍｍ、少なくとも２００ｍｍであり得る。幅ＷＳは、５ｍｍ以下、１０ｍｍ以下、２０ｍｍ以下、５０ｍｍ以下、１００ｍｍ以下、２００ｍｍ以下であり得る。
【０１１９】
支承３６８０は、頂部３７３７と底部３７３９との間に厚さＴＳを有し得る。厚さＴＳは、少なくとも０．５ｍｍ、少なくとも１ｍｍ、少なくとも５ｍｍ、少なくとも１０ｍｍ、少なくとも１５ｍｍ、少なくとも２０ｍｍ、少なくとも２５ｍｍであり得る。厚さＴＳは、０．５ｍｍ以下、１ｍｍ以下、５ｍｍ以下、１０ｍｍ以下、１５ｍｍ以下、２０ｍｍ以下、２５ｍｍ以下であり得る。
【０１２０】
いくつかの実施形態では、図４３および４４に示されるように、障壁取り付け構成要素３６５３は、アーチ３６９０を含み得る。アーチ３６９０は、吊設具３６４１を障壁３６３１に連結するように構成され得る。アーチ３６９０は、少なくとも２つの軸方向側部３６９１、３６９３、頂部３６９５、および底部３６９７を含むことができ、各軸方向側部３６９１、３６９３は、吊設具３６４１の軸３６４９に沿って変化する半径方向直径を有する。軸方向側部３６９１、３６９３は、前側部３６９１ａ、３６９３ａと、後側部３６９１ｂ、３６９３ｂとを有し得る。アーチ３６９０は、障壁３６３１上に形成されたか、それと連結されたか、またはそれと一体の張り出し部３７０３の両側を包み込むか、またはそれに係合するように構成されたクランプ３６９２を含み得る。クランプ３６９２は、張り出し部３７０３で障壁３６３１を把持するように構成され得る。クランプ３６９２は、アーチの軸方向側部３６９１と３６９３との間の空間が張り出し部３７０３の幅よりも小さくあり得る未設置位置と、軸方向側部３６９１、３６９３を、固設される前に張り出し部３７０３の幅に適応するように離して撓ませることができる設置位置とを有するように構成され得る。アーチ３６９０またはクランプ３６９２は、障壁−吊設具取り付け構成要素３６３５を介して、吊設具３６４１を障壁３６３１に取り付け得る。いくつかの実施形態では、アーチは、図５５に示されるように、張り出し部３７０３と面一に係合するためのポケット３６８２を形成し得る。ポケット３６８２は、空間を形成し、軸方向側部３６９１と３６９３との間に位置し得る。ポケット３６８２または張り出し部３７０３は、多角形、円形、または非円形を含む任意の形状であり得る。張り出し部３７０３は、矢印形状であり得る。
【０１２１】
アーチ３６９０は、頂部３６９５と底部３６９７との間に長さＬＡを有し得る。長さＬＡは、少なくとも１ｍｍ、少なくとも１０ｍｍ、少なくとも２０ｍｍ、少なくとも５０ｍｍ、少なくとも１００ｍｍ、少なくとも２００ｍｍであり得る。長さＬＡは、１ｍｍ以下、１０ｍｍ以下、２０ｍｍ以下、５０ｍｍ以下、少なくとも１００ｍｍ、少なくとも２００ｍｍであり得る。
【０１２２】
アーチ３６９０は、第１の側部３６９１と第２の側部３６９３との間に幅ＷＡを有し得る。幅ＷＡは、少なくとも５ｍｍ、少なくとも１０ｍｍ、少なくとも２０ｍｍ、少なくとも５０ｍｍ、少なくとも１００ｍｍ、少なくとも２００ｍｍであり得る。幅ＷＡは、５ｍｍ以下、１０ｍｍ以下、２０ｍｍ以下、５０ｍｍ以下、１００ｍｍ以下、２００ｍｍ以下であり得る。
【０１２３】
アーチ３６９０は、側部の前側部３６９１ａ、３６９３ａと、後側部３６９１ｂ、３６９３ｂとの間に厚さＴＡ有し得る。厚さＴＡは、少なくとも０．５ｍｍ、少なくとも１ｍｍ、少なくとも５ｍｍ、少なくとも１０ｍｍ、少なくとも１５ｍｍ、少なくとも２０ｍｍ、少なくとも２５ｍｍであり得る。厚さＴＡは、０．５ｍｍ以下、１ｍｍ以下、５ｍｍ以下、１０ｍｍ以下、１５ｍｍ以下、２０ｍｍ以下、２５ｍｍ以下であり得る。
【０１２４】
いくつかの実施形態では、障壁取り付け構成要素３６５３は、障壁取り付け構成要素３６５３と障壁３６３１とを連結または連結解除するように適合されたクリップ３６６５を含み得る（図３９および４０）。クリップ３６６５のバージョンは、吊設具３６４１の第２の端部３６４７の両側を包み込み、それらに係合する細長い実質的に平坦な構成要素を含み得る。クリップ３６６５を押し下げるかまたは作動させて、障壁３６３１と吊設具３６４１とを連結または連結解除することができる。
【０１２５】
いくつかの実施形態では、図４５に示されるように、システム３５２１は、軸方向中央部分３６５４、障壁３６３１、障壁取り付け構成要素３６５３、梁３６２７、または梁取り付け構成要素３６５１のうちの少なくとも１つに連結された少なくとも１つの断熱材支持部材３６６６、３６６８をさらに含み得る。少なくとも１つの断熱材支持部材３６６６、３６６８は、実質的に平面状の細長いパネルを含み得る。実質的に平面状の細長いパネルまたは第１の断熱材支持部材３６６６は、クリップ３６６５に係合されていても、それと接触していても、それに直接緊結されていてもよい。加えて、第２の断熱材支持部材３６６８は、互いに実質的に直角であり得る第１の断熱材支持部材３６６６に係合されていても、それと接触していても、直接緊結されていてもよい。１つのバージョンでは、第２の断熱材支持部材３６６８は、強化リブ３６７０を含み得る。一実施形態では、第１の断熱材支持部材３６６６の実質的に平面状の細長いパネルを障壁取り付け構成要素３６５３に直接緊結することができ、第２の断熱材支持部材３６６８の実質的に平面状の細長いパネルを第１のパネルに直接緊結することができ、第２の支持部材３６６８は、第１の支持部材３６６６に対して実質的に直角であり得る。一実施形態では、第１の断熱材支持部材３６６６の実質的に平面状の細長いパネルを梁取り付け構成要素３６５１に直接緊結することができ、第２の断熱材支持部材３６６８の実質的に平面状の細長いパネルを第１のパネルに直接緊結することができ、第２の支持部材３６６８は、第１の支持部材３６６６に対して実質的に直角であり得る。
【０１２６】
さらに図４５を参照すると、吊設具３６４１の実施形態は、梁取り付け構成要素３６５１または障壁取り付け構成要素３６５３の一方または両方の内側に位置し得る、金属プレートなどのプレート３６７５を含み得る。いくつかの実施形態では、吊設具３６４１は、吊設具３６４１、断熱空間、障壁３６３１、もしくは梁３６２７のうちの少なくとも１つを調整するための断熱システム３６２１の測定、調整、および較正、または断熱システム３６２１の別の変数を容易にするために、吊設具３６４１の面に沿って定規３７０５を含み得る。
【０１２７】
断熱システム３６２１はまた、第１の端部３６４５と第２の端部３６４７との間の断熱空間内に位置し、それらの間の接合部に伸縮性をもたせ（ｅｌａｓｔｉｆｙ）、それらの遮音性を改善するための圧縮性、非圧縮性、連続気泡、または独立気泡フォーム３６７７（図４６、４５）を含み得る。さらに別の実施形態では、障壁３６３１または梁３６２７は、磁石（図示せず）を用いて吊設具３６４１に固設され得る。
【０１２８】
図４６に示されるように、第１の端部３６４５または梁取り付け構成要素３６５１の実施形態は、梁３６２７の軸方向底部３６２６に直接螺合され得る先のとがったネジまたは釘を含み得る緊結具３６１１を含み得る。梁３６２７の軸方向底部３６２６は、屋根デッキ３６２５に対して実質的に平行であり得る。一例では、吊設具３６４１の第１の端部３６４５は、緊結具３７１１を梁３６２７に係合させるためのネジ回し、ハンマ、または他の手段３６８２によって係合され駆動されるように構成されたソケット（図示せず）を含み得る。
【０１２９】
図４７に示されるように、第２の端部３６４７または障壁取り付け構成要素３６５３の実施形態は、障壁３６３１の軸方向頂部３６３２に直接螺合され得る先のとがったネジまたは釘３７６５を含み得る緊結具３６１１を含み得る。障壁３６３１の軸方向頂部３６３２は、屋根デッキ３６２５に対して実質的に平行であり得る。一例では、吊設具３６４１の第２の端部３６４７は、緊結具３７１１を障壁３６３１に係合させるためのネジ回し、ハンマ、または他の手段３６８２によって係合され駆動されるように構成されたソケット（図示せず）を含み得る。
【０１３０】
断熱システム３６２１の実施形態は、吊設具３６４１が第１の端部３６４５または第２の端部３６４７に隣接して１つ以上の通気性ハウスラップ３６８４（図４５）を支持することを可能にし得る。加えて、バッフル３６８８の使用の有無にかかわらず、布帛３６８６を第２の端部３６４７に隣接して位置決めすることができる。
【０１３１】
図４８に示されるように、断熱システム３６２１は、断熱材のクラフト直面バット３７９０を含む断熱材を含み得る。一部の実施形態では、本明細書に記載されているような断熱材のクラフト直面バット３７９０または断熱材３６４３は、吊設具３６４１の第１の端部３６４５と第２の端部３６４７との間の断熱空間を充填し得る。一部の実施形態では、本明細書に記載されているような断熱材のクラフト直面バット３７９０または断熱材３６４３は、梁３６２７と障壁３６４７との間の断熱空間を充填し得る。一部の実施形態では、本明細書に記載されているような断熱材のクラフト直面バット３７９０または断熱材３６４３は、梁３６２７の底部３６２６と障壁３６３１の頂部３６３２との間の断熱空間を充填し得る。一部の実施形態では、本明細書に記載されているような断熱材のクラフト直面バット３７９０または断熱材３６４３は、デッキ３６２５と障壁３６３１との間の断熱空間を充填し得る。一部の実施形態では、断熱材３６４３内の空気の流れを回避するために、当技術分野で一般的に知られているように、換気バッフル３６８８を下端と棟換気口との間でデッキ３６２５の下に設置することができる。一部の実施形態では、吊設具３６４１の第２の端部３６４７は、クラフト直面バット３７９０に接着されるか、テープ留めされるか、またはステープル留めされるかのうちの少なくとも１つによって閉鎖され得る。一部の実施形態では、吊設具３６４１の第２の端部３６４５は、クラフト直面バット３７９０に接着されるか、テープ留めされるか、またはステープル留めされるかのうちの少なくとも１つによって閉鎖され得る。いくつかの実施形態では、テープ３６８９を使用して、吊設具３６４１の第１または第２の端部３６４５、３６４７をクラフト直面バット３７９０に緊結することができる。テープは、剥離可能なライナ、剥離コーティングを有し得るか、あるいは吊設具３６４１の第１もしくは第２の端部３６４５、３６４７のいずれかに、またはクラフト直面バット３７９０に適用するために広げられてもよい。一部の実施形態では、断熱材のクラフト直面バット３７９０の仕上げ面または断熱材３６４３と吊設具３６４１との間の接合部をテープ３６８９によって取り付けることができる。一部の実施形態では、テープ３６８９は、吊設具３６４１上、または断熱材のクラフト直面バット３７９０もしくは断熱材３６４３上にあり得る。一部の実施形態において、テープ３６８９は、両面であり得る。一例として、剥離可能なライナを有するテープ３６８９を、第１の端部３６４５および第２の端部３６４７の一方または両方に位置決めすることができる。いくつかの実施形態では、テープ３６８９は、梁取り付け構成要素３６５１または障壁取り付け構成要素３６５３のうちの少なくとも１つの上にあり得る。１つのバージョンでは、テープ３６８９は、ブチルテープであり得る。かかる閉鎖は、気密性および水分管理を高め、そのたるみを回避し得る。たるみにより、システム内に穴が発生し、２つの断熱層の間に熱橋が発生し、潜在的に不要な空気の流れをもたらすことがある。クラフト直面バット３７９０の数、層化、または配置は、任意の値でよく、図４８に示される実施形態に限定されない。
【０１３２】
断熱システム３６２１の実施形態は、屋根裏の他の部分のために変更または適合されてもよい。例えば、断熱システム３６２１はまた、屋根裏の垂直壁または水平床で使用するために構成され得る。図４９に示されるように、家用の断熱システム３７２１は、デッキ３７２５を有する屋根裏と、デッキ３７２５に緊結された梁３７２７とを含み得る。デッキ３７２５は、屋根裏床デッキ、垂直壁デッキ、または屋根デッキであり得る。梁３７２７は、床ジョイスト、垂直壁の梁、または屋根垂木であり得る。
【０１３３】
図４９に示されるように、断熱システム３７２１の実施形態は、障壁３７３１、および屋根裏に断熱空間を提供するための吊設具３７４１を含み得る。吊設具３７４１の各々は、シャフトを有する中央部分と、梁３７２７のうちの１つに連結される第１の端部３７４５と、障壁３７３１に連結される遠位端部３７４７とを含み得る。障壁３７３１の内側の吊設具３７４１の第１の端部３７４５と第２の端部３７４７との間に断熱材３７４３を少なくとも部分的に包含するための断熱空間を画定することができる。吊設具３７４１は、断熱システム３７２１が障壁３７３１の頂部の上の物体３７５０を支持および格納することができるように耐荷重性であり得る。
【０１３４】
いくつかの実施形態では、断熱システム３６２１の任意の構成要素または構成要素の組み合わせ（障壁３６３１、吊設具３６４１（その構成要素のいずれかを含む））、断熱材３６４３、梁３６２７、テープ３６８９、断熱材支持部材３６６６、３６６８、ハウスラップ３６８４、バッフル３６８８、布帛３６８３、クラフト直面バット３７９０、それらの任意の組み合わせ、または他の構成要素を含む）は、防火クラスＡ（ＡＳＴＭ  Ｅ８４分類）であり得る。難燃剤を断熱システム３６２１の任意の構成要素に添加することができる。一実施形態では、断熱システム３６２１は、防火クラスＡ評定を有する。別の実施形態では、障壁３６３１、吊設具３６４１（その構成要素のいずれかを含む）、断熱材３６４３、梁３６２７、テープ３６８９、断熱材支持部材３６６６、３６６８、ハウスラップ３６８４、バッフル３６８８、布帛３６８３、クラフト直面バット３７９０、それらの任意の組み合わせ、または他の構成要素は、防火クラスＡ評定を有する。
【０１３５】
いくつかの実施形態では、断熱システム３６２１の任意の構成要素または構成要素の組み合わせ（障壁３６３１、吊設具３６４１（その構成要素のいずれかを含む）、断熱材３６４３、梁３６２７、テープ３６８９、断熱材支持部材３６６６、３６６８、ハウスラップ３６８４、バッフル３６８８、布帛３６８３、クラフト直面バット３７９０、それらの任意の組み合わせ、または他の構成要素を含む）は、システム３６２１の内側に位置決めされた気候帯に適合したスマート蒸気遅延剤、蒸気開放膜、または蒸気障壁の使用のおかげで、断熱システム３６２１の適用に基づいて、望ましいレベルの水分管理を提供し、調整するように構成され得る。これらの構成要素の例は、Ｋｎａｐｐらの米国特許公開第２０１５−０１７６２１１号、Ｋｕｎｚｅｌらの米国特許第７，００８，８９０号、およびＰｅｅｔらの国際特許公開第ＷＯ２０１５／０９５７８６号に示されている。
【０１３６】
いくつかの実施形態では、断熱システム３６２１の任意の構成要素または構成要素の組み合わせ（障壁３６３１、吊設具３６４１（その構成要素のいずれかを含む））、断熱材３６４３、梁３６２７、テープ３６８９、断熱材支持部材３６６６、３６６８、ハウスラップ３６８４、バッフル３６８８、布帛３６８３、クラフト直面バット３７９０、それらの任意の組み合わせ、または他の構成要素を含む）は、断熱システム３６２１の用途に基づいて、望ましいレベルの気密性を提供し、調整するように構成され得る。一実施形態では、断熱システムは、時間当たりの換気回数（「ＡＣＨ」）評定、例えば、「ＡＣＨ５０」（（５０Ｐａでの時間当たりの空気交換）評定）を与えることができる。一実施形態では、断熱システムは、５以下、例えば、３以下、例えば、１．５以下、または０．６以下のＡＣＨ５０評定を含み得る。屋根の内側の気密性が改善されるため、屋根デッキ（アセンブリの外側）の気密性を使用した文献に記載されている他の解決策よりも優れた水分制御が得られる。
【０１３７】
ここで図５０〜５２を参照すると、断熱材支持レールが図示されており、概して、５０００で示されている。示されるように、断熱材支持レール５０００は、ベースプレート５００４を含む略Ｕ字形の本体５００２を含み得る。第１のタイン５００６は、ベースプレート５００４から延在し得る。さらに、第２のタイン５００８は、ベースプレート５００４から延在し得る。タイン５００６、５００８は、断熱材支持レール５０００の本体５００２のベース５００４に対して実質的に直角であり得る。各タイン５００６、５００８は、断熱材係合構造５０１４、５０１６で形成された遠位端部５０１０、５０１２を含み得る。断熱材係合構造５０１４、５０１６は、棘またはフックを含み得る。以下により詳細に記載されるように、断熱材支持レール５０００を使用して、断熱材を支持することができる。
【０１３８】
特定の態様では、断熱材支持レール５０００は、概して細長く、長さと幅を含み得る。長さと幅の比ＲＬＷは、０．１以下であり得る。さらに、ＲＬＷは、０．０９以下、例えば、０．０８以下、０．０７以下、０．０６以下、または０．０５以下であり得る。別の態様では、ＲＬＷは、０．００５以上、例えば、０．０１以上、０．０２以上、０．０３以上、または０．０４以上であり得る。ＲＬＷは、本明細書に記載のＲＬＷの最大値と最小値との間の範囲内であり得、それらのいずれかを含むことが理解されるべきである。
【０１３９】
図５３〜５５は、断熱システム５３００を図示する。示されるように、断熱システム５３００は、第１の建築物構造５３０２、第２の建築物構造５３０４、および第３の建築物構造５３０６を含み得る。特定の態様では、建築物構造５３０４、５３０６、５３０８は、トラス、例えば、屋根葺きトラスである。また、３つの建築物構造５３０４、５３０６、５３０８が図示されているが、システム５３００は、図５３に示される構造５３０４、５３０６、５３０８と同様の様式で離間された、または建設業界でよく知られているように離間された任意の数の建築物構造を含み得ることが理解され得る。
【０１４０】
図５３〜５５はさらに、断熱システム５３００が、第１の建築物構造５３０２の一方の側に連結または別様に付着された第１の断熱材支持レール５３１２と、第１の建築物構造５３０２の反対側に連結または別様に付着された第２の断熱材支持レール５３１４とを含み得ることを示す。第３の断熱材支持レール５３１４は、第２の建築物構造５３０４の一方の側に連結または別様に付着され得、第４の断熱材支持レール５３１６は、第２の建築物構造５３０４の反対側に連結または別様に付着され得る。さらに、第５の断熱材支持レール５３１８は、第３の建築物構造５３０６の一方の側に連結または別様に付着され得、第６の断熱材支持レール５３２０は、第３の建築物構造５３０６の反対側に連結または別様に付着され得る。
【０１４１】
特定の態様では、断熱材支持レール５３１０、５３１２、５３１４、５３１６、５３１８、５３２０は、本明細書に記載されている断熱材支持レールのいずれかと同様に構成され得る。さらに、断熱材支持レール５３１０、５３１２、５３１４、５３１６、５３１８、５３２０は、ステープル、釘、ネジ、のり、テープ、または任意の他の適切な緊結手段を使用してそれぞれの建築物構造５３０２、５３０４、５３０６に付着され得る。断熱材支持レール５３１０、５３１２、５３１４、５３１６、５３１８、５３２０は、比較的軽量の断熱バット、またはロールから切断された軽量断熱材の断片を係合して保持する能力以外は、構造上の価値がほとんどまたは全くないことが理解されるべきである。換言すれば、断熱材支持レール５３１０、５３１２、５３１４、５３１６、５３１８、５３２０は、非構造的、非荷重伝達性、および非耐荷重性である。
【０１４２】
さらに、断熱材支持レール５３１０、５３１２、５３１４、５３１６、５３１８、５３２０は、上に断熱材支持レール５３１０、５３１２、５３１４、５３１６、５３１８、５３２０が設置された建築物構造５３０２、５３０４、５３０６の耐荷重特性を変化させない。したがって、断熱材支持レール５３１０、５３１２、５３１４、５３１６、５３１８、５３２０が、事前設計された建築物構造、例えば、本明細書に記載されている建築物構造５３０２、５３０４、５３０６のうちの１つ以上の上に設置されている場合、事前設計された建築物構造は、意図したとおりに機能し、断熱材支持レール５３１０、５３１２、５３１４、５３１６、５３１８、５３２０は、上に断熱材支持レール５３１０、５３１２、５３１４、５３１６、５３１８、５３２０のうちの１つ以上が設置されている事前設計された建築構造の性能、または任意の構造特性もしくは耐荷重特性を実質的に変更しない。一態様では、断熱材支持レール５３１０、５３１２、５３１４、５３１６、５３１８、５３２０は、ポリマーを含み得る。例えば、断熱材支持レール５３１０、５３１２、５３１４、５３１６、５３１８、５３２０は、次の材料のうちの１つ以上を含み得る。熱可塑性プラスチック、射出成形プラスチック、未使用ポリ塩化ビニル（ＰＶＣ）、再生ＰＶＣ、発泡ＰＶＣ、ＣＰＶＣ、アクリロニトリルブタジエンスチレン（ＡＢＳ）、ポリエーテルエーテルケトン（ＰＥＥＫ）、ポリメチルメタクリレート（ＰＭＭＡ）、ポリイミド、熱可塑性オレフィン（ＴＰＯ）、ナイロンなど、および前述の材料のガラス強化バージョン。断熱材支持レール５３１０、５３１２、５３１４、５３１６、５３１８、５３２０を押出して、本明細書に記載の断面形状のいずれかを形成することができることが理解されるべきである。別の実施形態では、断熱材支持レール５３１０、５３１２、５３１４、５３１６、５３１８、５３２０は、軽量木材を含む。
【０１４３】
緊結具によって提供される、断熱材支持レール５３１０、５３１２、５３１４、５３１６、５３１８、５３２０と、それらが上に設置された建築物構造５３０２、５３０４、５３０６との間の接合部もまた非荷重伝達性の接合部であることも理解されるべきである。これはさらに、断熱材支持レール５３１０、５３１２、５３１４、５３１６、５３１８、５３２０が、上に断熱材支持レール５３１０、５３１２、５３１４、５３１６が設置された建築物構造５３０２、５３０４、５３０６の事前設計された耐荷重特性を変更することを防止するであろう。
【０１４４】
図５３〜５５に戻って参照すると、断熱システム５３００は、第１の建築物構造５３０２と第２の建築物構造５３０４との間、例えば、第１の建築物構造５３０２に付着された第２の断熱材支持レール５３１２と、第２の建築物構造５３０４に付着された第３の断熱材支持レール５３１４との間に確立または別様に形成された第１の空洞５３３０をさらに含み得る。さらに、断熱システム５３００は、第２の建築物構造５３０４と第３の建築物構造５３０６との間、例えば、第２の建築物構造５３０４に付着された第４の断熱材支持レール５３１６と、第３の建築物構造５３０６に付着された第５の断熱材支持レール５３１８との間に確立または別様に形成された第２の空洞５３３２を含み得る。
【０１４５】
特定の態様では、各空洞５３３０、５３３２は、空洞幅ＷＣを画定し得、ＷＣは、４８．０インチ以下である。さらに、ＷＣは、４４．０インチ以下、例えば、４０．０インチ以下、３６．０インチ以下、３２．０インチ以下、２８．０インチ以下、２４．０インチ以下、２３．５．０インチ以下、２３．０インチ以下、２２．５インチ以下、２２．０インチ以下、２１．５インチ以下、２１．０インチ以下、２０．５インチ以下、２０．０インチ以下、１９．５インチ以下、１９．０インチ以下、１８．５インチ以下、１８．０インチ以下、１７．５インチ以下、１７．０インチ以下、１６．５インチ以下、または１６．０インチ以下であり得る。別の態様では、ＷＣは、１０．０インチ以上、例えば、１０．５インチ以上、１１．０インチ以上、１１．５インチ以上、または１２．０インチ以上であり得る。ＷＣは、本明細書に記載のＷＣの最大値と最小値との間の範囲内であり得、それらのいずれかを含むことが理解されるべきである。
【０１４６】
図５３〜５５にさらに示されるように、断熱システム５３００は、第１の空洞５３３０内に設置され、第２および第３の断熱材支持レール５３１２、５３１４の係合によって適所にしっかりと保持される第１の断熱バット５３４０を含み得る。第２の断熱バット５３４２は、第２の空洞５３４２内に設置または別様に配列され、第４および第５の断熱材支持レール５３１６、５３１８の係合によって適所にしっかりと保持され得る。特定の態様では、断熱バット５３４０、５３４２は、事前に切断された断熱バットであり得る。別の態様では、断熱バット５３４０、５３４２は、断熱材ロールから切断され得る。図５５に示されるように、断熱バット５３４０は、ＷＣよりも大きい幅を有することができる。したがって、断熱バット５３４０、５３４２は、断熱材支持レール上に膨張し、互いに係合して断熱バット５３４０、５３４２の上と下に気密空間を作り出すことができる。断熱バット５３４０、５３４２をさらにシールするために、断熱バット５３４０、５３４２の上に提供された障壁５３５０、５３５２をテープ５３６０でシールすることができる。
【０１４７】
特定の態様では、断熱バット５３４０、５３４２は、床５３７０の上の高さＨに配設され得、Ｈは、３フィート以上であり得る。さらに、Ｈは、３．５フィート以上、例えば、４．０フィート以上、４．５フィート以上、５．０フィート以上、５．５フィート以上、または６．０フィート以上であり得る。別の態様では、Ｈは、１０．０フィート以下、例えば、９．５以下、９．０フィート以下、８．５フィート以下、８．０フィート以下、７．５フィート以下、７．０フィート以下、または６．５フィート以下であり得る。
【０１４８】
図５３〜５５に示されるように、断熱バット５３４０、５３４２を設置することが特定の方法ステップを含み得ることが理解され得る。例えば、断熱材を設置する方法は、第１のトラス上に第１のレールを設置することと、第１のトラスから距離を置いて離間された第２のトラス上に第２のレールを設置して、第１のレールと第２のレールとの間に第１の空洞を確立することと、第１の空洞内に第１の断熱バットを設置することとを含み得る。本方法は、第２のレールの反対側の第２のトラス上に第３のレールを設置することと、第２のトラスから距離を置いて離間された第３のトラス上に第４のレールを設置して、第３のレールと第２のレールとの間に第２の空洞を確立することとをさらに含み得る。さらに、本方法は、第２の空洞内に第２の断熱バットを設置することを含み得る。本方法はまた、第１のレールおよび第２のレールを第１のトラスに付着させることと、第３のレールおよび第４のレールを第２のトラスに付着させることとを含み得る。特に、レールを付着させることは、レールをステープル留めすることを含み得る。特に、ステープルは、１００パスカル以下の剪断強度を有し得る。さらに、ステープルは、９５パスカル以下、例えば、９０パスカル以下、８５パスカル以下、８０パスカル以下、または７５パスカル以下であり得る剪断強度を有し得る。別の態様では、ステープルは、１０パスカル以上、例えば、１５パスカル以上、２０パスカル以上、２５パスカル以上、３０パスカル以上、３５パスカル以上、４０パスカル以上、４５パスカル以上、または５０パスカル以上であり得るの剪断強度を有し得る。ステープルの剪断強度は、本明細書に記載の最大値と最小値との間であり得、それらのいずれかを含むことが理解され得る。
【０１４９】
本方法はまた、第１のバットと第２のバットとの間の直線接合部にテープを適用することを含み得る。断熱バットまたはその一部（例えば、障壁フラップ）は、各レールの面にステープル留めまたは別様に付着され得ることが理解され得る。レールを実質的に水平に設置することができることが理解され得る。さらに、レールをトラスの垂直中心線に対して実質的に直角に設置することができる。特定の態様では、レールの各々は、本明細書に記載されているように、開放端部と閉鎖端部とを有する略Ｕ字形の断面を含み、閉鎖端部がそれぞれのトラスに隣接した状態で各レールが設置されている。
【０１５０】
図５６は、別の断熱システム５６００を示す。示されるように、断熱システム５６００は、第１の建築物構造５６０２、第２の建築物構造５６０４、および第３の建築物構造５６０６を含み得る。図５６はさらに、断熱システム５６００が、第１の建築物構造５６０２に連結または別様に付着された第１の断熱材支持レール５６１２を含み得ることを示す。第２の断熱材支持レール５６１４は、第２の建築物構造５６０４に連結または別様に付着され得る。第３の断熱材支持レール５６１４は、第３の建築物構造５６０６に連結または別様に付着され得る。
【０１５１】
特定の態様では、断熱材支持レール５６１０、５６１２、５６１４は、本明細書に記載されている断熱材支持レールのいずれかと同様に構成され得る。さらに、断熱材支持レール５６１０、５６１２、５６１４は、ステープル、釘、ネジ、のり、テープ、または任意の他の適切な緊結手段を使用してそれぞれの建築物構造５６０２、５６０４、５６０６に付着され得る。断熱材支持レール５６１０、５６１２、５６１４は、比較的軽量の断熱バット、またはロールから切断された軽量断熱材の断片を係合して保持する能力以外は、構造上の価値がほとんどまたは全くないことが理解されるべきである。換言すれば、断熱材支持レール５６１０、５６１２、５６１４は、非構造的、非荷重伝達性、および非耐荷重性である。
【０１５２】
さらに、断熱材支持レール５６１０、５６１２、５６１４は、上に断熱材支持レール５６１０、５６１２、５６１４が設置された建築物構造５６０２、５６０４、５６０６の耐荷重特性を変化させない。したがって、断熱材支持レール５６１０、５６１２、５６１４が、事前設計された建築物構造、例えば、本明細書に記載されている建築物構造５６０２、５６０４、５６０６のうちの１つ以上の上に設置されている場合、事前設計された建築物構造は、意図したとおりに機能し、断熱材支持レール５６１０、５６１２、５６１４は、上に断熱材支持レール５６１０、５６１２、５６１４のうちの１つ以上が設置されている事前設計された建築構造の性能、または任意の構造特性もしくは耐荷重特性を実質的に変更しない。
【０１５３】
一態様では、断熱材支持レール５６１０、５６１２、５６１４は、ポリマーを含み得る。例えば、断熱材支持レール５６１０、５６１２、５６１４は、次の材料のうちの１つ以上を含み得る。熱可塑性プラスチック、射出成形プラスチック、未使用ポリ塩化ビニル（ＰＶＣ）、再生ＰＶＣ、発泡ＰＶＣ、ＣＰＶＣ、アクリロニトリルブタジエンスチレン（ＡＢＳ）、ポリエーテルエーテルケトン（ＰＥＥＫ）、ポリメチルメタクリレート（ＰＭＭＡ）、ポリイミド、熱可塑性オレフィン（ＴＰＯ）、ナイロンなど、および前述の材料のガラス強化バージョン。断熱材支持レール５６１０、５６１２、５６１４を押出して本明細書に記載の断面形状のいずれかを形成できることが理解されるべきである。別の実施形態では、断熱材支持レール５６１０、５６１２、５６１４は、軽量木材を含む。
【０１５４】
緊結具によって提供される、断熱材支持レール５６１０、５６１２、５６１４と、それらが上に設置された建築物構造５６０２、５６０４、５６０６との間の接合部もまた非荷重伝達性の接合部であることも理解されるべきである。これはさらに、断熱材支持レール５６１０、５６１２、５６１４が、上に断熱材支持レール５６１０、５６１２、５６１４が設置された建築物構造５６０２、５６０４、５６０６の事前設計された耐荷重特性を変更することを防止する。
【０１５５】
さらに図５６を参照すると、断熱システム５６００は、第１の建築物構造５６０２と第２の建築物構造５６０４との間、例えば、第１の断熱材支持レール５６１０と第２の建築物構造５６０４との間に確立または別様に形成された第１の空洞５６３０をさらに含み得る。さらに、断熱システム５６００は、第２の建築物構造５６０４と第３の建築物構造５６０６との間、例えば、第２の断熱材支持レール５６１２と第３の建築物構造５６０６との間に確立または別様に形成された第２の空洞５６３２を含み得る。
【０１５６】
特定の態様では、各空洞５６３０、５６３２は、空洞幅ＷＣを画定し得、ＷＣは、４８．０インチ以下である。さらに、ＷＣは、４４．０インチ以下、例えば、４０．０インチ以下、３６．０インチ以下、３２．０インチ以下、２８．０インチ以下、２４．０インチ以下、２３．５．０インチ以下、２３．０インチ以下、２２．５インチ以下、２２．０インチ以下、２１．５インチ以下、２１．０インチ以下、２０．５インチ以下、２０．０インチ以下、１９．５インチ以下、１９．０インチ以下、１８．５インチ以下、１８．０インチ以下、１７．５インチ以下、１７．０インチ以下、１６．５インチ以下、または１６．０インチ以下であり得る。別の態様では、ＷＣは、１０．０インチ以上、例えば、１０．５インチ以上、１１．０インチ以上、１１．５インチ以上、または１２．０インチ以上であり得る。ＷＣは、本明細書に記載のＷＣの最大値と最小値との間の範囲内であり得、それらのいずれかを含むことが理解されるべきである。
【０１５７】
図５６にさらに示されるように、断熱システム５６００は、第１の空洞５６３０内に設置された第１の断熱バット５６４０を含み得る。第２の断熱バット５６４２は、第２の空洞５６４２内に設置または別様に配列され得る。特定の態様では、断熱バット５６４０、５６４２は、事前に切断された断熱バットであり得る。別の態様では、断熱バット５６４０、５６４２は、断熱材ロールから切断され得る。図５５に示されるように、断熱バット５６４０は、ＷＣよりも大きい幅を有することができる。したがって、断熱バット５６４０、５６４２は、互いに係合するように断熱材支持レール上および建築物構造の周りに膨張して、断熱バット５６４０、５６４２の上と下に気密空間を作り出すことができる。断熱バット５６４０、５６４２をさらにシールするために、断熱バットの上に提供された障壁をテープでシールすることができる。
【０１５８】
特定の態様では、断熱バット５６４０、５６４２は、床５６７０の上の高さＨに配設され得、Ｈは、３フィート以上であり得る。さらに、Ｈは、３．５フィート以上、例えば、４．０フィート以上、４．５フィート以上、５．０フィート以上、５．５フィート以上、または６．０フィート以上であり得る。別の態様では、Ｈは、１０．０フィート以下、例えば、９．５以下、９．０フィート以下、８．５フィート以下、８．０フィート以下、７．５フィート以下、７．０フィート以下、または６．５フィート以下であり得る。
【０１５９】
図５６に示されるように、断熱バット５６４０、５６４２を設置することが特定の方法ステップを含み得ることが理解され得る。例えば、断熱材を設置する方法は、第１のレールと第２のトラスとの間に第１の空洞を確立するために第１のレールを第１のトラスの上に設置することと、第２のレールと第３のトラスとの間に第２の空洞を確立するために第２のレールを第２のトラスの上に設置することと、第１の空洞内に第１の断熱バットを設置することとを含み得る。本方法は、第２の空洞内に第２の断熱バットを設置することをさらに含み得る。それに従って、本方法は、第１のバットと第２のバットとの間の直線接合部にテープを適用することを含み得る。断熱バットまたはその一部（例えば、障壁フラップ）は、各レールの面にステープル留めまたは別様に付着され得ることが理解され得る。レールを実質的に水平に設置することができることが理解され得る。さらに、レールをトラスの垂直中心線に対して実質的に直角に設置することができる。特定の態様では、レールの各々は、本明細書に記載されているように、開放端部と閉鎖端部とを有する略Ｕ字形の断面を含み、閉鎖端部がそれぞれのトラスに隣接した状態で各レールが設置されている。
【０１６０】
ここで図５７〜６０を参照すると、別の断熱システムが図示されており、概して、５７００で示されている。示されるように、断熱システム５７００は、第１の壁スタッド５７０２、第２の壁スタッド５７０４、および第３の壁スタッド５７０６を含み得る。図５７はさらに、断熱システム５７００が、第１の壁スタッド５７０２の面に連結または別様に付着された第１の断熱材支持レール５７１２を含み得ることを示す。第２の断熱材支持レール５７１４は、第２の壁スタッド５７０４の面に連結または別様に付着され得る。第３の断熱材支持レール５７１４は、第３の壁スタッド５７０６の面に連結または別様に付着され得る。断熱材支持レール５７１０、５７１２、５７１４は、略Ｕ字形であり得、断熱材支持レール５７１０、５７１２、５７１４を、断熱材支持レール５７１０、５７１２、５７１４の各々の（断面における）最長寸法が壁スタッド５７０２、５７０４、５７０６の（断面における）最長寸法に対して実質的に直角であるように、壁スタッド５７０２、５７０４、５７０６の面に設置することができる。換言すれば、Ｕ字形レール５７１０、５７１２、５７１４は、本明細書の他の箇所に記載されているように、ベースプレート、第１のタイン、および第２のタインを有することができ、各レール５７１０、５７１２、５７１４のタインのうちの１つをそれぞれの壁スタッド５７０２、５７０４、５７０６の面に対して付着させることができる。かかる事例では、各レール５７１０、５７１２、５７１４のベースプレートは、各壁スタッド５７０２、５７０４、５７０６の面に対して実質的に直角である。特定の態様では、それぞれの壁スタッド５７０２、５７０４、５７０８上の各断熱材支持レール５７１０、５７１２、５７１４の全体の深さは、約３．５インチである。
【０１６１】
特定の態様では、断熱材支持レール５７１０、５７１２、５７１４は、本明細書に記載されている断熱材支持レールのいずれかと同様に構成され得る。さらに、断熱材支持レール５７１０、５７１２、５７１４は、ステープル、釘、ネジ、のり、テープ、または任意の他の適切な緊結手段を使用してそれぞれの壁スタッド５７０２、５７０４、５７０６に付着され得る。
【０１６２】
図５７〜６０はさらに、断熱システム５７００が断熱材支持レール５７１０、５７１２、５７１４の反対側の壁スタッド５７０２、５７０４、５７０６に付着された外側被覆材５７２０を含み得ることを示す。さらに、断熱システム５７００は、第１の壁スタッド５７０２と第２の壁スタッド５７０４との間、例えば、第１の断熱材支持レール５７１０と第２の断熱材支持レール５７１２との間、またはそれらの組み合わせの間に確立または別様に形成された第１の空洞５７３０を含み得る。さらに、断熱システム５７００は、第２の壁スタッド５７０４と第３の壁スタッド５７０６との間、第２の断熱材支持レール５７１２と第３の断熱材支持レール５７１４との間、またはそれらの組み合わせの間に確立または別様に形成された第２の空洞５７３０を含み得る。
【０１６３】
特定の態様では、各空洞５７３０、５７３２は、空洞幅ＷＣを画定し得、ＷＣは、４８．０インチ以下である。さらに、ＷＣは、４４．０インチ以下、例えば、４０．０インチ以下、３６．０インチ以下、３２．０インチ以下、２８．０インチ以下、２４．０インチ以下、２３．５．０インチ以下、２３．０インチ以下、２２．５インチ以下、２２．０インチ以下、２１．５インチ以下、２１．０インチ以下、２０．５インチ以下、２０．０インチ以下、１９．５インチ以下、１９．０インチ以下、１８．５インチ以下、１８．０インチ以下、１７．５インチ以下、１７．０インチ以下、１６．５インチ以下、または１６．０インチ以下であり得る。別の態様では、ＷＣは、１０．０インチ以上、例えば、１０．５インチ以上、１１．０インチ以上、１１．５インチ以上、または１２．０インチ以上であり得る。ＷＣは、本明細書に記載のＷＣの最大値と最小値との間の範囲内であり得、それらのいずれかを含むことが理解されるべきである。
【０１６４】
図５９および６０にさらに示されるように、断熱システム５７００は、第１の空洞５７３０内に設置された第１の断熱バット５７４０を含み得る。第２の断熱バット５７４２は、第２の空洞５７４２内に設置または別様に配列され得る。特定の態様では、断熱バット５７４０、５７４２は、事前に切断された断熱バットであり得る。別の態様では、断熱バット５７４０、５７４２は、断熱材ロールから切断され得る。図５５に示されるように、断熱バット５７４０は、ＷＣよりも大きい幅を有することができる。したがって、断熱バット５７４０、５７４２は、互いに係合するように断熱材支持レール上および建築物構造の周りに膨張して、断熱バット５７４０、５７４２の上と下に気密空間を作り出すことができる。断熱バット５７４０、５７４２をさらにシールするために、断熱バットの上に提供された障壁をテープ５７６０でシールすることができる。
【０１６５】
断熱システム５７００は、壁スタッド５７０２、５７０４、５７０６に対して垂直に配向されたレール５７１０、５７１２、５７１４を示す。レール５７１０、５７１２、５７１４を壁スタッド５７０２、５７０４、５７０６に対して水平に設置することができることが理解され得る。したがって、レール５７１０、５７１２、５７１４の間に設置された断熱バット５７４０、５７４２はまた、壁スタッド５７０２、５７０４、５７０６に対して水平であり得る。さらに、断熱バット５７４０、５７４０と外側被覆材５７２０との間に空気間隙を提供することができる。
【０１６６】
図５７〜６０に図示される断熱システム５７００は、その中に様々な構成要素を設置するための特定の方法ステップを含み得る。例えば、断熱材を設置する方法は、第１の垂直スタッド上に第１のレールを設置することと、第１の垂直スタッドから距離を置いて離間された第２の垂直スタッド上に第２のレールを設置して、第１のレールと第２のレールとの間に第１の空洞を確立することと、第１の空洞内に第１の断熱バットを設置することとを含み得る。本方法は、第２の垂直スタッドから距離を置いて離間された第３の垂直スタッド上に第３のレールを設置して、第２のレールと第３のレールとの間に第２の空洞を確立することと、第２の空洞内に第２の断熱バットを設置することとをさらに含み得る。さらに、本方法は、第１のバットと第２のバットとの間の直線接合部にテープを適用することを含み得る。特定の態様では、レールを実質的に垂直に設置することができる。さらに、レールをスタッドに対して実質的に平行に設置することができる。特定の態様では、レールの各々は、開放端部と閉鎖端部とを有する略Ｕ字形の断面を含み得、開放端部がスタッドの面に対して直角な状態で各レールが設置されている。また、レールの各々は、各レールの開放端部が同じ方向に面するように設置されている。
【０１６７】
図６１〜６５は、本明細書に記載の断熱システムと併せて使用することができる様々な他の断熱材支持レールを示す。図６１は、略Ｌ字形の断熱材支持レール６１００を示す。図６２は、略Ｔ字形の９０度回転した断熱材支持レール６２００を示す。図６３は、略Ｉ字形の断熱材支持レール６３００を示す。図６４は、ベースプレートとそこから延在する２つの傾斜したタインを有する略Ｋ字形の断熱材支持レール６３００を示す。図６５は、ベースプレートとそれから実質的に直角に延在する２つのタインを含む断熱材支持レール６５００を示す。断熱材支持レール６１００、６２００、６３００、６４００、６５００の各々は、本明細書でより詳細に記載されている断熱材支持レール５０００に関連して記載されているように、フックまたは棘を含み得ることが理解され得る。
【０１６８】
図６６を参照すると、別の断熱システムが図示されており、概して６６００で示されている。示されるように、断熱システム６６００は、第１の壁スタッド６６０２、第２の壁スタッド６６０４、および第３の壁スタッド６６０６を含み得る。図６６はさらに、断熱システム６６００が、第１の壁スタッド６６０２の面に連結または別様に付着された第１の吊設具６６１２を含み得ることを示す。第２の吊設具レール６６１４は、第２の壁スタッド６６０４の面に連結または別様に付着され得る。第３の吊設具６６１４は、第３の壁スタッド６６０６の面に連結または別様に付着され得る。吊設具６６１０、６６１２、６６１４は、本明細書に記載の吊設具のいずれかと同様であり得る。
【０１６９】
図示のように、第１の断熱材支持レール６６１６は。第１の吊設具６６１０に連結され得る。さらに、第２の断熱材支持レール６６１８は、第２の吊設具６６１２に連結され得る。第３の断熱材支持レール６６２０は、第３の吊設具６６１４に連結され得る。断熱材支持レール６６１６、６６１８、６６２０は、略Ｕ字形であり得、断熱材支持レール６６１６、６６１８、６６２０を、レール６６１６、６６１８、６６２０の開口部が吊設具６６１０、６６１２、６６１４の端部の周りに延在するように、吊設具６６１０、６６１２、６６１４の上に設置することができる。
【０１７０】
図６６〜６０はさらに、断熱システム６６００が吊設具６６１０、６６１２、６６１４の反対側の壁スタッド６６０２、６６０４、６６０６に付着された外側被覆材６６２２を含み得ることを示す。さらに、断熱システム６６００は、第１の壁スタッド６６０２と第２の壁スタッド６６０４との間、第１の吊設具６６１０と第２の吊設具６６１２との間、第１の断熱材支持レール６６１６と第２の断熱材支持レール６６１８との間、またはそれらの組み合わせの間に確立または別様に形成された第１の空洞６６３０を含み得る。さらに、断熱システム６６００は、第２の壁スタッド６６０４と第３の壁スタッド６６０６との間、第２の吊設具６６１２と第３の吊設具６６１４との間、第２の断熱材支持レール６６１８と第３の断熱材支持レール６６２０との間、またはそれらの組み合わせの間に確立または別様に形成された第２の空洞６６３２を含み得る。
【０１７１】
特定の態様では、各空洞６６３０、６６３２は、空洞幅ＷＣを画定し得、ＷＣは、４８．０インチ以下である。さらに、ＷＣは、４４．０インチ以下、例えば、４０．０インチ以下、３６．０インチ以下、３２．０インチ以下、２８．０インチ以下、２４．０インチ以下、２３．５．０インチ以下、２３．０インチ以下、２２．５インチ以下、２２．０インチ以下、２１．５インチ以下、２１．０インチ以下、２０．５インチ以下、２０．０インチ以下、１９．５インチ以下、１９．０インチ以下、１８．５インチ以下、１８．０インチ以下、１７．５インチ以下、１７．０インチ以下、１６．５インチ以下、または１６．０インチ以下であり得る。別の態様では、ＷＣは、１０．０インチ以上、例えば、１０．５インチ以上、１１．０インチ以上、１１．５インチ以上、または１２．０インチ以上であり得る。ＷＣは、本明細書に記載のＷＣの最大値と最小値との間の範囲内であり得、それらのいずれかを含むことが理解されるべきである。
【０１７２】
さらに、各空洞６６３０、６６３２は、外側被覆材６６２２からレール６６１６、６６１８、６６３０の面まで測定された空洞深さＷＤを画定し得、ＷＤは、１２．０インチ以下である。さらに、ＷＤは、１１．５インチ以下、例えば、１１．０インチ以下、１０．５インチ以下、または１０．０インチ以下であり得る。別の態様では、ＷＤは、３．５インチ以上、例えば、４．０インチ以上、４．５インチ以上、５．０インチ以上、５．５インチ以上、または６．０インチ超であり得る。ＷＤは、本明細書に記載のＷＤの最大値と最小値との間の範囲内であり得、それらのいずれかを含むことが理解されるべきである。
【０１７３】
図６６にさらに示されるように、断熱システム６６００は、第１の空洞６６３０内に設置された第１の断熱バット６６４０を含み得る。第２の断熱バット６６４２は、第２の空洞６６４２内に設置または別様に配列され得る。特定の態様では、断熱バット６６４０、６６４２は、事前に切断された断熱バットであり得る。別の態様では、断熱バット６６４０、６６４２は、断熱材ロールから切断され得る。図５５に示されるように、断熱バット６６４０は、ＷＣよりも大きい幅を有することができる。したがって、断熱バット６６４０、６６４２は、互いに係合するように断熱材支持レール上および建築物構造の周りに膨張して、断熱バット６６４０、６６４２の上と下に気密空間を作り出すことができる。断熱バット６６４０、６６４２をさらにシールするために、断熱バットの上に提供された障壁をテープでシールすることができる。
【０１７４】
さらに他のバージョンは、以下の実施形態のうちの１つ以上を含み得る。
実施形態１．屋根デッキを支持する垂木を有する屋根裏内で断熱材を支持するための吊設具であって、
軸、および軸方向の細長い外形、を有する梁を備え、細長い外形が、
垂木に連結されるように構成された近位端部であって、少なくとも１つの平面状部分を備え、設置されたときに、屋根デッキに対して実質的に平行であり、垂木に対して実質的に直角であるように構成されている、近位端部と、
近位端部と屋根デッキとの間に提供されるように構成されている換気空気間隙と、
実質的に平面状であり、近位端部の平面状部分に平行である遠位端部と、
実質的に平面状である少なくとも１つのウェブであって、近位端部と遠位端部との間に、それらに対して実質的に直角に延在し、近位端部と遠位端部との間に位置する孔または空隙を備える、少なくとも１つのウェブと、
近位端部と遠位端部との間でウェブに沿って画定された断熱空間と、を備え、
遠位端部が、断熱空間内に位置する断熱バットに連結されるように構成されている、吊設具。
【０１７５】
実施形態２．梁が、ポリマー組成物からなる、実施形態１の吊設具。
【０１７６】
実施形態３．梁が、手ばさみなどの手動工具を用いて切断され得、梁が、任意の追加のストラップ材なしでガラス繊維バットを支持するように構成されている、実施形態１の吊設具。
【０１７７】
実施形態４．梁が、穿孔されている、実施形態１の吊設具。
【０１７８】
実施形態５．近位端部が、穿孔を備える、実施形態１の吊設具。
【０１７９】
実施形態６．穿孔が、平行な列のスリットを含む、実施形態５の吊設具。
【０１８０】
実施形態７．スリットが、丸みを帯びた長円形および長方形のうちの少なくとも１つである、実施形態６の吊設具。
【０１８１】
実施形態８．ウェブが、穿孔されている、実施形態１の吊設具。
【０１８２】
実施形態９．遠位端部が、穿孔されていない、実施形態１の吊設具。
【０１８３】
実施形態１０．梁が、Ｉ型梁、Ｊ型梁、Ｃ型梁、およびＳ型梁のうちの少なくとも１つを含む、実施形態１の吊設具。
【０１８４】
実施形態１１．細長い外形の各端部が、第２の梁と係合するように構成されたタブを備える、実施形態１の吊設具。
【０１８５】
実施形態１２．タブが、近位端部にのみ位置する、実施形態１１の吊設具。
【０１８６】
実施形態１３．梁の一部が、異なる材料から形成されている、実施形態１の吊設具。
【０１８７】
実施形態１４．梁の第１の部分が、ガラス強化ポリ塩化ビニル（ＰＶＣ）を含み、梁の第２の部分が、ＰＶＣを含む、実施形態１３の吊設具。
【０１８８】
実施形態１５．梁の一部が、異なる熱膨張率を有する、実施形態１の吊設具。
【０１８９】
実施形態１６．梁が、約５０Ｅ−０６ｉｎ／（ｉｎ．Ｆ）以下の熱膨張率を含む、実施形態１の吊設具。
【０１９０】
実施形態１７．１０インチの距離で０．５ｌｂの重量を有する梁が、約０．１インチ〜約２インチの範囲の最大垂直偏向を有する、実施形態１の吊設具。
【０１９１】
実施形態１８．梁が、その自重下で、近位端部および遠位端部によって画定される平面に対して、約１度〜約５度の範囲の最大偏向を有する、実施形態１の吊設具。
【０１９２】
実施形態１９．梁が、ポリマー材料の単一層を含む、実施形態１の吊設具。
【０１９３】
実施形態２０．梁の少なくとも一部が、押出成形および射出成形のうちの少なくとも１つである、実施形態１の吊設具。
【０１９４】
実施形態２１．梁の近位端部が、垂木の底部表面にのみ取り付けられている、実施形態１の吊設具。
【０１９５】
実施形態２２．建築物の屋根裏を断熱するためのシステムであって、建築物が、屋根デッキを備える屋根と、屋根裏の内側で屋根デッキを支持する垂木とを有し、システムが、
屋根裏で断熱材を支持するための梁を備え、梁の各々が、軸、および軸方向の細長い外形、を備え、細長い外形が、
屋根デッキにではなく、垂木にのみ装着される近位端部であって、平面状であり、屋根デッキに対して実質的に平行である、近位端部と、
実質的に平面状であり、近位端部に平行である遠位端部と、
実質的に平面状であるウェブであって、近位端部と遠位端部との間に、それらに対して実質的に直角に延在する、ウェブと、
近位端部と遠位端部との間でウェブに沿って画定された断熱空間と、を備え、システムがさらに、
断熱空間内の梁のうちの隣接するものに、およびそれらの間に装着される断熱バットであって、断熱バットの各々が、断熱材料、および梁の遠位端部に面する外層を含み、外層が、ＡＣＨ５０＜３の気密性を含む、断熱バットと、
梁の遠位端部および断熱バットの外層に適用されて、それらの間に気密障壁を形成する第１のテープと、を備え、気密障壁が、ＡＣＨ５０＜３を含む、システム。
【０１９６】
実施形態２３．システムの材料が、断熱バットおよび第１のテープ以外、梁のうちの隣接するものの間には延在しない、実施形態２２のシステム。
【０１９７】
実施形態２４．気密性および気密障壁が、ＡＣＨ５０＜１．６を含む、実施形態２２のシステム。
【０１９８】
実施形態２５．気密性および気密障壁が、ＡＣＨ５０＜０．６を含む、実施形態２２のシステム。
【０１９９】
実施形態２６．外層が、スマート蒸気遅延剤（ＳＶＲ）およびクラフト紙のうちの少なくとも１つを含む、実施形態２２のシステム。
【０２００】
実施形態２７．当接バット間に形成された接合部をシールする追加のテープストリップをさらに備え、追加のテープストリップが、梁の軸に対して実質的に直角であり、追加のテープストリップが、梁のうちの隣接するものの間に延在する、実施形態２２のシステム。
【０２０１】
実施形態２８．バットが、テープ留めする前に最初に梁にステープル留めされる、実施形態２２のシステム。
【０２０２】
実施形態２９．システムが、断熱材の下に他の支持部材または支持構造を備えない、実施形態２２のシステム。
【０２０３】
実施形態３０．梁が、垂木を横断する、実施形態２２のシステム。
【０２０４】
実施形態３１．第１のテープが、全天候用点滅テープを含む、実施形態２２のシステム。
【０２０５】
実施形態３２．断熱バットを通って延在する屋根裏の突出部をさらに備え、テープを突出部と断熱バットとの間に適用してそれらの間に気密障壁を形成し、気密障壁が、ＡＣＨ５０＜３を含む、実施形態２２のシステム。
【０２０６】
実施形態３３．断熱バットを通って延在する屋根裏の突出部をさらに備え、第２のテープを突出部と断熱バットとの間に適用してそれらの間に気密障壁を形成し、気密障壁が、ＡＣＨ５０＜３を含み、第２のテープが、第１のテープとは異なる、実施形態２２のシステム。
【０２０７】
実施形態３４．屋根裏の突出部が、屋根をさらに支持するトラス部材を含む、実施形態３３のシステム。
【０２０８】
実施形態３５．第２のテープが、少なくとも約１００％の伸長能力を備えるストレッチテープである、実施形態３３のシステム。
【０２０９】
実施形態３６．屋根デッキとシステムの上部部分との間に換気空気間隙をさらに備える、実施形態２２のシステム。
【０２１０】
実施形態３７．梁の近位端部が、緊結具で垂木に装着されている、実施形態２２に記載のシステム。
【０２１１】
実施形態３８．緊結具が、ステープル、釘、またはネジを含む、実施形態３７のシステム。
【０２１２】
実施形態３９．梁が、金属製ではない、実施形態２２のシステム。
【０２１３】
実施形態４０．建築物の屋根裏を断熱する方法であって、建築物が、屋根デッキを備える屋根と、屋根裏の内側で屋根デッキを支持する垂木とを有し、方法が、
（ａ）軸方向の細長い外形を備える梁を提供することと、
（ｂ）梁の近位端部のみを垂木に緊結することと、
（ｃ）梁のうちの隣接するものの遠位端部に断熱バットを位置決めすることであって、断熱バットの各々が、断熱材料、および梁の遠位端部に面する外層を含み、外層が、ＡＣＨ５０＜３の気密性を含む、位置決めすることと、
（ｄ）テープを梁の遠位端部および断熱バットの外層に適用してそれらの間に気密障壁を形成することと、を含み、気密障壁が、ＡＣＨ５０＜３の気密性を含む、方法。
【０２１４】
実施形態４１．断熱バットおよびテープ以外、梁のうちの隣接するものの間に材料を延在させないことをさらに含む、実施形態４０の方法。
【０２１５】
実施形態４２．屋根裏の突出部が、断熱バットを通って延在し、方法が、第２のテープを突出部と断熱バットとの間に適用してそれらの間に気密障壁を形成することをさらに含み、気密障壁が、ＡＣＨ５０＜３を含み、第２のテープが、第１のテープとは異なる、実施形態４０の方法。
【０２１６】
実施形態４３．突出部が、屋根をさらに支持するトラス部材を含み、第２のテープが、少なくとも約１００％の伸長能力を有するストレッチテープを含む、実施形態４２の方法。
【０２１７】
実施形態４４．屋根デッキを支持する垂木を有する屋根裏内で断熱材を支持するための吊設具であって、
軸、および軸方向の外形、を有する梁、を備え、外形が、
軸方向に細長く、かつ実質的に平面状である遠位端部と、
遠位端部から延在するストラップであって、実質的に平面状であり、かつ遠位端部に対して直角であり、各ストラップが、平面状の、それぞれの垂木に連結されるように構成された近位端部を備える、ストラップと、
近位端部と遠位端部との間のストラップに沿って画定された断熱空間と、を備え、
遠位端部が、断熱空間内に位置する断熱バットに連結されるように構成されている、吊設具。
【０２１８】
実施形態４５．近位端部が、遠位端部に対して実質的に平行であり、近位端部が、設置時に屋根デッキに対して実質的に平行であるように構成されている、実施形態４４の吊設具。
【０２１９】
実施形態４６．近位端部が、遠位端部に対して実質的に直角である、実施形態４４の吊設具。
【０２２０】
実施形態４７．ストラップによって画定される平面が、垂木の軸方向長さに沿って画定される垂直平面に対して直角であるように構成されている、実施形態４４の吊設具。
【０２２１】
実施形態４８．ストラップによって画定される平面が、垂木の軸方向長さに沿って画定される垂直平面に対して平行であるように構成されている、実施形態４４の吊設具。
【０２２２】
実施形態４９．近位端部が、垂木の底部表面にのみ取り付けられるように構成されている、実施形態４４の吊設具。
【０２２３】
実施形態５０．近位端部が、垂木の底部表面および側部表面に取り付けられるように構成されている、実施形態４４の吊設具。
【０２２４】
実施形態５１．近位端部が、垂木の側部表面にのみ取り付けられるように構成されている、実施形態４４の吊設具。
【０２２５】
実施形態５２．垂木およびトラス構造を有する屋根裏の断熱システム内にシールを形成する方法であって、
（ａ）梁を垂木に設置することと、
（ｂ）トラス部材が断熱バットを通って延在するように、断熱バットを梁に装着することと、
（ｃ）剥離ライナが取り付けられており、セグメントに分割されたテープを提供することと、次いで、
（ｄ）剥離ライナのセグメントを系統的に除去しながら、テープを１つのトラス部材および断熱バットに適用することと、を含む、方法。
【０２２６】
実施形態５３．平行な列のスリットが、軸方向と実質的に位置合わせされている、実施形態６の吊設具。
【０２２７】
実施形態５４．ポリマー材料の単一層が、軸方向に沿って最終断面形状に重畳され、リブ付き縁部を用いて超音波溶接され、ヒートステークされ、および熱成形されるかの少なくとも１つである、実施形態１９の吊設具。
【０２２８】
実施形態５５．遠位端部が、断熱バットを支持する平面状部分を含む、実施形態４０の方法。
【０２２９】
実施形態５６．建築物の屋根裏を断熱するためのシステムであって、建築物が、屋根デッキを備える屋根と、屋根裏の内側で屋根デッキを支持する垂木とを有し、システムが、
垂木に位置合わせされて装着されたブラケットと、
ブラケットを介して垂木から懸吊されるようにブラケットに取り付けられた梁と、
梁の間に延在する断熱バットと、
断熱バットを梁に固設するためのテープと、を備える、システム。
【０２３０】
実施形態５７．梁と垂木とが独立して移動するように、梁および垂木が、それらの間に固定された接合部を有していない、実施形態５６のシステム。
【０２３１】
実施形態５８．ブラケットおよび梁が、それらの間に摺動表面を備える、実施形態５６のシステム。
【０２３２】
実施形態５９．各梁が、近位端部、遠位端部、近位端部と遠位端部との間のウェブを有し、近位端部が、リブを有する、実施形態５６のシステム。
【０２３３】
実施形態６０．リブが、近位端部の一方の側から延在し、リブが、近位端部に向かって折り返すリップで終端する、実施形態５９のシステム。
【０２３４】
実施形態６１．それぞれの梁がブラケット内にクリップ留めされるように、各ブラケットが、リブおよびリップを受容する、実施形態６０のシステム。
【０２３５】
実施形態６２．ブラケットが、それぞれの垂木を密接に受容するための垂木クリップを含み、垂木クリップが、垂木に恒久的に取り付ける前に垂木の上でブラケットの重量を支持する、実施形態５６のシステム。
【０２３６】
実施形態６３．各ブラケットが、追加の緊結具を使用せずに、それぞれの梁を固設し、断熱バットを支持するための歯を有するクリップを備える、実施形態５６のシステム。
【０２３７】
実施形態６４．クリップの上部部分が、それぞれの梁の近位端部の頂部と重なる、実施形態６３のシステム。
【０２３８】
実施形態６５．梁のウェブの長さが、ブラケットの長さと実質的に等しい、実施形態５６のシステム。
【０２３９】
実施形態６６．梁の遠位端部が、それぞれのブラケットの下部縁部を捕捉する垂直フランジを備える、実施形態５６のシステム。
【０２４０】
実施形態６７．梁が、ポリマー組成物からなる、実施形態５６のシステム。
【０２４１】
実施形態６８．梁が、手ばさみなどの手動工具を用いて切断され得、梁が、任意の追加のストラップ材なしでガラス繊維バットを支持するように構成されている、実施形態５６のシステム。
【０２４２】
実施形態６９．梁が、穿孔されている、実施形態５６のシステム。
【０２４３】
実施形態７０．梁の近位端部が、穿孔を備える、実施形態５６のシステム。
【０２４４】
実施形態７１．梁のウェブが、穿孔されている、実施形態５６のシステム。
【０２４５】
実施形態７２．梁の遠位端部が、穿孔されていない、実施形態５６のシステム。
【０２４６】
実施形態７３．梁が、Ｉ型梁およびＪ型梁のうちの少なくとも１つを含む、実施形態５６のシステム。
【０２４７】
実施形態７４．梁の一部が、異なる材料から形成されている、実施形態５６のシステム。
【０２４８】
実施形態７５．梁の一部が、異なる熱膨張率を有する、実施形態５６のシステム。
【０２４９】
実施形態７６．梁が、約５０Ｅ−０６ｉｎ／（ｉｎ．Ｆ）以下の熱膨張率を含む、実施形態５６のシステム。
【０２５０】
実施形態７７．１０インチの距離で０．５ｌｂの重量を有する各梁が、約０．１インチ〜約２インチの範囲の最大垂直偏向を有する、実施形態５６のシステム。
【０２５１】
実施形態７８．各梁が、その自重下で、その近位端部および遠位端部によって画定される平面に対して、約１度〜約５度の範囲の最大偏向を有する、実施形態５６のシステム。
【０２５２】
実施形態７９．各梁が、ポリマー材料の単一層を含む、実施形態５６のシステム。
【０２５３】
実施形態８０．各梁の少なくとも一部が、押出成形および射出成形のうちの少なくとも１つである、実施形態５６のシステム。
【０２５４】
実施形態８１．システムの材料が、断熱バットおよび第１のテープ以外、梁のうちの隣接するものの間には延在しない、実施形態５６のシステム。
【０２５５】
実施形態８２．システムが気密性を備え、気密障壁がＡＣＨ５０＜１．６を含む、実施形態５６のシステム。
【０２５６】
実施形態８３．気密性および気密障壁が、ＡＣＨ５０＜０．６を含む、実施形態８２のシステム。
【０２５７】
実施形態８４．断熱バットが、スマート蒸気遅延剤（ＳＶＲ）およびクラフト紙のうちの少なくとも１つを含む外層を備える、実施形態５６のシステム。
【０２５８】
実施形態８５．当接バット間に形成された接合部をシールする追加のテープストリップをさらに備え、追加のテープストリップが、梁の軸に対して実質的に直角であり、追加のテープストリップが、梁のうちの隣接するものの間に延在する、実施形態５６のシステム。
【０２５９】
実施形態８６．断熱バットが、テープ留めする前に最初に梁にステープル留めされる、実施形態５６のシステム。
【０２６０】
実施形態８７．システムが、断熱バットの下に他の支持部材または支持構造を備えない、実施形態５６のシステム。
【０２６１】
実施形態８８．梁が、垂木に対して直角である、実施形態５６のシステム。
【０２６２】
実施形態８９．テープが、全天候用点滅テープを含む、実施形態５６のシステム。
【０２６３】
実施形態９０．屋根裏が、断熱バットを通って延在する突出部を備え、テープを突出部と断熱バットとの間に適用してそれらの間に気密障壁を形成し、気密障壁が、ＡＣＨ５０＜３を含む、実施形態５６のシステム。
【０２６４】
実施形態９１．屋根裏が、断熱バットを通って延在する突出部を備え、第２のテープを突出部と断熱バットとの間に適用してそれらの間に気密障壁を形成し、気密障壁が、ＡＣＨ５０＜３を含み、第２テープが、テープとは異なる、実施形態５６のシステム。
【０２６５】
実施形態９２．突出部が、屋根をさらに支持するトラス部材を含む、実施形態９１のシステム。
【０２６６】
実施形態９３．第２のテープが、少なくとも約１００％の伸長能力を備えるストレッチテープである、実施形態９１のシステム。
【０２６７】
実施形態９４．屋根デッキとシステムの上部部分との間に換気空気間隙をさらに備える、実施形態５６のシステム。
【０２６８】
実施形態９５．梁が、金属製ではない、実施形態５６のシステム。
【０２６９】
実施形態９６．屋根デッキを支持する垂木を有する屋根裏内で断熱材を支持するための吊設具であって、
軸、および軸方向の細長い外形、を有する梁を備え、細長い外形が、
垂木に連結されるように構成され近位端部と、
近位端部から離間された遠位端部と、
近位端部と遠位端部との間に延在するウェブと、
近位端部と遠位端部との間でウェブに沿って画定された断熱空間と、を備え、
遠位端部が、断熱空間内に位置する断熱バットに連結されるように構成されており、
梁は、ウェブが近位端部および遠位端部に対して直角ではないように梁が重畳される重畳位置と、ウェブが近位端部および遠位端部に対して実質的に直角である設置位置とを有する、吊設具。
【０２７０】
実施形態９７．屋根デッキを支持する垂木を有する屋根裏内で断熱材を支持するための吊設具であって、
軸、および軸方向の細長い外形、を有する梁を備え、細長い外形が、
垂木に連結されるように構成され近位端部と、
近位端部から離間された遠位端部と、
近位端部と遠位端部との間に延在するウェブと、
近位端部と遠位端部との間でウェブに沿って画定された断熱空間と、を備え、
遠位端部が、断熱空間内に位置する断熱バットに連結されるように構成されており、
ウェブが、細長い外形の全体を跨ぐ中実部分と、近位端部のうちのそれぞれのものに係合するセグメント化部分とを備え、セグメント化部分内の空隙が、近位端部から中実部分まで延在する、吊設具。
【０２７１】
実施形態９８．屋根デッキを支持する垂木を有する屋根裏内で断熱材を支持するための吊設具であって、
軸、および軸方向の細長い外形、を有する梁を備え、細長い外形が、
垂木に連結されるように構成された近位端部であって、少なくとも１つの平面状部分を備え、設置されたときに、屋根デッキに対して実質的に平行であり、垂木に対して実質的に直角であるように構成されている、近位端部と、
近位端部と屋根デッキとの間に提供されるように構成されている換気空気間隙と、
実質的に平面状であり、近位端部の平面状部分に平行である遠位端部と、
実質的に平面状である少なくとも１つのウェブであって、近位端部と遠位端部との間に、それらに対して実質的に直角に延在し、近位端部と遠位端部との間に位置する孔または空隙を備える、少なくとも１つのウェブと、
近位端部と遠位端部との間でウェブに沿って画定された断熱空間と、を備え、
遠位端部が、断熱空間内に位置する断熱バットに連結されるように構成されている、吊設具。
【０２７２】
実施形態９９．梁が、ポリマー組成物からなる、実施形態９８の吊設具。
【０２７３】
実施形態１００．梁が、手ばさみなどの手動工具を用いて切断され得、梁が、任意の追加のストラップ材なしでガラス繊維バットを支持するように構成されている、実施形態９８の吊設具。
【０２７４】
実施形態１０１．梁が、穿孔されている、実施形態９８の吊設具。
【０２７５】
実施形態１０２．近位端部が、穿孔を備える、実施形態９８の吊設具。
【０２７６】
実施形態１０３．穿孔が、平行な列のスリットを含む、実施形態１０２の吊設具。
【０２７７】
実施形態１０４．スリットが、丸みを帯びた長円形および長方形のうちの少なくとも１つである、実施形態１０３の吊設具。
【０２７８】
実施形態１０５．ウェブが、穿孔されている、実施形態９８の吊設具。
【０２７９】
実施形態１０６．遠位端部が、穿孔されていない、実施形態９８の吊設具。
【０２８０】
実施形態１０７．梁が、Ｉ型梁、Ｊ型梁、Ｃ型梁、およびＳ型梁のうちの少なくとも１つを含む、実施形態９８の吊設具。
【０２８１】
実施形態１０８．細長い外形の各端部が、第２の梁と係合するように構成されたタブを備える、実施形態９８の吊設具。
【０２８２】
実施形態１０９．タブが、近位端部にのみ位置する、実施形態１０８の吊設具。
【０２８３】
実施形態１１０．梁の一部が、異なる材料から形成されている、実施形態９８の吊設具。
【０２８４】
実施形態１１１．梁の第１の部分が、ガラス強化ポリ塩化ビニル（ＰＶＣ）を含み、梁の第２の部分が、ＰＶＣを含む、実施形態１１０の吊設具。
【０２８５】
実施形態１１２．梁の一部が、異なる熱膨張率を有する、実施形態９８の吊設具。
【０２８６】
実施形態１１３．梁が、約５０Ｅ−０６ｉｎ／（ｉｎ．Ｆ）以下の熱膨張率を含む、実施形態９８の吊設具。
【０２８７】
実施形態１１４．１０インチの距離で０．５ｌｂの重量を有する梁が、約０．１インチ〜約２インチの範囲の最大垂直偏向を有する、実施形態９８の吊設具。
【０２８８】
実施形態１１５．梁が、その自重下で、近位端部および遠位端部によって画定される平面に対して、約１度〜約５度の範囲の最大偏向を有する、実施形態９８の吊設具。
【０２８９】
実施形態１１６．梁が、ポリマー材料の単一層を含む、実施形態９８の吊設具。
【０２９０】
実施形態１１７．梁の少なくとも一部が、押出成形および射出成形のうちの少なくとも１つである、実施形態９８の吊設具。
【０２９１】
実施形態１１８．梁の近位端部が、垂木の底部表面にのみ取り付けられている、実施形態９８の吊設具。
【０２９２】
実施形態１１９．建築物の屋根裏を断熱するためのシステムであって、建築物が、屋根デッキを備える屋根と、屋根裏の内側で屋根デッキを支持する垂木とを有し、システムが、
屋根裏で断熱材を支持するための梁を備え、梁の各々が、軸、および軸方向の細長い外形、を備え、細長い外形が、
屋根デッキにではなく、垂木にのみ装着される近位端部であって、平面状であり、屋根デッキに対して実質的に平行である、近位端部と、
実質的に平面状であり、近位端部に平行である遠位端部と、
実質的に平面状であるウェブであって、近位端部と遠位端部との間に、それらに対して実質的に直角に延在する、ウェブと、
近位端部と遠位端部との間でウェブに沿って画定された断熱空間と、を備え、システムがさらに、
断熱空間内の梁のうちの隣接するものに、およびそれらの間に装着される断熱バットであって、断熱バットの各々が、断熱材料、および梁の遠位端部に面する外層を含み、外層が、ＡＣＨ５０＜３の気密性を含む、断熱バットと、
梁の遠位端部および断熱バットの外層に適用されて、それらの間に気密障壁を形成する第１のテープと、を備え、気密障壁が、ＡＣＨ５０＜３を含む、システム。
【０２９３】
実施形態１２０．システムの材料が、断熱バットおよび第１のテープ以外、梁のうちの隣接するものの間には延在しない、実施形態１１９のシステム。
【０２９４】
実施形態１２１．気密性および気密障壁が、ＡＣＨ５０＜１．６を含む、実施形態１１９のシステム。
【０２９５】
実施形態１２２．気密性および気密障壁が、ＡＣＨ５０＜０．６を含む、実施形態１１９のシステム。
【０２９６】
実施形態１２３．外層が、スマート蒸気遅延剤（ＳＶＲ）およびクラフト紙のうちの少なくとも１つを含む、実施形態１１９のシステム。
【０２９７】
実施形態１２４．当接バット間に形成された接合部をシールする追加のテープストリップをさらに備え、追加のテープストリップが、梁の軸に対して実質的に直角であり、追加のテープストリップが、梁のうちの隣接するものの間に延在する、実施形態１１９のシステム。
【０２９８】
実施形態１２５．バットが、テープ留めする前に最初に梁にステープル留めされる、実施形態１１９のシステム。
【０２９９】
実施形態１２６．システムが、断熱材の下に他の支持部材または支持構造を備えない、実施形態１１９のシステム。
【０３００】
実施形態１２７．梁が、垂木を横断する、実施形態１１９のシステム。
【０３０１】
実施形態１２８．第１のテープが、全天候用点滅テープを含む、実施形態１１９のシステム。
【０３０２】
実施形態１２９．断熱バットを通って延在する屋根裏の突出部をさらに備え、テープを突出部と断熱バットとの間に適用してそれらの間に気密障壁を形成し、気密障壁が、ＡＣＨ５０＜３を含む、実施形態１１９のシステム。
【０３０３】
実施形態１３０．断熱バットを通って延在する屋根裏の突出部をさらに備え、第２のテープを突出部と断熱バットとの間に適用してそれらの間に気密障壁を形成し、気密障壁が、ＡＣＨ５０＜３を含み、第２のテープが、第１のテープとは異なる、実施形態１１９のシステム。
【０３０４】
実施形態１３１．屋根裏の突出部が、屋根をさらに支持するトラス部材を含む、実施形態１３０のシステム。
【０３０５】
実施形態１３２．第２のテープが、少なくとも約１００％の伸長能力を備えるストレッチテープである、実施形態１３０のシステム。
【０３０６】
実施形態１３３．屋根デッキとシステムの上部部分との間に換気空気間隙をさらに備える、実施形態１１９のシステム。
【０３０７】
実施形態１３４．梁の近位端部が、緊結具で垂木に装着されている、実施形態１１９に記載のシステム。
【０３０８】
実施形態１３５．緊結具が、ステープル、釘、またはネジを含む、実施形態１３４のシステム。
【０３０９】
実施形態１３６．梁が、金属製ではない、実施形態１１９のシステム。
【０３１０】
実施形態１３７．建築物の屋根裏を断熱する方法であって、建築物が、屋根デッキを備える屋根と、屋根裏の内側で屋根デッキを支持する垂木とを有し、方法が、
（ａ）軸方向の細長い外形を備える梁を提供することと、
（ｂ）梁の近位端部のみを垂木に緊結することと、
（ｃ）梁のうちの隣接するものの遠位端部に断熱バットを位置決めすることであって、断熱バットの各々が、断熱材料、および梁の遠位端部に面する外層を含み、外層が、ＡＣＨ５０＜３の気密性を含む、位置決めすることと、
（ｄ）テープを梁の遠位端部および断熱バットの外層に適用してそれらの間に気密障壁を形成することと、を含み、気密障壁が、ＡＣＨ５０＜３の気密性を含む、方法。
【０３１１】
実施形態１３８．断熱バットおよびテープ以外、梁のうちの隣接するものの間に材料を延在させないことをさらに含む、実施形態１３７の方法。
【０３１２】
実施形態１３９．屋根裏の突出部が、断熱バットを通って延在し、方法が、第２のテープを突出部と断熱バットとの間に適用してそれらの間に気密障壁を形成することをさらに含み、気密障壁が、ＡＣＨ５０＜３を含み、第２のテープが、第１のテープとは異なる、実施形態１３７の方法。
【０３１３】
実施形態１４０．突出部が、屋根をさらに支持するトラス部材を含み、第２のテープが、少なくとも約１００％の伸長能力を有するストレッチテープを含む、実施形態１３９の方法。
【０３１４】
実施形態１４１．屋根デッキを支持する垂木を有する屋根裏内で断熱材を支持するための吊設具であって、
軸、および軸方向の外形、を有する梁、を備え、外形が、
軸方向に細長く、かつ実質的に平面状である遠位端部と、
遠位端部から延在するストラップであって、実質的に平面状であり、かつ遠位端部に対して直角であり、各ストラップが、平面状の、それぞれの垂木に連結されるように構成された近位端部を備える、ストラップと、
近位端部と遠位端部との間のストラップに沿って画定された断熱空間と、を備え、
遠位端部が、断熱空間内に位置する断熱バットに連結されるように構成されている、吊設具。
【０３１５】
実施形態１４２．近位端部が、遠位端部に対して実質的に平行であり、近位端部が、設置時に屋根デッキに対して実質的に平行であるように構成されている、実施形態１４１の吊設具。
【０３１６】
実施形態１４３．近位端部が、遠位端部に対して実質的に直角である、実施形態１４１の吊設具。
【０３１７】
実施形態１４４．ストラップによって画定される平面が、垂木の軸方向長さに沿って画定される垂直平面に対して直角であるように構成されている、実施形態１４１の吊設具。
【０３１８】
実施形態１４５．ストラップによって画定される平面が、垂木の軸方向長さに沿って画定される垂直平面に対して平行であるように構成されている、実施形態１４１の吊設具。
【０３１９】
実施形態１４６．近位端部が、垂木の底部表面にのみ取り付けられるように構成されている、実施形態１４１の吊設具。
【０３２０】
実施形態１４７．近位端部が、垂木の底部表面および側部表面に取り付けられるように構成されている、実施形態１４１の吊設具。
【０３２１】
実施形態１４８．近位端部が、垂木の側部表面にのみ取り付けられるように構成されている、実施形態１４１の吊設具。
【０３２２】
実施形態１４９．垂木およびトラス構造を有する屋根裏の断熱システム内にシールを形成する方法であって、
（ａ）梁を垂木に設置することと、
（ｂ）トラス部材が断熱バットを通って延在するように、断熱バットを梁に装着することと、
（ｃ）剥離ライナが取り付けられており、セグメントに分割されたテープを提供することと、次いで、
（ｄ）剥離ライナのセグメントを系統的に除去しながら、テープを１つのトラス部材および断熱バットに適用することと、を含む、方法。
【０３２３】
実施形態１５０．平行な列のスリットが、軸方向と実質的に位置合わせされている、実施形態１０３の吊設具。
【０３２４】
実施形態１５１．ポリマー材料の単一層が、軸方向に沿って最終断面形状に重畳され、リブ付き縁部を用いて超音波溶接され、ヒートステークされ、および熱成形されるかの少なくとも１つである、実施形態１１６の吊設具。
【０３２５】
実施形態１５２．遠位端部が、断熱バットを支持する平面状部分を含む、実施形態１３７の方法。
【０３２６】
実施形態１５３．建築物の屋根裏を断熱するためのシステムであって、建築物が、屋根デッキを備える屋根と、屋根裏の内側で屋根デッキを支持する垂木とを有し、システムが、
垂木に位置合わせされて装着されたブラケットと、
ブラケットを介して垂木から懸吊されるようにブラケットに取り付けられた梁と、
梁の間に延在する断熱バットと、
断熱バットを梁に固設するためのテープと、を備える、システム。
【０３２７】
実施形態１５４．梁と垂木とが独立して移動するように、梁および垂木が、それらの間に固定された接合部を有していない、実施形態１５３のシステム。
【０３２８】
実施形態１５５．ブラケットおよび梁が、それらの間に摺動表面を備える、実施形態１５３のシステム。
【０３２９】
実施形態１５６．各梁が、近位端部、遠位端部、近位端部と遠位端部との間のウェブを有し、近位端部が、リブを有する、実施形態１５３のシステム。
【０３３０】
実施形態１５７．リブが、近位端部の一方の側から延在し、リブが、近位端部に向かって折り返すリップで終端する、実施形態１５６のシステム。
【０３３１】
実施形態１５８．それぞれの梁がブラケット内にクリップ留めされるように、各ブラケットが、リブおよびリップを受容する、実施形態１５７のシステム。
【０３３２】
実施形態１５９．ブラケットが、それぞれの垂木を密接に受容するための垂木クリップを含み、垂木クリップが、垂木に恒久的に取り付ける前に垂木の上でブラケットの重量を支持する、実施形態１５３のシステム。
【０３３３】
実施形態１６０．各ブラケットが、追加の緊結具を使用せずに、それぞれの梁を固設し、断熱バットを支持するための歯を有するクリップを備える、実施形態１５３のシステム。
【０３３４】
実施形態１６１．クリップの上部部分が、それぞれの梁の近位端部の頂部と重なる、実施形態１６０のシステム。
【０３３５】
実施形態１６２．梁のウェブの長さが、ブラケットの長さと実質的に等しい、実施形態１５３のシステム。
【０３３６】
実施形態１６３．梁の遠位端部が、それぞれのブラケットの下部縁部を捕捉する垂直フランジを備える、実施形態１５３のシステム。
【０３３７】
実施形態１６４．梁が、ポリマー組成物からなる、実施形態１５３のシステム。
【０３３８】
実施形態１６５．梁が、手ばさみなどの手動工具を用いて切断され得、梁が、任意の追加のストラップ材なしでガラス繊維バットを支持するように構成されている、実施形態１５３のシステム。
【０３３９】
実施形態１６６．梁が、穿孔されている、実施形態１５３のシステム。
【０３４０】
実施形態１６７．梁の近位端部が、穿孔を備える、実施形態１５３のシステム。
【０３４１】
実施形態１６８．梁のウェブが、穿孔されている、実施形態１５３のシステム。
【０３４２】
実施形態１６９．梁の遠位端部が、穿孔されていない、実施形態１５３のシステム。
【０３４３】
実施形態１７０．梁が、Ｉ型梁およびＪ型梁のうちの少なくとも１つを含む、実施形態１５３のシステム。
【０３４４】
実施形態１７１．梁の一部が、異なる材料から形成されている、実施形態１５３のシステム。
【０３４５】
実施形態１７２．梁の一部が、異なる熱膨張率を有する、実施形態１５３のシステム。
【０３４６】
実施形態１７３．梁が、約５０Ｅ−０６ｉｎ／（ｉｎ．Ｆ）以下の熱膨張率を含む、実施形態１５３のシステム。
【０３４７】
実施形態１７４．１０インチの距離で０．５ｌｂの重量を有する各梁が、約０．１インチ〜約２インチの範囲の最大垂直偏向を有する、実施形態１５３のシステム。
【０３４８】
実施形態１７５．各梁が、その自重下で、その近位端部および遠位端部によって画定される平面に対して、約１度〜約５度の範囲の最大偏向を有する、実施形態１５３のシステム。
【０３４９】
実施形態１７６．各梁が、ポリマー材料の単一層を含む、実施形態１５３のシステム。
【０３５０】
実施形態１７７．各梁の少なくとも一部が、押出成形および射出成形のうちの少なくとも１つである、実施形態１５３のシステム。
【０３５１】
実施形態１７８．システムの材料が、断熱バットおよび第１のテープ以外、梁のうちの隣接するものの間には延在しない、実施形態１５３のシステム。
【０３５２】
実施形態１７９．システムが気密性を備え、気密障壁がＡＣＨ５０＜１．６を含む、実施形態１５３のシステム。
【０３５３】
実施形態１８０．気密性および気密障壁が、ＡＣＨ５０＜０．６を含む、実施形態１７９のシステム。
【０３５４】
実施形態１８１．断熱バットが、スマート蒸気遅延剤（ＳＶＲ）およびクラフト紙のうちの少なくとも１つを含む外層を備える、実施形態１５３のシステム。
【０３５５】
実施形態１８２．当接バット間に形成された接合部をシールする追加のテープストリップをさらに備え、追加のテープストリップが、梁の軸に対して実質的に直角であり、追加のテープストリップが、梁のうちの隣接するものの間に延在する、実施形態１５３のシステム。
【０３５６】
実施形態１８３．断熱バットが、テープ留めする前に最初に梁にステープル留めされる、実施形態１５３のシステム。
【０３５７】
実施形態１８４．システムが、断熱バットの下に他の支持部材または支持構造を備えない、実施形態１５３のシステム。
【０３５８】
実施形態１８５．梁が、垂木に対して直角である、実施形態１５３のシステム。
【０３５９】
実施形態１８６．テープが、全天候用点滅テープを含む、実施形態１５３のシステム。
【０３６０】
実施形態１８７．屋根裏が、断熱バットを通って延在する突出部を備え、テープを突出部と断熱バットとの間に適用してそれらの間に気密障壁を形成し、気密障壁が、ＡＣＨ５０＜３を含む、実施形態１５３のシステム。
【０３６１】
実施形態１８８．屋根裏が、断熱バットを通って延在する突出部を備え、第２のテープを突出部と断熱バットとの間に適用してそれらの間に気密障壁を形成し、気密障壁が、ＡＣＨ５０＜３を含み、第２テープが、テープとは異なる、実施形態１５３のシステム。
【０３６２】
実施形態１８９．突出部が、屋根をさらに支持するトラス部材を含む、実施形態１８８のシステム。
【０３６３】
実施形態１９０．第２のテープが、少なくとも約１００％の伸長能力を備えるストレッチテープである、実施形態１８８のシステム。
【０３６４】
実施形態１９１．屋根デッキとシステムの上部部分との間に換気空気間隙をさらに備える、実施形態１５３のシステム。
【０３６５】
実施形態１９２．梁が、金属製ではない、実施形態１５３のシステム。
【０３６６】
実施形態１９３．屋根デッキを支持する垂木を有する屋根裏内で断熱材を支持するための吊設具であって、
軸、および軸方向の細長い外形、を有する梁を備え、細長い外形が、
垂木に連結されるように構成され近位端部と、
近位端部から離間された遠位端部と、
近位端部と遠位端部との間に延在するウェブと、
近位端部と遠位端部との間でウェブに沿って画定された断熱空間と、を備え、
遠位端部が、断熱空間内に位置する断熱バットに連結されるように構成されており、
梁は、ウェブが近位端部および遠位端部に対して直角ではないように梁が重畳される重畳位置と、ウェブが近位端部および遠位端部に対して実質的に直角である設置位置とを有する、吊設具。
【０３６７】
実施形態１９４．屋根デッキを支持する垂木を有する屋根裏内で断熱材を支持するための吊設具であって、
軸、および軸方向の細長い外形、を有する梁を備え、細長い外形が、
垂木に連結されるように構成され近位端部と、
近位端部から離間された遠位端部と、
近位端部と遠位端部との間に延在するウェブと、
近位端部と遠位端部との間でウェブに沿って画定された断熱空間と、を備え、
遠位端部が、断熱空間内に位置する断熱バットに連結されるように構成されており、
ウェブが、細長い外形の全体を跨ぐ中実部分と、近位端部のうちのそれぞれのものに係合するセグメント化部分とを備え、セグメント化部分内の空隙が、近位端部から中実部分まで延在する、吊設具。
【０３６８】
実施形態１９５．断熱材を支持するための吊設具であって、
梁に連結されるように構成された梁取り付け構成要素を備える第１の端部と、
障壁に連結されるように構成された障壁取り付け構成要素を備える第２の端部と、
第１の端部と第２の端部との間に断熱空間を画定する軸方向中央部分と、を備え、梁取り付け構成要素が、第１の面、および梁の底部と接触するように適合された第１の面の底部に位置する少なくとも１つの半径方向リップ、を備える、吊設具。
【０３６９】
実施形態１９６．断熱システムであって、梁と、障壁と、少なくとも１つの吊設具と、を備え、吊設具が、梁に連結される梁取り付け構成要素を備える第１の端部、障壁に連結される障壁取り付け構成要素を備える第２の端部、および第１の端部と第２の端部との間に断熱空間を画定する軸方向中央部分、を備え、梁取り付け構成要素が、第１の面、および梁の底部と接触する第１の面の底部に位置する少なくとも１つの半径方向リップ、を備え、断熱材が、吊設具によって画定された断熱空間を少なくとも部分的に充填する、断熱システム。
【０３７０】
実施形態１９７．デッキとデッキに緊結された梁とを備える屋根裏を有する家のための断熱システムを設置するための方法であって、断熱システムが、障壁を提供することと、少なくとも１つの吊設具を提供することであって、少なくとも１つの吊設具が、梁に連結されるように構成された梁取り付け構成要素を備える第１の端部、障壁に連結されるように構成された障壁取り付け構成要素を備える第２の端部、および第１の端部と第２の端部との間の軸方向中央部分、を備え、梁取り付け構成要素が、第１の面、および梁の底部と接触するように適合された第１の面の底部に位置する少なくとも１つの半径方向リップ、を備える、少なくとも１つの吊設具を提供することと、障壁取り付け構成要素を障壁に取り付けることと、半径方向リップが梁の底部と接触して第１の端部と第２の端部との間に画定された断熱空間を提供するように梁取り付け構成要素を梁に取り付けることであって、半径方向リップが、断熱空間のサイズを決定する、梁取り付け構成要素を梁に取り付けることと、断熱空間内に断熱材を提供することと、を含む、方法。
【０３７１】
実施形態１９８．梁取り付け部が、梁取り付け構成要素の第１の面の第２の半径方向側部に第２の半径方向リップを備え、第１の半径方向側部および第２の半径方向側部が、梁取り付け構成要素の第１の面の反対側の半径方向側部である、実施形態１〜３のいずれかの吊設具、断熱システム、または方法。
【０３７２】
実施形態１９９．第１の半径方向リップが、梁取り付け構成要素の第１の面の第１の半径方向側部に複数の半径方向リップを備える、先行する実施形態のいずれかの吊設具、断熱システム、または方法。
【０３７３】
実施形態２００．第２の半径方向リップが、梁取り付け構成要素の第１の面の第２の半径方向側部に複数の半径方向リップを備える、先行する実施形態のいずれかの吊設具、断熱システム、または方法。
【０３７４】
実施形態２０１．梁取り付け構成要素の第１の面が、複数の孔を備える、先行する実施形態のいずれかの吊設具、断熱システム、または方法。
【０３７５】
実施形態２０２．梁取り付け構成要素の第１の面が、その軸方向長さに下に延びるスパインを備える、先行する実施形態のいずれかの吊設具、断熱システム、または方法。
【０３７６】
実施形態２０３．障壁取り付け構成要素が、緊結具を用いて固設されるように適合されており、緊結具が、障壁取り付け張り出し部、釘、ボルト、ステープル、ネジ、または接着剤を含む、先行する実施形態のいずれかの吊設具、断熱システム、または方法。
【０３７７】
実施形態２０４．障壁取り付け構成要素が、緊結具を用いて固設されるように適合されており、緊結具が、梁取り付け張り出し部、釘、ボルト、ステープル、ネジ、または接着剤を含む、先行する実施形態のいずれかの吊設具、断熱システム、または方法。
【０３７８】
実施形態２０５．障壁取り付け構成要素が、支承を備え、支承が、障壁内の溝の半径方向内側にあり、溝の両側に係合するように構成された円形または多角形の断面を含む細長い実質的に平坦な形状を備える、先行する実施形態のいずれかの吊設具、断熱システム、または方法。
【０３７９】
実施形態２０６．障壁取り付け構成要素が、吊設具を障壁に連結するように構成されたアーチを備え、アーチが、少なくとも２つの軸方向側部を備え、各軸方向側部が、吊設具の軸に沿って変化する半径方向直径を有する、先行する実施形態のいずれかの吊設具、断熱システム、または方法。
【０３８０】
実施形態２０７．障壁取り付け構成要素が、障壁取り付け構成要素と障壁とを連結または連結解除するように適合されたクリップを備える、先行する実施形態のいずれかの吊設具、断熱システム、または方法。
【０３８１】
実施形態２０８．アーチが、障壁上の張り出し部で障壁を把持するように構成されたクランプを備える、実施形態１２の吊設具、断熱システム、または方法。
【０３８２】
実施形態２０９．障壁が、障壁−吊設具取り付け構成要素を備える実質的に平面状の細長いパネルを備える、先行する実施形態のいずれかの吊設具、断熱システム、または方法。
【０３８３】
実施形態２１０．障壁−吊設具取り付け構成要素が、溝、平面状表面、張り出し部、またはそれらの組み合わせを備える、実施形態１５の吊設具、断熱システム、または方法。
【０３８４】
実施形態２１１．梁が、梁−吊設具取り付け構成要素を備える実質的に平面状の細長いパネルを備える、先行する実施形態のいずれかの吊設具、断熱システム、または方法。
【０３８５】
実施形態２１２．梁−吊設具取り付け構成要素が、溝、平面状表面、張り出し部、またはそれらの組み合わせを備える、実施形態１７の吊設具、断熱システム、または方法。
【０３８６】
実施形態２１３．金属プレートが、障壁取り付け構成要素または梁取り付け構成要素のうちの少なくとも１つの内側に位置する、先行する実施形態のいずれかの吊設具、断熱システム、または方法。
【０３８７】
実施形態２１４．断熱材が、障壁と梁との間に位置し、それらの間の接合部に伸縮性をもたせ、それらの遮音性を改善するように構成された圧縮性フォームを含む、先行する実施形態のいずれかの吊設具、断熱システム、または方法。
【０３８８】
実施形態２１５．障壁取り付け構成要素が、吊設具の障壁取り付け構成要素の孔を通って障壁の第１の端部に直接螺合されるように構成された先のとがったネジまたは釘を備える、先行する実施形態のいずれかの吊設具、断熱システム、または方法。
【０３８９】
実施形態２１６．梁取り付け構成要素が、吊設具の第１の面の孔を通って梁の第１の端部に直接螺合されるように構成された先のとがったネジまたは釘を備える、先行する実施形態のいずれかの吊設具、断熱システム、または方法。
【０３９０】
実施形態２１７．梁取り付け構成要素の少なくとも１つの半径方向リップが、屋根デッキに対して実質的に平行であるように構成されたフランジを備え、フランジは、それが吊設具に取り付けられた別個の構成要素を含まないように、吊設具と一体的に形成されている、先行する実施形態のいずれかの吊設具、断熱システム、または方法。
【０３９１】
実施形態２１８．半径方向リップが、半径方向リップの半径方向縁部から軸方向に延在する強化翼をさらに備える、実施形態２１７の吊設具、断熱システム、または方法。
【０３９２】
実施形態２１９．強化翼が、屋根デッキに対して実質的に直角であるように構成されており、翼は、それが吊設具に取り付けられた別個の構成要素を含まないように、吊設具と一体的に形成されている、実施形態２１８の吊設具、断熱システム、または方法。
【０３９３】
実施形態２２０．梁取り付け構成要素または障壁取り付け構成要素のうちの少なくとも１つの上に剥離可能なライナを有するテープをさらに備える、先行する実施形態のいずれかの吊設具、断熱システム、または方法。
【０３９４】
実施形態２２１．テープが、ブチルテープを含む、実施形態２２０の吊設具、断熱システム、または方法。
【０３９５】
実施形態２２２．障壁が、スタッド、押縁、ストラップ材、石膏ボード、格子、ネット、仕上げ面、メッシュ、テープ、または膜のうちの少なくとも１つを含むように構成されている、先行する実施形態のいずれかの吊設具、断熱システム、または方法。
【０３９６】
実施形態２２３．障壁が、木材またはプラスチックを含むように構成されている、先行する実施形態のいずれかの吊設具、断熱システム、または方法。
【０３９７】
実施形態２２４．障壁が、開口ガラスメッシュ、蒸気閉鎖ポリエチレン、またはスマート蒸気遅延剤（ＳＶＲ）のうちの少なくとも１つを含むように構成されており、
障壁が、ガラス繊維、ストーンウール、またはセルロースのうちの少なくとも１つを含む吹き込み断熱材を支持するように構成されている、先行する実施形態のいずれかの吊設具、断熱システム、または方法。
【０３９８】
実施形態２２５．障壁が、吹き込み断熱材の圧力を支持するテープで強化されるように構成されている、実施形態２２４の吊設具、断熱システム、または方法。
【０３９９】
実施形態２２６．障壁が、吹き込み断熱材の圧力を支持するガラスネットで強化されるように構成されている、実施形態２２５の吊設具。
【０４００】
実施形態２２７．障壁が、吊設具の第２の端部に装着された石膏ボードを含むように構成され、ＳＶＲが、石膏ボードに装着されるように構成されている、実施形態２２５の吊設具。
【０４０１】
実施形態２２８．吊設具が、プラスチックを含む、先行する実施形態のいずれかの吊設具、断熱システム、または方法。
【０４０２】
実施形態２２９．吊設具が、ガラス繊維で強化されたポリメチルメタクリレート（ＰＭＭＡ）を含む、先行する実施形態のいずれかの吊設具、断熱システム、または方法。
【０４０３】
実施形態２３０．吊設具が、０．５Ｗ／ｍＫの最大熱伝導率を有する、先行する実施形態のいずれかの吊設具、断熱システム、または方法。
【０４０４】
実施形態２３１．吊設具が、剛性であり、変形可能なように設計されていない、先行する実施形態のいずれかの吊設具、断熱システム、または方法。
【０４０５】
実施形態２３２．障壁取り付け構成要素または梁取り付け構成要素のうちの少なくとも１つに連結された少なくとも１つの断熱材支持部材をさらに備える、先行する実施形態のいずれかの吊設具、断熱システム、または方法。
【０４０６】
実施形態２３３．少なくとも１つの断熱材支持部材が、実質的に平面状の細長いパネルを備える、実施形態２３２の吊設具、断熱システム、または方法。
【０４０７】
実施形態２３４．実質的に平面状の細長いパネルが、障壁取り付け構成要素に直接緊結された第１のパネルと、第１のパネルに直接緊結された第２のパネルとを備え、第２のパネルが、第１のパネルに対して実質的に直角であり、第２のパネルが、強化リブを備える、実施形態２３３の吊設具、断熱システム、または方法。
【０４０８】
実施形態２３５．実質的に平面状の細長いパネルが、梁壁取り付け構成要素に直接緊結された第１のパネルと、第１のパネルに直接緊結された第２のパネルとを備え、第２のパネルが、第１のパネルに対して実質的に直角であり、第２のパネルが、強化リブを備える、実施形態２３３の吊設具、断熱システム、または方法。
【０４０９】
実施形態２３６．吊設具自体が、金属製ではない、先行する実施形態のいずれかの吊設具、断熱システム、または方法。
【０４１０】
実施形態２３７．梁取り付け構成要素の少なくとも１つの半径方向リップが、破断するように適合されている、先行する実施形態のいずれかの吊設具、断熱システム、または方法。
【０４１１】
実施形態２３８．デッキが、屋根裏床デッキであり、梁が、床ジョイストである、先行する実施形態のいずれかの吊設具、断熱システム、または方法。
【０４１２】
実施形態２３９．デッキが、屋根裏側壁パネルであり、梁が、側壁梁である、先行する実施形態のいずれかの吊設具、断熱システム、または方法。
【０４１３】
実施形態２４０．デッキが、屋根デッキであり、梁が、屋根垂木である、先行する実施形態のいずれかの吊設具、断熱システム、または方法。
【０４１４】
実施形態２４１．吊設具が障壁の頂部の上の物体または障壁に取り付けられた物体を支持および格納するように、吊設具が耐荷重性である、先行する実施形態のいずれかの吊設具、断熱システム、または方法。
【０４１５】
実施形態２４２．吊設具が、垂木に対する吊設具の測定および調整を容易にするように構成された定規を備える、先行する実施形態のいずれかの吊設具、断熱システム、または方法。
【０４１６】
実施形態２４３．障壁が、水分管理を提供するように構成されている、先行する実施形態のいずれかの吊設具、断熱システム、または方法。
【０４１７】
実施形態２４４．障壁が、気密性を提供するように構成されている、先行する実施形態のいずれかの吊設具、断熱システム、または方法。
【０４１８】
実施形態２４５．梁、吊設具、または障壁のうちの少なくとも１つが、防火クラスＡの物質である、先行する実施形態のいずれかの吊設具、断熱システム、または方法。
【０４１９】
実施形態２４６．障壁が、仕上げ面を備え、仕上げ面が、接着剤、ステープル、釘、またはネジを含む緊結具を備える断熱材取り付け構成要素を介して断熱材に取り付けられている、先行する実施形態のいずれかの吊設具、断熱システム、または方法。
【０４２０】
実施形態２４７．トラス内に断熱材を吊設するための断熱システムであって、
第１のトラス上に設置されるように構成された第１のレールと、
第１のトラスから離間された第２のトラス上に設置されるように構成された第２のレールと、を備え、第１のレールと第２のレールとの間に第１の空洞が確立され、第１の空洞が、第１の断熱バットを受容して係合するように構成されている、断熱システム。
【０４２１】
実施形態２４８．
第２のレールの反対側の第２のトラス上に設置されるように構成された第３のレールをさらに備える、実施形態２４７の断熱システム。
【０４２２】
実施形態２４９．
第２のトラスから離間された第３のトラス上に設置されるように構成された第４のレールをさらに備え、第３のレールと第４のレールとの間に第２の空洞が確立され、第２の空洞が、第２の断熱バットを受容して係合するように構成されている、実施形態２４８の断熱システム。
【０４２３】
実施形態２５０．各レールが、細長く、かつ長さと幅とを含み、長さと幅の比ＲＬＷが、０．１以下である、実施形態２４９の断熱システム。
【０４２４】
実施形態２５１．ＲＬＷが、０．０９以下、例えば、０．０８以下、０．０７以下、０．０６以下、または０．０５以下である、実施形態２５０の断熱システム。
【０４２５】
実施形態２５２．ＲＬＷが、０．００５以上、例えば、０．０１以上、０．０２以上、０．０３以上、または０．０４以上である、実施形態２５１の断熱システム。
【０４２６】
実施形態２５３．各レールが、略Ｕ字形の断面形状を含む、実施形態２５２の断熱システム。
【０４２７】
実施形態２５４．各レールが、ベースプレートと、そこから延在する第１のタインおよび第２のタインと、を含む、実施形態２５３の断熱システム。
【０４２８】
実施形態２５５．各空洞が、空洞幅ＷＣを画定し、ＷＣが、４８．０インチ以下である、実施形態２４９の断熱システム。
【０４２９】
実施形態２５６．ＷＣが、４４．０インチ以下、例えば、４０．０インチ以下、３６．０インチ以下、３２．０インチ以下、２８．０インチ以下、２４．０インチ以下、２３．５．０インチ以下、２３．０インチ以下、２２．５インチ以下、２２．０インチ以下、２１．５インチ以下、２１．０インチ以下、２０．５インチ以下、２０．０インチ以下、１９．５インチ以下、１９．０インチ以下、１８．５インチ以下、１８．０インチ以下、１７．５インチ以下、１７．０インチ以下、１６．５インチ以下、または１６．０インチ以下である、実施形態２５５の断熱システム。
【０４３０】
実施形態２５７．ＷＣが、１０．０インチ以上、例えば、１０．５インチ以上、１１．０インチ以上、１１．５インチ以上、または１２．０インチ以上である、実施形態２５６の断熱システム。
【０４３１】
実施形態２５８．第１および第２の断熱バットが、床の上の高さＨに配設され、Ｈが、３フィート以上である、実施形態２４９の断熱システム。
【０４３２】
実施形態２５９．Ｈが、３．５フィート以上、例えば、４．０フィート以上、４．５フィート以上、５．０フィート以上、５．５フィート以上、または６．０フィート以上である、実施形態２５８の断熱システム。
【０４３３】
実施形態２６０．Ｈが、１０．０フィート以下、例えば、９．５以下、９．０フィート以下、８．５フィート以下、８．０フィート以下、７．５フィート以下、７．０フィート以下、または６．５フィート以下である、実施形態２５９の断熱システム。
【０４３４】
実施形態２６１．断熱材を設置する方法であって、
第１のトラス上に第１のレールを設置することと、
第１のトラスから距離を置いて離間された第２のトラス上に第２のレールを設置して、第１のレールと第２のレールとの間に第１の空洞を確立することと、
第１の空洞内に第１の断熱バットを設置することと、を含む、方法。
【０４３５】
実施形態２６２．
第２のレールの反対側の第２のトラス上に第３のレールを設置することをさらに含む、実施形態２６１の方法。
【０４３６】
実施形態２６３．
第２のトラスから距離を置いて離間された第３のトラス上に第４のレールを設置して、第３のレールと第２のレールとの間に第２の空洞を確立することをさらに含む、実施形態２６２の方法。
【０４３７】
実施形態２６４．
第２の空洞内に第２の断熱バットを設置することをさらに含む、実施形態２６３の方法。
【０４３８】
実施形態２６５．
第１のバットと第２のバットとの間の直線接合部にテープを適用することをさらに含む、実施形態２６４の方法。
【０４３９】
実施形態２６６．レールが、実質的に水平に設置される、実施形態２６１の方法。
【０４４０】
実施形態２６７．レールが、トラスの垂直中心線に対して実質的に直角に設置される、実施形態２６１の方法。
【０４４１】
実施形態２６８．レールの各々が、開放端部と閉鎖端部とを有する略Ｕ字形の断面を含み、閉鎖端部がトラスに隣接した状態で各レールが設置される、実施形態２６１の方法。
【０４４２】
実施形態２６９．切妻を断熱するための断熱システムであって、
第１の垂直スタッド上に設置されるように構成された第１のレールと、
第１の垂直スタッドから離間された第２の垂直スタッド上に設置されるように構成された第２のレールと、を備え、第１のレールと第２のレールとの間に第１の空洞が確立され、第１の空洞が、第１の断熱バットを受容して係合するように構成されている、断熱システム。
【０４４３】
実施形態２７０．
第２の垂直スタッドから離間された第３の垂直スタッド上に設置されるように構成された第３のレールをさらに備え、第２のレールと第３のレールとの間に第２の空洞が確立され、第２の空洞が、第２の断熱バットを受容して係合するように構成されている、実施形態２６９のシステム。
【０４４４】
実施形態２７１．各レールが、略Ｕ字形であり、ベースプレートと、そこから延在する第１のタインおよび第２のタインと、を含む、実施形態２７０のシステム。
【０４４５】
実施形態２７２．各レールが、第１のタインまたは第２のタインを介して垂直スタッドに付着されるように構成されている、実施形態２７１のシステム。
【０４４６】
実施形態２７３．ベースプレートが垂直スタッドの面に対して実質的に直角であるように、各レールが垂直スタッドに付着されるように構成されている、実施形態２７１のシステム。
【０４４７】
実施形態２７４．断熱材を設置する方法であって、
第１の垂直スタッド上に第１のレールを設置することと、
第１の垂直スタッドから距離を置いて離間された第２の垂直スタッド上に第２のレールを設置して、第１のレールと第２のレールとの間に第１の空洞を確立することと、
第１の空洞内に第１の断熱バットを設置することと、を含む、方法。
【０４４８】
実施形態２７５．
第２の垂直スタッドから距離を置いて離間された第３の垂直スタッド上に第３のレールを設置して、第２のレールと第３のレールとの間に第２の空洞を確立することをさらに含む、実施形態２７４の方法。
【０４４９】
実施形態２７６．
第２の空洞内に第２の断熱バットを設置することをさらに含む、実施形態２７５の方法。
【０４５０】
実施形態２７７．
第１のバットと第２のバットとの間の直線接合部にテープを適用することをさらに含む、実施形態２７６の方法。
【０４５１】
実施形態２７８．レールが、実質的に垂直に設置される、実施形態２７５の方法。
【０４５２】
実施形態２７９．レールが、スタッドに対して実質的に平行に設置される、実施形態２７５の方法。
【０４５３】
実施形態２８０．レールの各々が、開放端部と閉鎖端部とを有する略Ｕ字形の断面を含み、開放端部がスタッドの面に対して直角である状態で各レールが設置される、実施形態２７５の方法。
【０４５４】
実施形態２８１．各レールの開放端部が同じ方向に面するように、レールの各々が設置される、実施形態２８０の方法。
【０４５５】
この書面の説明は、最良の形態を含む実施形態を開示するために、およびまた当業者が本発明を製作および使用することを可能にするために例を使用する。特許性のある範囲は特許請求の範囲によって定義され、そして当業者に思い浮かぶ他の例を含み得る。かかる他の例は、それらが特許請求の範囲の文字どおりの言語と異ならない構造要素を有する場合、またはそれらが特許請求の範囲の文字どおりの言語とは非実質的に異なる同等の構造要素を含む場合、特許請求の範囲の範囲内にあると意図される。
【０４５６】
概要または実施例にて上述の行為の全てが必要とされるわけではないこと、特定の行為のうちの一部分は必要とされない場合があること、また１つ以上のさらなる行為が記載のものに加えて実施される場合があることに留意されたい。またさらに、行為が列挙される順序は、必ずしもそれらが実施される順序ではない。
【０４５７】
前述の明細書において、概念を、特定の実施形態を参照して説明してきた。しかしながら、当業者であれば、以下の特許請求の範囲に記載されている本発明の範囲から逸脱することなく、様々な修正および変更を行うことができることを理解する。したがって、明細書および図は限定的な意味ではなく例示的な意味で見なされるべきであり、かかる修正は全て本発明の範囲内に含まれることが意図されている。
【０４５８】
本明細書で使用される場合、「備える（ｃｏｍｐｒｉｓｅｓ）」、「備えている（ｃｏｍｐｒｉｓｉｎｇ）」、「含む（ｉｎｃｌｕｄｅｓ）」、「含んでいる（ｉｎｃｌｕｄｉｎｇ）」、「有する（ｈａｓ）」、「有している（ｈａｖｉｎｇ）」という用語、またはこれらの任意の他の変形例は、非排他的包含を網羅することを意図する。例えば、特徴の列挙を含むプロセス、方法、物品、または装置は、必ずしもそれらの特徴のみに限定されるわけではないが、明確には列挙されていないか、またはこのようなプロセス、方法、物品、もしくは装置に固有である他の特徴を含んでもよい。さらに、そうではないと明確に記載されない限り、「または（ｏｒ）」は、包含的または（ｉｎｃｌｕｓｉｖｅ−ｏｒ）を指し、排他的または（ｅｘｃｌｕｓｉｖｅ−ｏｒ）を指すものではない。例えば、条件ＡまたはＢは、以下のうちのいずれか１つよって満たされる：Ａが真であり（または存在し）かつＢが偽である（または存在しない）、Ａが偽であり（または存在しない）かつＢが真である（または存在する）、およびＡとＢの両方が真である（または存在する）。
【０４５９】
また、「ａ」または「ａｎ」の使用は、本明細書において説明される要素および構成要素を説明するために用いられる。これは、単に便宜性のために、かつ本発明の範囲の一般的な意味を付与するために行われる。この説明は、１つまたは少なくとも１つを含むように読まれるべきであり、単数形もまた、それが他の意味であることが明らかでない限り、複数形を含む。
【０４６０】
利益、他の利点、および問題の解決策が、特定の実施形態に関して上記に説明されてきた。しかしながら、利益、利点、問題の解決策、および任意の利益、利点、もしくは解決策を生じさせるか、またはより明白にさせることができる任意の特徴（複数可）は、特許請求の範囲内のうちのいずれかまたは全ての決定的な、必須の、または本質的な特徴と解釈されるべきではない。
【０４６１】
本明細書を読んだ後、当業者は、明瞭性のために、ある特定の特徴が、別個の実施形態の文脈において本明細書に記載され、また、単一の実施形態において組み合わせて提供され得ることを理解するであろう。逆に、簡潔性のために、単一の実施形態の文脈に記載の様々な特徴はまた、別個にまたは任意の下位組み合わせで提供されてもよい。さらに、範囲内に記載の値への言及は、その範囲内の各値および全ての値を含む。
【図１】
2019533102.tif 000003
【図２】
2019533102.tif 000004
【図３】
2019533102.tif 000005
【図４】
2019533102.tif 000006
【図５】
2019533102.tif 000007
【図６】
2019533102.tif 000008
【図７】
2019533102.tif 000009
【図８】
2019533102.tif 000010
【図９】
2019533102.tif 000011
【図１０】
2019533102.tif 000012
【図１１】
2019533102.tif 000013
【図１２】
2019533102.tif 000014
【図１３】
2019533102.tif 000015
【図１４】
2019533102.tif 000016
【図１５】
2019533102.tif 000017
【図１６】
2019533102.tif 000018
【図１７】
2019533102.tif 000019
【図１８】
2019533102.tif 000020
【図１９】
2019533102.tif 000021
【図２０】
2019533102.tif 000022
【図２１】
2019533102.tif 000023
【図２２】
2019533102.tif 000024
【図２３】
2019533102.tif 000025
【図２４】
2019533102.tif 000026
【図２５】
2019533102.tif 000027
【図２６】
2019533102.tif 000028
【図２７】
2019533102.tif 000029
【図２８】
2019533102.tif 000030
【図２９】
2019533102.tif 000031
【図３０】
2019533102.tif 000032
【図３１】
2019533102.tif 000033
【図３２】
2019533102.tif 000034
【図３３】
2019533102.tif 000035
【図３４】
2019533102.tif 000036
【図３５】
2019533102.tif 000037
【図３６】
2019533102.tif 000038
【図３７】
2019533102.tif 000039
【図３８】
2019533102.tif 000040
【図３９】
2019533102.tif 000041
【図４０】
2019533102.tif 000042
【図４１】
2019533102.tif 000043
【図４２】
2019533102.tif 000044
【図４３】
2019533102.tif 000045
【図４４】
2019533102.tif 000046
【図４５】
2019533102.tif 000047
【図４６】
2019533102.tif 000048
【図４７】
2019533102.tif 000049
【図４８】
2019533102.tif 000050
【図４９】
2019533102.tif 000051
【図５０】
2019533102.tif 000052
【図５１】
2019533102.tif 000053
【図５２】
2019533102.tif 000054
【図５３】
2019533102.tif 000055
【図５４】
2019533102.tif 000056
【図５５】
2019533102.tif 000057
【図５６】
2019533102.tif 000058
【図５７】
2019533102.tif 000059
【図５８】
2019533102.tif 000060
【図５９】
2019533102.tif 000061
【図６０】
2019533102.tif 000062
【図６１】
2019533102.tif 000063
【図６２】
2019533102.tif 000064
【図６３】
2019533102.tif 000065
【図６４】
2019533102.tif 000066
【図６５】
2019533102.tif 000067
【図６６】
2019533102.tif 000068
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
断熱材を支持するための吊設具であって、
梁に連結されるように構成された梁取り付け構成要素を備える第１の端部と、
障壁に連結されるように構成された障壁取り付け構成要素を備える第２の端部と、
前記第１の端部と前記第２の端部との間に断熱空間を画定する軸方向中央部分と、を含み、
前記梁取り付け構成要素が、第１の面、および梁の底部と接触するように適合された前記第１の面の底部に位置する少なくとも１つの半径方向リップ、を備える、吊設具。
【請求項２】
断熱システムであって、
梁と、
障壁と、
少なくとも１つの吊設具と、を備え、前記吊設具が、
梁に連結される梁取り付け構成要素を備える第１の端部、
障壁に連結される障壁取り付け構成要素を備える第２の端部、および
前記第１の端部と前記第２の端部との間に断熱空間を画定する軸方向中央部分、を含み、
前記梁取り付け構成要素が、第１の面、および梁の底部と接触する前記第１の面の底部に位置する少なくとも１つの半径方向リップ、を備え、
断熱材が、前記吊設具によって画定された前記断熱空間を少なくとも部分的に充填する、断熱システム。
【請求項３】
デッキと前記デッキに緊結された梁とを備える屋根裏を有する家のために断熱システムを設置するための方法であって、前記断熱システムが、
障壁を提供することと、
少なくとも１つの吊設具を提供することであって、前記少なくとも１つの吊設具が、梁に連結されるように構成された梁取り付け構成要素を備える第１の端部、障壁に連結されるように構成された障壁取り付け構成要素を備える第２の端部、および前記第１の端部と前記第２の端部との間の軸方向中央部分、を備え、前記梁取り付け構成要素が、第１の面、および梁の底部と接触するように適合された前記第１の面の底部に位置する少なくとも１つの半径方向リップ、を備える、少なくとも１つの吊設具を提供することと、
前記障壁取り付け構成要素を前記障壁に取り付けることと、
前記半径方向リップが前記梁の底部と接触して前記第１の端部と前記第２の端部との間に画定された断熱空間を提供するように前記梁取り付け構成要素を前記梁に取り付けることであって、前記半径方向リップが、前記断熱空間のサイズを決定する、前記梁取り付け構成要素を前記梁に取り付けることと、
前記断熱空間内に断熱材を提供することと、を含む、方法。
【請求項４】
前記梁取り付け部が、前記梁取り付け構成要素の前記第１の面の第２の半径方向側部に第２の半径方向リップを備え、前記第１の半径方向側部および前記第２の半径方向側部が、前記梁取り付け構成要素の前記第１の面の反対側の半径方向側部である、請求項１〜３のいずれか一項に記載の吊設具、断熱システム、または方法。
【請求項５】
前記第１の半径方向リップが、梁取り付け構成要素の前記第１の面の前記第１の半径方向側部に複数の半径方向リップを備える、先行する請求項のいずれか一項に記載の吊設具、断熱システム、または方法。
【請求項６】
前記第２の半径方向リップが、梁取り付け構成要素の前記第１の面の前記第２の半径方向側部に複数の半径方向リップを備える、先行する請求項のいずれか一項に記載の吊設具、断熱システム、または方法。
【請求項７】
梁取り付け構成要素の前記第１の面が、緊結具を収容するように適合された複数の孔を備える、先行する請求項のいずれか一項に記載の吊設具、断熱システム、または方法。
【請求項８】
前記障壁取り付け構成要素が、緊結具を用いて固設されるように適合されており、前記緊結具が、障壁取り付け張り出し部、釘、ボルト、ステープル、ネジ、または接着剤を含む、先行する請求項のいずれか一項に記載の吊設具、断熱システム、または方法。
【請求項９】
前記梁取り付け構成要素が、緊結具を用いて固設されるように適合されており、前記緊結具が、梁取り付け張り出し部、釘、ボルト、ステープル、ネジ、または接着剤を含む、先行する請求項のいずれか一項に記載の吊設具、断熱システム、または方法。
【請求項１０】
前記障壁取り付け構成要素が、支承を備え、前記支承が、前記障壁内の溝の半径方向内側にあり、前記溝の両側に係合するように構成された円形または多角形の断面を含む細長い実質的に平坦な形状を備える、先行する請求項のいずれか一項に記載の吊設具、断熱システム、または方法。
【請求項１１】
前記障壁取り付け構成要素が、前記吊設具を前記障壁に連結するように構成されたアーチを備え、前記アーチが、少なくとも２つの軸方向側部を備え、各軸方向側部が、前記吊設具の軸に沿って変化する半径方向直径を有する、先行する請求項のいずれか一項に記載の吊設具、断熱システム、または方法。
【請求項１２】
前記障壁が、障壁−吊設具取り付け構成要素を備える実質的に平面状の細長いパネルを備え、前記障壁−吊設具取り付け構成要素が、溝、平面状表面、張り出し部、またはそれらの組み合わせを備える、先行する請求項のいずれか一項に記載の吊設具、断熱システム、または方法。
【請求項１３】
前記梁が、梁−吊設具取り付け構成要素を備える実質的に平面状の細長いパネルを備え、前記梁−吊設具取り付け構成要素が、溝、平面状表面、張り出し部、またはそれらの組み合わせを備える、先行する請求項のいずれか一項に記載の吊設具、断熱システム、または方法。
【請求項１４】
前記障壁が、スタッド、押縁、ストラップ材、メッシュ、石膏ボード、格子、ネット、仕上げ面、テープ、または膜のうちの少なくとも１つを含むように構成されている、先行する請求項のいずれか一項に記載の吊設具、断熱システム、または方法。
【請求項１５】
前記障壁が、水分管理を提供するように構成されている、先行する請求項のいずれか一項に記載の吊設具、断熱システム、または方法。
【国際調査報告】
2019533102.tif 000069
2019533102.tif 000070